(57)【要約】ＰＳＭＡに結合する単離されたヒトモノクローナル抗体、ならびに関連する抗体を基礎とした組成物および分子を開示する。該ヒト抗体は、Ｖ−Ｄ−Ｊ組換えおよびアイソタイプスイッチを行うことによって、非ヒトトランスジェニック動物、例えば、ヒトモノクローナル抗体の多数のアイソタイプを産生可能なトランスジェニックマウスにおいて、産生することができる。ヒト抗体、ヒト抗体を産生する非ヒトトランスジェニック動物およびハイブリドーマを含む薬学的組成物、ならびに該ヒト抗体を用いた治療方法および診断方法もまた開示される。【特許請求の範囲】
【請求項１】
ＦＲ１、ＣＤＲ１、ＦＲ２、ＣＤＲ２、ＦＲ３、ＣＤＲ３およびＦＲ４配列を含むヒト重鎖可変領域と、ＦＲ１、ＣＤＲ１、ＦＲ２、ＣＤＲ２、ＦＲ３、ＣＤＲ３およびＦＲ４配列を含むヒト軽鎖可変領域とを含む単離されたヒトモノクローナル抗体であって、
（ａ）前記ヒト重鎖可変領域ＣＤＲ３配列は、配列番号２３、２６、２９、３２および３５、ならびにその保存的改変からなる群から選択され、
（ｂ）前記ヒト軽鎖可変領域ＣＤＲ３配列は、配列番号３８、４１、４４、４７および５０、ならびにその保存的改変からなる群から選択され、
（ｃ）前記ヒト抗体は、１０−８Ｍ以下のＫＤでヒトＰＳＭＡに結合し、
（ｄ）前記ヒト抗体は、抗体依存性細胞性細胞傷害性（ＡＤＣＣ）アッセイにおいて、ＰＳＭＡ＋腫瘍細胞の溶解を媒介する、
単離されたヒトモノクローナル抗体。
【請求項２】
前記ヒト重鎖可変領域ＣＤＲ２配列は、配列番号２２、２５、２８、３１および３４、ならびにその保存的改変からなる群から選択され、前記ヒト軽鎖可変領域ＣＤＲ２配列は、配列番号３７、４０、４３、４６および４９、ならびにその保存的改変からなる群から選択される、請求項１に記載の単離されたヒト抗体。
【請求項３】
前記ヒト重鎖可変領域ＣＤＲ１配列は、配列番号２１、２４、２７、３０および３３、ならびにその保存的改変からなる群から選択され、前記ヒト軽鎖可変領域ＣＤＲ１配列は、配列番号３６、３９、４２、４５および４８、ならびにその保存的改変からなる群から選択される、請求項１または２に記載の単離されたヒト抗体。
【請求項４】
１０−9Ｍ以下のＫＤでヒトＰＳＭＡに結合する、請求項１〜３のいずれか１項に記載の単離されたヒト抗体。
【請求項５】
前記ヒト重鎖可変領域ＦＲ１、ＦＲ２、ＦＲ３およびＦＲ４配列は、ヒト重鎖ＶＨ5-51 生殖細胞系列配列に由来する、請求項１〜４のいずれか１項に記載の単離されたヒト抗体。
【請求項６】
前記ヒト軽鎖可変領域ＦＲ１、ＦＲ２、ＦＲ３およびＦＲ４配列は、ヒト軽鎖Ｌ６または０４/０１４生殖細胞系列配列に由来する、請求項１〜５のいずれか１項に記載の単離されたヒト抗体。
【請求項７】
ヒト重鎖可変領域およびヒト軽鎖可変領域を含む、単離されたヒトモノクローナル抗体であって、
（ａ）前記ヒト重鎖可変領域は、配列番号１１、１２、１３、１４、１５、ならびに配列番号１１、１２、１３、１４および１５に少なくとも８０％相同な配列からなる群から選択されるアミノ酸配列を含み、
（ｂ）前記ヒト軽鎖可変領域は、配列番号１６、１７、１８、１９、２０、ならびに配列番号１６、１７、１８、１９および２０に少なくとも８０％相同な配列からなる群から選択されるアミノ酸配列を含み、
（ｃ）前記ヒト抗体は、１０−８Ｍ以下のＫＤでヒトＰＳＭＡに結合し、
（ｄ）前記ヒト抗体は、抗体依存性細胞性細胞傷害性（ＡＤＣＣ）アッセイにおいて、ＰＳＭＡ＋腫瘍細胞の溶解を媒介する、
単離されたヒトモノクローナル抗体。
【請求項８】
前記抗体は、１０−9Ｍ以下のＫＤでヒトＰＳＭＡに結合する、請求項７に記載の単離されたヒト抗体。
【請求項９】
ヒト重鎖ＶＨ5-51 生殖細胞系列配列（配列番号５４）に由来するヒト重鎖可変領域と、ヒト軽鎖Ｌ６（配列番号５５）または０４／０１４（配列番号５６）生殖細胞系列配列に由来するヒト軽鎖可変領域とを含む単離されたヒトモノクローナル抗体であって、
（ａ）前記ヒト重鎖可変領域は、配列番号１２に示されたアミノ酸配列または配列番号１２に少なくとも８０％相同な配列を含み、
（ｂ）前記ヒト軽鎖可変領域は、配列番号１７に示されたアミノ酸配列または配列番号１７に少なくとも８０％相同な配列を含み、
（ｃ）前記ヒト抗体は、１０−９Ｍ以下のＫＤでヒトＰＳＭＡに結合し、
（ｄ）前記ヒト抗体は、抗体依存性細胞性細胞傷害性（ＡＤＣＣ）アッセイにおいて、ＰＳＭＡ＋腫瘍細胞の溶解を媒介する、
単離されたヒトモノクローナル抗体。
【請求項１０】
配列番号１１および配列番号１６に示されるアミノ酸配列をそれぞれ含む、ヒト重鎖可変領域およびヒト軽鎖可変領域を含む、単離されたヒトモノクローナル抗体。
【請求項１１】
配列番号１２および配列番号１７に示されるアミノ酸配列をそれぞれ含む、ヒト重鎖可変領域およびヒト軽鎖可変領域を含む、単離されたヒトモノクローナル抗体。
【請求項１２】
配列番号１３および配列番号１８に示されるアミノ酸配列をそれぞれ含む、ヒト重鎖可変領域およびヒト軽鎖可変領域を含む、単離されたヒトモノクローナル抗体。
【請求項１３】
配列番号１４および配列番号１９に示されるアミノ酸配列をそれぞれ含む、ヒト重鎖可変領域およびヒト軽鎖可変領域を含む、単離されたヒトモノクローナル抗体。
【請求項１４】
配列番号１５および配列番号２０に示されるアミノ酸配列をそれぞれ含む、ヒト重鎖可変領域およびヒト軽鎖可変領域を含む、単離されたヒトモノクローナル抗体。
【請求項１５】
ＰＳＭＡに対する結合において、先行するクレームのいずれかに記載のヒトモノクローナル抗体と競合する、単離されたヒトモノクローナル抗体。
【請求項１６】
不死化した細胞に融合させた、ヒト重鎖導入遺伝子または導入染色体およびヒト軽鎖導入遺伝子または導入染色体を含むゲノムを有するトランスジェニック非ヒト動物から得たＢ細胞から調製されるハイブリドーマにより産生された、先行する請求項のいずれかに記載の単離されたヒト抗体。
【請求項１７】
膀胱、乳房、大腸、腎臓、卵巣、前立腺、腎細胞、扁平細胞、肺（非小細胞）ならびに頭部および頚部の腫瘍細胞からなる群から選択される腫瘍細胞に結合する、先行する請求項のいずれかに記載のヒト抗体。
【請求項１８】
ヒトＩｇＧ重鎖およびヒトカッパ軽鎖を含む、先行する請求項のいずれかに記載のヒト抗体。
【請求項１９】
ＩｇＧ１またはＩｇＧ３重鎖を含む、先行する請求項のいずれかに記載のヒト抗体。
【請求項２０】
先行する請求項のいずれかに記載のヒト抗体と、薬学的許容される単体とを含む薬学的組成物。
【請求項２１】
治療薬に結合する、先行する請求項のいずれかに記載のヒト抗体を含む、免疫複合体。
【請求項２２】
前記治療薬は細胞毒である、請求項２１に記載の免疫複合体。
【請求項２３】
前記治療薬は放射性同位体である、請求項２１に記載の免疫複合体。
【請求項２４】
請求項２１〜２３のいずれか１項に記載の免疫複合体と、薬学的に許容される担体とを含む薬学的組成物。
【請求項２５】
先行する請求項のいずれかに記載のヒト抗体をコードする単離された核酸分子。
【請求項２６】
前記核酸分子は、発現ベクターに組み込まれている、請求項２５に記載の単離された核酸分子。
【請求項２７】
請求項２５または２６に記載の単離された核酸を含む、トランスフェクトーマ（transfectoma）。
【請求項２８】
ヒト重鎖導入遺伝子または導入染色体と、ヒト軽鎖導入遺伝子または導入染色体とを含むゲノムを有する、先行する請求項のいずれかに記載のヒト抗体を発現する、トランスジェニック非ヒト動物。
【請求項２９】
ＰＳＭＡを発現する細胞の成長を阻害する方法であって、該細胞を、先行する請求項のいずれかに記載の抗体の有効量に接触させ、該細胞の成長を阻害することを含む方法。
【請求項３０】
ＰＳＭＡを発現する腫瘍細胞の成長を特徴とする疾患を治療または予防する方法であって、前記疾患を治療または予防するために有効な量の、先行する請求項のいずれかに記載のヒト抗体を、被験体に投与することを含む方法。
【請求項３１】
前記疾患は癌である、請求項３０に記載の方法。
【請求項３２】
前記癌は、前立腺癌、大腸癌、腎臓の癌腫からなる群から選択される、請求項３１に記載の方法。
【請求項３３】
前記癌は前立腺癌である、請求項３１記載の方法。
【請求項３４】
前記ヒト抗体は治療薬と結合している、請求項２９に記載の方法。
【請求項３５】
前記治療薬は細胞毒である、請求項３４に記載の方法。
【請求項３６】
前記治療薬は放射性同位体である、請求項３４に記載の方法。
【発明の詳細な説明】
【０００１】
本願は、１９９９年７月２９日に出願された米国仮特許出願第60/146,285号、１９９９年１０月１２日に出願された米国仮特許出願第60/158,759号および２０００年３月９日に出願された米国仮特許出願第60/188,087号の優先権を主張する２０００年７月２６日に出願されたＰＣＴ国際出願ＰＣＴ/ＵＳ00/20247号の一部係属出願である、２００２年１月２８日に出願された米国実用新案出願第10/059,989号の優先権を主張する。これらの出願の内容全体を本明細書中に引用によって援用する。
【背景技術】
【０００２】
前立腺癌は、男性における病的状態および死亡の主要な原因の一つである。前立腺癌の治療には、外科手術、ホルモン治療、放射線治療および化学療法がある。転移性前立腺癌の効果的な治療法はほとんどない。したがって、診断用および予後用マーカーとなる遺伝子および／または遺伝子産物、ならびに治療のための標的の同定は重要である。前立腺特異性抗原（ＰＳＡ）はこのような癌マーカーの一種で、前立腺癌の臨床診断および病期決定に有用である。しかしながら、ＰＳＡは良性前立腺肥大症（ＰＢＨ）と、４〜１０ｎｇ／ｍｌの範囲内の前立腺炎および前立腺癌を区別することができない。したがって、正確な診断を確定するための細胞学的および組織学的評価が必要である（Barren、R.J.ら、（1998） Prostate 36:181-188）。
【０００３】
前立腺特異性膜抗原（ＰＳＭＡ）は、７５０アミノ酸で、トランスフェリンレセプターと５４％の相同性を有する約１１０ｋＤのＩＩ型膜貫通糖蛋白質である。ＰＳＭＡは、１９アミノ酸細胞内ドメイン、２４アミノ酸膜透過ドメイン、および７０７アミノ酸細胞外ドメインを含む、３種類の構造ドメインを有している。ＰＳＭＡ蛋白質は、ニューロカルボキシペプチダーゼおよび葉酸ヒドラーゼ活性を示し、したがって前立腺成長および分化の神経内分泌調節に関与すると報告されている（Heston、W.D.（1996） Urologe-Ausgabe A. 35:400-407）。ＰＳＭ’は、ＰＳＭＡから代替的にスプライスさたもので、細胞質に局在する。
【０００４】
ＰＳＭＡは、主に前立腺上皮細胞が発現する。ＰＳＭＡ発現は、前立腺癌、特に分化が不十分な転移性でホルモン治療抵抗性の癌腫中に増加する（Gregorakis、A.K.ら（1998） Seminars in Urologic Oncology 16:2-12；Silver、D.A.（1997） Clinical Cancer Research 3:81-85）。小腸、唾液腺、十二指腸粘膜、近位尿細管および脳などの前立腺以外の組織においても、少量のＰＳＭＡ発現が認められている（Silver、D.A.（1997） Clinical Cancer Research 3：81-85）。ＰＳＭＡ発現は、腎細胞癌腫または大腸癌腫など特定の悪性腫瘍の腫瘍周辺および腫瘍内部分の毛細血管の上皮細胞においても見られるが、正常組織の血管中には見られない。さらに、ＰＳＭＡの発現は腫瘍血管形成にも関与していると報告されている（Silver、D.A.（1997） Clinical Cancer Research 3:81-85）。
【０００５】
したがって、ＰＳＭＡは、前立腺癌およびＰＳＭＡ発現を特徴とする他の種々の疾患の、有用な治療標的である。
【発明の概要】
【０００６】
本発明は、ヒト前立腺特異性膜抗原（ＰＳＭＡ）に結合する、単離されたヒトモノクローナル抗体、ならびにそのような抗体を単独もしくは追加的治療薬と組み合わせて含有する免疫複合体、二重特異性分子、およびその他の治療用組成物を提供する。特に本発明のヒト抗体は、ヒトＰＳＭＡ上の未変性の蛋白質エピトープ（例えば、ヒトＰＳＭＡの細胞外ドメイン内に位置するエピトープ）に結合し、ヒトエフェクター細胞、例えば、多形核細胞、単球、マクロファージおよび樹状細胞の存在下で、（例えば、溶解または貪食作用を介して）ＰＳＭＡを発現する細胞の成長を阻害し、および/または細胞の死滅を媒介する。したがって、該抗体は、ＰＳＭＡ、特に前立腺癌、大腸癌および腎臓の癌腫などのＰＳＭＡ発現性の腫瘍および癌を診断、治療、および/または予防するための種々の方法に使用することができる。
【０００７】
本発明の単離されたヒト抗体は、ＩｇＧ１（例えば、ＩｇＧ１ｋ）、ＩｇＧ２、ＩｇＧ３、ＩｇＧ４、ＩｇＭ、ＩｇＡ１、ＩｇＡ２、ＩｇＡｓｅｃ、ＩｇＤ、およびＩｇＥなどの各種の抗体アイソタイプを含む。その抗体は、全長抗体（例えば、ＩｇＧ１もしくはＩｇＧ３）であってもよく、または抗原結合部分（例えば、Ｆａｂ、Ｆ（ａｂ´）２、Ｆｖ、もしくは一本鎖Ｆｖフラグメント）のみを含んでいてもよい。
【０００８】
本発明の特定の治療用の抗体は、ヒトモノクローナル抗体（ＨｕＭＡｂ）４Ａ３、７Ｆ１２、８Ａ１１、８Ｃ１２、１６Ｆ９、ならびに、例えば、（ａ）配列番号１、３、５、７または９および配列番号２、４、６、８または１０にそれぞれ示されているヌクレオチド配列およびそれらの保存的改変をその可変領域に含むヒト重鎖およびヒト軽鎖核酸によってコードされている、および/または（ｂ）配列番号１１、１２、１３、１４または１５および配列番号１６、１７、１８、１９または２０にそれぞれ示されているアミノ酸配列およびその保存的改変を含む重鎖および軽鎖可変領域を含む、機能的に等価な抗体を含む。
【０００９】
本発明のさらに他の特定なヒト抗体は、ヒト重鎖および軽鎖ＣＤＲ１領域、ヒト重鎖および軽鎖ＣＤＲ２領域およびヒト重鎖および軽鎖ＣＤＲ３領域を有するＣＤＲドメインを含み、
（ａ）ヒト重鎖領域のＣＤＲ１、ＣＤＲ２およびＣＤＲ３は、図１９（配列番号２１〜３５）に示されているＣＤＲ１、ＣＤＲ２およびＣＤＲ３領域のアミノ酸配列、およびそれらの保存的配列改変からなる群から選択されるアミノ酸配列を含み、
（ｂ）ヒト軽鎖領域のＣＤＲ１、ＣＤＲ２およびＣＤＲ３は、図２２および２３（配列番号３６〜５０）に示されているＣＤＲ１、ＣＤＲ２およびＣＤＲ３領域のアミノ酸配列、およびそれらの保存的配列改変をからなる群から選択されるアミノ酸配列を含む。
【００１０】
本発明の他の特定のヒト抗体は、抗体４Ａ３、７Ｆ１２、８Ａ１１、８Ｃ１２または１６Ｆ９によって定義されるエピトープに結合し、および/または、ＰＳＭＡへの結合を、抗体４Ａ３、７Ｆ１２、８Ａ１１、８Ｃ１２または１６Ｆ９と競合し、または、抗体４Ａ３、７Ｆ１２、８Ａ１１、８Ｃ１２または１６Ｆ９が示す、他の機能的結合特性を持つ、ヒトモノクローナル抗体を含む。そのような抗体としては、例えば、１０−７Ｍ以下、例えば、１０−８Ｍ以下、１０−９Ｍ以下、１０−１０Ｍ以下、またはさらにそれ以下（例えば、１０−１１Ｍ以下）の解離定数（ＫＤ）でＰＳＭＡと結合するものが含まれる。そのような抗体はさらに、マウス抗ＰＳＭＡ抗体３Ｃ６（ＡＴＣＣアクセッションナンバーＨＢ１２４９１）と交差反応するが、マウス抗ＰＳＭＡ抗体４Ｄ４（ＡＴＣＣアクセッションナンバーＨＢ１２４９３）または１Ｇ９（ＡＴＣＣアクセッションナンバーＨＢ１２４９５）とは交差反応性を示さない抗体を含む。
【００１１】
本発明のさらに別の局面において、ヒト抗ＰＳＭＡ抗体は、別の機能的分子、例えば、別のペプチドもしくは蛋白質（例えば、Ｆａｂ’フラグメント）を誘導体化し、それに結合し、またはそれと共発現する。例えば、本発明の抗体または抗原結合部分は、別の抗体（例えば、二重特異性分子または多重特異性分子を作製するため）、細胞毒、細胞リガンド、または抗原などの一つ以上の他の分子部分に機能的に結合することができる（例えば、化学結合、遺伝子融合、または非共有会合などによる）。したがって、本発明は、その全てが、ＰＳＭＡ発現細胞に結合し、他の分子をその細胞の標的とし、またはＰＳＭＡおよび、他の分子または細胞に結合する、多種の抗体抱合体、二重特異性および多重特異性分子、および融合蛋白質を含む。
【００１２】
別の特定の態様において、本発明は、ヒト抗ＰＳＭＡ抗体（またはそのフラグメントまたはミメティクス）であるＰＳＭＡへの少なくとも一つの結合特異性と、Ｆｃレセプター、例えば、ヒトＦｃγＲＩもしくはヒトＦｃαレセプター、または抗原提示細胞（ＡＰＣ）上の別の抗原への第２の結合特異性とを含む二重および多重特異性分子を含む。第２の結合特異性はまた、ヒト抗体もしくはその部分、または「キメラ」または「ヒト化」抗体もしくはその部分（例えば、元来はヒトである部分を残している非ヒト抗体（例えば、マウス）に由来する可変領域、または少なくとも１つの相補性決定領域（ＣＤＲ）を有する）などの抗体またはそのフラグメント（例えば、Ｆａｂ、Ｆａｂ’、Ｆ（ａｂ’）２、Ｆｖまたは一本鎖Ｆｖ）であることができる。
【００１３】
したがって、本発明は、ヒトＰＳＭＡおよびＦｃレセプター、例えば、ＦｃγＲＩ（ＣＤ６４）、ＦｃγＲＩＩ（ＣＤ３２）およびＦｃγＲＩＩＩ（ＣＤ１６）などのＦｃガンマレセプター（ＦｃγＲ）のようなヒトＩｇＧレセプターの両方に結合する二重特異性および多重特異性分子を含む。ヒトＩｇＡレセプター（例えば、ＦｃαＲＩ）のような他のＦｃレセプターも標的とすることができる。Ｆｃレセプターは、例えば、単球、マクロファージ、または活性化多形核細胞などのエフェクター細胞の表面に位置していることが好ましい。好ましい態様において、二重特異性または多重特異性分子は、レセプターの免疫グロブリンＦｃ（例えば、ＩｇＧまたはＩｇＡ）結合部位とは異なる部位においてＦｃレセプターに結合する。したがって、二重特異性または多重特異性分子の結合は生理学的なレベルの免疫グロブリンにより遮断されない。
【００１４】
別の態様において、本発明は、例えば、細胞毒薬剤、酵素活性毒素、もしくはそのフラグメントなどの治療薬、放射性同位体、または小分子抗癌剤と抱合する完全なヒト抗ＰＳＭＡ抗体を含む、免疫抱合体、例えば、免疫毒を提供する。
【００１５】
あるいは、本発明のヒト抗体は、治療薬および細胞毒物質とともに共投与することができるが、それらに結合されない。それらは、そのような物質と同時に（例えば、単一組成物として、または別々に）共投与することができ、または、そのような物質の前後に投与することもできる。そのような物質としては、ドキソルビシン（アドリアマイシン）、シスプラチン、硫酸ブレオマイシン、カルムスチン、クロランブシル、シクロホスファミド、ヒドロキシ尿素およびそれらの組み合わせなどの化学治療用物質が含まれる。本発明のヒト抗体はまた、放射性治療と併用して投与することもできる。
【００１６】
別の態様において、本発明は、組成物、例えば、薬学的に許容される担体および少なくとも１つのヒト抗ＰＳＭＡ抗体、またはその抗原結合部分を含む薬学的および診断的組成物／キットを提供する。ある態様において、組成物は、好ましくはそのそれぞれが別個のエピトープに結合するヒト抗体またはその抗原結合部分の組み合わせを含む。例えば、エフェクター細胞の存在下で標的細胞の死滅を高効率で媒介するヒトモノクローナル抗体を含む薬学的組成物は、ＰＳＭＡを発現する細胞の成長を阻害する他のヒトモノクローナル抗体を組み合わせることができる。したがって、その組み合わせは、最大治療利益を提供するように調節した多数の療法を提供する。本発明の少なくとも一種のヒト抗ＰＳＭＡ抗体またはその抗原結合部分と、少なくとも一種の本発明の二重特異性または多重特異性分子との組み合わせからなる薬学的組成物などの組成物も、本発明の範囲内である。
【００１７】
さらに別の態様において、本発明は、１以上の本発明のヒト抗体および/または関連する治療用組成物、上記抗体を含有する誘導体などを、ＰＳＭＡを発現する細胞に接触させる（例えば、被験体に投与する）ことによって、該細胞の増殖および/もしくは成長を阻害する方法、ならびに/またはＰＳＭＡを発現する細胞の死滅を誘発する方法を提供する。ある特定の態様では、その方法は、in vitroまたはin vivoにおいてＰＳＭＡを発現する細胞と本発明のヒト抗ＰＳＭＡ抗体とを、ヒトエフェクター細胞の存在下で接触させることを含む。その方法は、例えば、in vitroまたはex vivoにおいて、培養物（例えば、ＰＳＭＡを発現する細胞およびエフェクター細胞を含む培養物）中に用いることができる。例えば、ＰＳＭＡを発現する細胞およびエフェクター細胞を含有するサンプルをin vitroで培養し、本発明の抗体と組み合わせてもよい。あるいは、その方法を、例えば、in vivo（例えば、治療用または予防用の）プロトコルの一部として被験体に行うこともできる。
【００１８】
ＰＳＭＡが媒介する疾患のin vivoでの治療および予防での使用のために、本発明のヒト抗体の治療的に（例えば、ＰＳＭＡを発現する細胞の成長を阻害、除去または予防するために）有効な量を、抗体を基礎とした臨床的産物の好適な投与経路において、注射または点滴など当該技術において公知の方法によって、患者（例えば、ヒト被験体）に投与する。
【００１９】
したがって、本発明のヒト抗体は、ＰＳＭＡの発現を特徴とする種々の疾患を治療および/または予防するために、該疾患に罹患している患者に対して該抗体の好適な投与量（あるいは、一連の投与量）を投与することによって、用いることができる。本発明の方法および組成物を用いて治療（例えば、改善）または予防される疾患の例としては、限定されないが、前立腺癌、大腸癌、および腎臓癌腫などの癌があげられる。
【００２０】
本発明の特定の態様において、患者は、化学治療用物質、放射線またはＦｃレセプター、例えば、ＦｃαレセプターもしくはＦｃγレセプター、例えば、サイトカインの発現または活性を調節、例えば、増強させる物質を用いてさらに治療することができる。治療中、投与される典型的なサイトカインとしては、顆粒球コロニー刺激因子（Ｇ−ＣＳＦ）、顆粒球マクロファージコロニー刺激因子（ＧＭ−ＣＳＦ）、インターフェロン−γ（ＩＦＮ−γ）、および腫瘍壊死因子（ＴＮＦ）が含まれる。典型的な治療薬としては、とりわけ、ドキソルビシン（アドリアマイシン）、シスプラチン、硫酸ブレオマイシン、カルムスチン、クロランブシルおよびシクロホスファミド、ヒドロキシ尿素などの抗悪性腫瘍薬がある。 
【００２１】
さらに別の態様において、本発明は、例えばＰＳＭＡ関連疾患を診断するために、ＰＳＭＡまたはＰＳＭＡ発現細胞の存在をin vitro またはin vivoで検出する方法を提供する。この方法は、例えば、抗体とＰＳＭＡの間で複合体を形成することが可能な条件下で、検査すべきサンプルと任意に対照サンプルとを、本発明のヒトモノクローナル抗体（またはその抗原結合部分）に接触させることによって実現される。その後、複合体形成を検出する（例えば、ＥＬＩＳＡを用いて）。二つのサンプル中の複合体形成に統計学的に有意な差が現れれば、検査用サンプル中にＰＳＭＡが存在することが示される。
【００２２】
さらに別の局面において、本発明は、ＰＳＡＭに結合する完全ヒトモノクローナル抗体を発現するトランスジェニックマウス（「ＨｕＭＡｂマウス」とも呼ぶ）のようなトランスジェニック非ヒト動物を提供する。特定の態様において、トランスジェニック非ヒト動物は、本発明の抗ＰＳＭＡ抗体の全てもしくは一部をコードするヒト重鎖導入遺伝子およびヒト軽鎖導入遺伝子を含むゲノムを有するトランスジェニックマウスである。抗ＰＳＭＡ抗体を産生するため、ＰＳＭＡ抗原および／またはＰＳＭＡを発現する細胞の精製製剤または濃縮製剤を用いて、トランスジェニック非ヒト動物を免疫化することができる。好ましくは、トランスジェニック非ヒト動物、例えば、トランスジェニックマウスは、ＰＳＭＡに対するヒトモノクローナル抗体（例えば、ＩｇＧ、ＩｇＡ、および／またはＩｇＭ）の多数のアイソタイプを、Ｖ−Ｄ−Ｊ組換えおよびアイソタイプスイッチによって産生することができる。アイソタイプスイッチは、例えば、古典的または非古典的アイソタイプスイッチによって行う。
【００２３】
したがって、別の態様において、本発明は、上記のようにトランスジェニック非ヒト動物、例えば、抗ＰＳＭＡ抗体を発現するトランスジェニックマウスに由来する単離されたＢ細胞を提供する。次に、その単離されたＢ細胞は、不死化した細胞に融合させることによって不死化することができ、ヒト抗ＰＳＭＡ抗体の供給源（例えば、ハイブリドーマ）を作製することができる。そのようなハイブリドーマ（すなわち、ヒト抗ＰＳＭＡ抗体を作製する）もまた本発明の範囲に含まれる。
【００２４】
ここで例示されているように、ヒト抗ＰＳＭＡ抗体は、該抗体を発現するハイブリドーマから直接的に得ることができる。または、トランスフェクトーマ（transfectoma）（例えば、不死化したＣＨＯ細胞またはリンパ性細胞からなるトランスフェクトーマ）のような宿主細胞中にクローニングしたり、組換え的に発現させたりすることができる。したがって、本発明は、ヒトＰＳＭＡに結合するヒトモノクローナル抗体を作製する方法を提供する。特定の態様において、該方法は、トランスジェニック非ヒト動物、例えば、既に述べたように（例えば、抗ＰＳＭＡ抗体の全てもしくは一部をコードするヒト重鎖導入遺伝子およびヒト軽鎖導入遺伝子を含むゲノムを有する）トランスジェニックマウスを、ＰＳＭＡ抗原および/またはＰＳＭＡを発現する細胞の精製製剤または濃縮製剤を用いて免疫化することを含む。続いて、該動物のＢ細胞（例えば、脾臓Ｂ細胞）を取得し、ミエローマ細胞と融合し、ＰＳＭＡに対してヒトモノクローナル抗体を分泌する不死のハイブリドーマ細胞を作製する。
【００２５】
さらに別の局面において、本発明は、ヒトモノクローナル抗ＰＳＭＡ抗体の全てもしくは一部をコードする（例えば、該抗体の少なくとも１つの軽鎖および重鎖をコードする）核酸分子、ならびにそのような核酸を含む宿主細胞を組換え発現ベクター、およびそのようなベクターによってトランスフェクトされた宿主を提供する。そのような宿主細胞を培養することによって該抗体を産生する方法もまた本発明に包含される。本発明によって提供される特定の核酸は、配列番号１、３、５、７または９、および配列番号２、４、６、８または１０にそれぞれ示されているヌクレオチド配列を含み、それらはそれぞれヒト抗ＰＳＭＡ抗体（ＨｕＭＡｂ）４Ａ３、７Ｆ１２、８Ａ１１、８Ｃ１２および１６Ｆ９をコードしている。
【００２６】
本発明のその他の特徴および利点は、限定されるべきではないが、以下の発明の詳細な説明および前述の特許の請求範囲から明らかとなるであろう。本明細書全体において引用されている全ての引用文献、特許および公開された特許出願を本明細書中に引用によって援用する。
【００２７】
発明の詳細な説明
本発明は、前立腺特異性膜抗原（本明細書において、「ＰＳＭＡ」と呼ぶ）の発現を特徴とする疾患を治療および診断するための、新規抗体を基礎とした治療法を提供する。本発明の治療法には、ＰＳＭＡ上に存在するエピトープに結合する単離されたヒトモノクローナル抗体および/または該抗体を含有する関連組成物を用いる。本明細書において例示されている特定の態様において、そのヒト抗体は、Ｖ−Ｄ−Ｊ組換えおよびアイソタイプスイッチによって、ＰＳＭＡに対するヒトモノクローナル抗体（例えば、ＩｇＧ、ＩｇＡ、および／またはＩｇＥ）の多数のアイソタイプを産生することができるトランスジェニックマウスなどの非ヒトトランスジェニック動物中に産生される。したがって、本発明の各局面には、抗体および抗体フラグメント、およびその薬学的組成物のみならず、モノクローナル抗体を産生する非ヒトトランスジェニック動物、Ｂ細胞およびハイブリドーマが含まれる。本発明の抗体を用いた、ＰＳＭＡを発現する細胞を検出するため、またはin vitroあるいはin vivoのいずれかにおいて、ＰＳＭＡを発現する細胞の成長、分化、および／または運動性を阻害するための方法も本発明に包含される。
【００２８】
本発明をより理解しやすくするために、まず特定の用語を定義する。定義の追加は発明の詳細な説明全般に記載している。
【００２９】
「前立腺特異性膜抗原」、「ＰＳＭＡ」、および「ＰＳＭＡ抗原」という語は、本明細書において互換可能に用いられ、ヒトＰＳＭＡのバリアント、アイソフォーム、および種ホモログを含む。したがって、いくつかの例においては、本発明のヒト抗体は、ヒト以外の種またはヒトＰＳＭＡと構造的に関連する他の蛋白質からのＰＳＭＡ（例えば、ヒトＰＳＭＡホモログ）と交差反応する。別の例においては、該抗体は、ヒトＰＳＭＡに対して完全に特異的であり、種または他のタイプに対する交差反応性を示さない。
【００３０】
本明細書で使用されているところの「成長を阻害する」（例えば、細胞について述べる）という語は、抗ＰＳＭＡ抗体と接触させたとき、同細胞を抗ＰＳＭＡ抗体に接触させないときに比べて認められる、あらゆる測定可能な細胞の成長の減少を含むことが意図される。例えば、細胞の成長が、少なくとも１０％、２０％、３０％、４０％、５０％、６０％、７０％、８０％、９０％、９９％または１００％阻害される。
【００３１】
本明細書で用いられるところの「抗体」という用語は、抗体全体およびあらゆる抗原結合フラグメント（すなわち、「抗原結合部分」）またはそれらの一本鎖を含む。「抗体」は、ジスルフィド結合により内部結合した少なくとも二つの重（Ｈ）鎖と二つの軽（Ｌ）鎖を含む糖蛋白質、またはその抗原結合部分を意味する。各重鎖は、重鎖可変領域（ここではＶＨと略す）および重鎖定常領域からなる。重鎖定常領域は、ＣＨ１、ＣＨ２、ＣＨ３の３つのドメインからなる。各軽鎖は、軽鎖可変領域（ここではＶＬと略す）および軽鎖定常領域からなる。軽鎖定常領域は、ＣＬの１ドメインからなる。ＶＨおよびＶＬ領域は、さらに亜分類され、相補性決定領域（ＣＤＲ）と呼ばれる超可変領域と、フレームワーク領域（ＦＲ）と呼ばれるより保存された領域が点在している。各ＶＨおよびＶＬは３つのＣＤＲおよび４つのＦＲからなり、アミノ末端からカルボキシ末端に向かってＦＲ１、ＣＤＲ１、ＦＲ２、ＣＤＲ２、ＦＲ３、ＣＤＲ３、ＦＲ４の順に並んでいる。重鎖および軽鎖の可変領域は、抗原と相互作用する結合ドメインを含有する。抗体の定常領域は、免疫グロブリンと免疫系の各種細胞（例えば、エフェクター細胞）および古典補体系の第一成分（Ｃｌｑ）を含む宿主組織または因子の結合を媒介してもよい。
【００３２】
本明細書において用いられるところの、抗体の「抗原結合部分」（または単に「抗体部分」）という用語は、抗原（例えば、ＰＳＭＡ）に特異的に結合する能力を保持する抗体の一つ以上のフラグメントを意味する。抗体の抗原結合機能は、全長抗体のフラグメントにより実行されている可能性があることがわかっている。抗体の「抗原結合部分」という語に包含される結合フラグメントの例は、（i）Ｆａｂフラグメント、ＶＬ、ＶＨ、ＣＬ、およびＣＨ１ドメインからなる一価フラグメント、（ii）Ｆ（ａｂ’）２フラグメント、ヒンジ領域においてジスルフィド架橋により結合した二つのＦａｂフラグメントからなる二価フラグメント、（iii）ＶＨおよびＣＨ１ドメインからなるＦｄフラグメント、（iv）抗体の片腕のＶＬおよびＶＨドメインからなるＦｖフラグメント、（ｖ）ＶＨドメインからなるｄＡｂフラグメント（Wardら、（1989）Nature 341:544-546）、および（vi）単離された相補正決定領域（ＣＤＲ）、を含む。さらに、Ｆｖフラグメントの２つのドメインであるＶＬおよびＶＨは別々の遺伝子でコードされているが、組換え法を用いて、ＶＬおよびＶＨ領域を対にして一価分子を形成する蛋白質一本鎖に作製できるような合成リンカーにより、ＶＬおよびＶＨを結合させることができる（一本鎖Ｆｖ（ｓｃＦｖ）として知られている；例えばBirdら、（1988） Science 242:423-426； およびHustonら、（1988） Proc. Natl. Acad. Sci. USA 85:5879-5883を参照）。そのような一本鎖抗体も、抗体の「抗原結合部分」という用語に包含されることが意図されている。このような抗体フラグメントは、当該技術分野において公知の従来技術を用いて得られ、そのフラグメントを使用のためにスクリーニングする方法はインタクト抗体の場合と同じである。
【００３３】
「エピトープ」と言う用語は、抗体に結合することが可能な蛋白質決定因子を意味する。エピトープは通常、アミノ酸または糖側鎖などの分子の化学的に活性な表面の基からなり、通常特異的な３次元構造的特徴、ならびに特異的な電荷的特徴を有している。高次構造エピトープと非高次構造エピトープとは、後者に対する結合はそうではないが、前者に対する結合は変性溶媒中で失われる点において区別される。
【００３４】
「未変性の高次構造エピトープ」または「未変性の蛋白質エピトープ」は、本明細書において互換可能に用いられており、ＰＳＭＡ分子の直線状配列の異なる部分からのアミノ酸どうしが３次元的空間において近接するときに生じるＰＳＭＡ分子の高次構造の折り畳みから得られた蛋白質エピトープを含む。そのような高次構造エピトープは、原形質膜の細胞膜外の側に位置している。
【００３５】
「二重特異性分子」という用語は、二種類の異なる結合特異性部分を有する蛋白質、ペプチド、または蛋白質もしくはペプチド複合体などの物質を含むことを意図する。例えば、該分子は、（ａ）細胞表面抗原、および（ｂ）エフェクター細胞表面上のＦｃレセプターと結合または相互作用する。「多重特異性分子」または「ヘテロ特異性分子」という用語は、二種類を超える異なる結合特異性部分を有する蛋白質、ペプチド、または蛋白質もしくはペプチド複合体などの物質を含むことを意図する。例えば、該分子は、（ａ）細胞表面抗原、（ｂ）エフェクター細胞表面上のＦｃレセプター、および（ｃ）少なくとも一種類のその他の成分と結合または相互作用することができる。したがって、本発明は、限定されないが、ＰＳＭＡなどの細胞表面抗原、およびエフェクター細胞上のＦｃレセプターのような他の標的に方向付けられた二重特異性、三重特異性、四重特異性、およびその他の多重特異性分子を含む。
【００３６】
「二重特異性抗体」という語はさらにディアボディ（diabodies）も含む。ディアボディとは、二価、二重特異性の抗体で、ＶＨおよびＶＬドメインがポリペプチド一本鎖上に発現しているが、同一鎖上の２ドメインを対にするには短すぎるリンカーを用いて、それによって、該ドメインを別鎖の相補性ドメインと対にさせ、二箇所の抗原結合部位を作製することができる抗体である（例えば、Holliger, P.,ら、（1993） Proc. Natl. Acad. Sci. USA 90:6444-6448； Poljak, R.J.,ら、（1994） Structure 2:1121-1123参照）。
【００３７】
用語「ヒト抗体誘導体」は、あらゆる改変された形態の抗体、例えば、抗体と別の物質または抗体との複合体を意味する。
【００３８】
本明細書において用いられるように、例えば、ヒト免疫グロブリン遺伝子を保有するトランスジェニックマウスを免疫化することによって、またはヒト免疫グロブリン遺伝子ライブラリをスクリーニングすることによって、ヒト免疫グロブリン配列を用いた系から抗体が得られる場合、ヒト抗体は特定の生殖細胞系列配列に「由来する」。ヒト生殖細胞系列免疫グロブリンに「由来する」ヒト抗体は、ヒト抗体のアミノ酸配列をヒト生殖細胞系列免疫グロブリンのアミノ酸配列と比較することによるなどして同定することができる。選択されたヒト抗体は、典型的にヒト生殖細胞系列免疫グロブリン遺伝子によってコードされるアミノ酸配列と、アミノ酸配列において少なくとも９０％一致し、他の種（例えば、マウス生殖細胞系列配列）の生殖細胞系列免疫グロブリンのアミノ酸配列と比較したとき、該ヒト抗体をヒトであるとして同定するアミノ酸残基を含有している。いくつかの例では、ヒト抗体は、アミノ酸配列において少なくとも９５％、さらには９６％、９７％、９８％、または９９％が、生殖細胞系列免疫グロブリン遺伝子によってコードされるアミノ酸配列に一致する。典型的に、特定の生殖細胞系列免疫グロブリンに由来するヒト抗体は、ヒト生殖細胞系列免疫グロブリン遺伝子によってコードされるアミノ酸配列とわずか１０アミノ酸が違うだけである。いくつかの例では、該ヒト抗体は、ヒト生殖細胞系列免疫グロブリン遺伝子によってコードされるアミノ酸配列と、わずか５、さらにはわずかに４、３、２もしくは１アミノ酸が違うだけである。
【００３９】
本明細書において用いられる「ヘテロ抗体」という用語は、二つ以上の抗体、抗体結合フラグメント（例えば、Ｆａｂ）、それらの誘導体、または相互に結合している抗原結合領域で、そのうち少なくとも二つが異なる特異性部分を有するものを意味する。これらの異なる特異性部分には、エフェクター細胞上のＦｃレセプターへの結合特異部分、および例えば腫瘍細胞などの標的細胞上の抗原またはエピトープへの結合特異性部分が含まれる。本明細書で用いられる「ヒト抗体」という用語は、ヒト生殖細胞系列免疫グロブリン配列由来の可変領域および定常領域を有する抗体を含むことが意図される。本発明の「ヒト抗体」は、ヒト生殖細胞系列免疫グロブリン配列によりコードされていないアミノ酸残基（例えば、in vitroにおける無作為または部位特異的突然変異誘発により導入された突然変異、またはin vivoにおける体細胞突然変異による突然変異）を含んでもよい。しかしながら、本明細書において用いられる「ヒト抗体」という用語は、マウスなど他の哺乳動物の生殖細胞系列由来のＣＤＲ配列をヒトフレームワーク配列に移植した抗体を含むことは意図されない。
【００４０】
本明細書において用いられる「モノクローナル抗体」または「モノクローナル抗体組成物」という用語は、単一分子組成物の抗体分子の調製物を意味する。モノクローナル抗体組成物は、特定のエピトープへの単一の結合特異性および親和性を示す。したがって、「ヒトモノクローナル抗体」という用語は、ヒト生殖細胞系列免疫グロブリン配列由来の可変領域および定常領域を有する、単一の結合特異性を示す抗体のことを意味する。ある態様において、そのヒトモノクローナル抗体は、不死化された細胞に融合させたヒト重鎖導入遺伝子および軽鎖導入遺伝子を含むゲノムを有する、例えば、トランスジェニックマウスなどのトランスジェニック非ヒト動物から得たＢ細胞を含むハイブリドーマにより産生される。
【００４１】
本明細書で用いられる「組換えヒト抗体」という用語は、（ａ）ヒト免疫グロブリン遺伝子またはそれから作製されたハイブリドーマの、遺伝子導入または染色体導入された動物（例えばマウスなど）から単離した抗体（以下の第Ｉ節にさらに詳述する）、（ｂ）抗体を発現するように形質転換された宿主細胞、例えば、トランスフェクトーマから単離された抗体、（ｃ）組換え体、コンビナトリアルヒト抗体ライブラリから単離された抗体、および（ｄ）ヒト免疫グロブリン遺伝子配列のＤＮＡ配列へのスプライシングに関与するその他の手段により調製、発現、産生または単離された抗体など、遺伝子組換え手段により調製、発現、産生または単離されたすべてのヒト抗体を含むことを意図する。このような組換えヒト抗体は、ヒト生殖細胞系列免疫グロブリン配列由来の可変領域および定常領域を有する。しかしながら、いくつかの態様において、このような組換えヒト抗体は、in vitroにおける突然変異誘発（またはヒトＩｇ配列を遺伝子導入した動物を用いる場合、in vivo体細胞突然変異誘発）を受けることがあり得、よって組換え抗体のＶＨおよびＶＬ領域のアミノ酸配列は、ヒト生殖細胞系列ＶＨおよびＶＬ配列に由来し関連している一方、in vivoにおけるヒト抗体生殖細胞系列の天然のレパートリには存在しないことがある。
【００４２】
本明細書で用いられる「異種抗体」は、このような抗体を産生するトランスジェニック非ヒト生物に関連して定義される。この用語は、トランスジェニック非ヒト動物を含まない生物で見られるアミノ酸配列またはコード核酸配列と一致し、一般にトランスジェニック非ヒト動物以外の種に由来するアミノ酸配列またはコード核酸配列を有する抗体を意味する。
【００４３】
本明細書で用いられる「ヘテロハイブリッド抗体」は、異なる生物起源の軽鎖および重鎖を有する抗体を意味する。例えば、マウス軽鎖に会合しているヒト重鎖を有する抗体は、ヘテロハイブリッド抗体である。ヘテロハイブリッド抗体の例としては、上述したように、キメラ抗体およびヒト化抗体があげられる。
【００４４】
本明細書で用いられる「単離された抗体」とは、異なる抗原特異性を有するその他の抗体を実質的に含まない抗体を意味することが意図される（例えば、ＰＳＭＡに特異的に結合する単離された抗体は、ＰＳＭＡ以外の抗原に特異的に結合する抗体を実質的に含まない）。しかしながら、ヒトＰＳＭＡのエピトープ、アイソフォーム、またはバリアントに特異的に結合する単離された抗体は、例えば、他の種（例えば、ＰＳＭＡ種ホモログ）からの他の関連抗原に対して交差反応性を有する。さらに、単離された抗体は、他の細胞性物質および/または化学物質も実質的に含まなくてもよい。本発明のある態様において、異なる特異性を有する「単離された」モノクローナル抗体の組み合わせは、明確な組成に組み合わされている。
【００４５】
本明細書において用いられる「特異的結合」は、所定の抗原に抗体が結合することを意味する。典型的に、抗体は、解離定数（ＫＤ）１０−７Ｍ以下で結合するが、所定の抗原に対しては、所定の抗原または関連性の高い抗原以外の非特異性抗原（例えば、ＢＳＡ、カゼイン）に結合する場合のＫＤの少なくとも２倍低いＫＤで結合する。「抗原を認識する抗体」および「抗原特異的抗体」という表現は、本明細書において、「抗原に特異的に結合する抗体」という表現と互換可能に用いられる。
【００４６】
本明細書で用いられるＩｇＧ抗体への「高親和性」という用語は、ＫＤが１０−８Ｍ以下、より好ましくは１０−９Ｍ以下、さらに好ましくは１０−１０Ｍ以下である抗体、結合親和性が少なくとも約１０７Ｍ−１、好ましくは少なくとも約１０９Ｍ−１、さらに好ましくは少なくとも約１０１０Ｍ−１、１０１１Ｍ−１、１０１２Ｍ−１以上、または、例えば１０１３Ｍ−１以上の抗体について言うのに用いられる。しかしながら、その他の抗体アイソタイプの「高親和性」結合は変化することもある。例えば、ＩｇＭアイソタイプの「高親和性」結合とは、抗体が１０−７Ｍ以下、より好ましくは１０−８Ｍ以下のＫＤで結合することを言う。
【００４７】
本明細書で用いられる「Ｋａｓｓｏｃ」または「Ｋａ」という語は、特定の抗体抗原相互作用の会合定数を意味するものと意図され、一方、本明細書で用いられる「Ｋｄｉｓ」または「Ｋｄ」という語は、特定の抗体抗原相互作用の解離定数を意味するものと意図される。本明細書で用いられる「ＫＤ」は、Ｋｄ対Ｋａの比率（すなわち、Ｋｄ／Ｋａ）から得られる解離定数を意味することが意図されており、分子濃度（Ｍ）として表される。
【００４８】
本明細書において用いられる「アイソタイプ」とは、重鎖定常領域遺伝子によりコードされた抗体クラス（例えば、ＩｇＭまたはＩｇＧ１）を意味する。
【００４９】
本明細書において用いられる「アイソタイプスイッチ」とは、抗体のクラスまたはアイソタイプが、あるＩｇクラスから別のＩｇクラスへ変化する現象を意味する。
【００５０】
本明細書において用いられる「非スイッチアイソタイプ」とは、アイソタイプスイッチが生じない場合に産生される重鎖のアイソタイプクラスで、非スイッチアイソタイプをコードするＣＨ遺伝子は、典型的に機能的に再編成されたＶＤＪ遺伝子の直下流の第一ＣＨ遺伝子である。アイソタイプスイッチは、古典的または非古典的アイソタイプスイッチに分類される。古典的アイソタイプスイッチは、導入遺伝子中の少なくとも一つのスイッチ配列領域に関与する組換え事象により生じる。非古典的アイソタイプスイッチは、例えば、ヒトσμおよびヒトΣμの同種組換えにより生じると考えられる（δ関連欠失）。導入遺伝子間および/または染色体間組換えなどの代替的な非古典的スイッチのメカニズムは、とりわけアイソタイプスイッチを引き起こすと考えられる。
【００５１】
本明細書において用いられる「スイッチ配列」という用語は、スイッチ組換えを担うＤＮＡ配列を意味する。「スイッチドナー」配列、典型的にμスイッチ領域は、スイッチ組換え中に消去される構成領域の５'側（すなわち上流）であろう。「スイッチアクセプタ」領域は、消去される構成領域と置換される定常領域（例えば、γ、εなど）の間にあるであろう。組換えが常に生じる特異的部位は存在しないため、最終的な遺伝子配列は、典型的にその作製物からは予測できないであろう。
【００５２】
本明細書において用いられる「グリコシル化パターン」とは、蛋白質、特に免疫グロブリン蛋白質に共有結合する糖ユニットのパターンと定義される。異種抗体のグリコシル化パターンは、当業者が異種抗体のグリコシル化パターンが導入遺伝子のＣＨ遺伝子が由来する種よりも非ヒトトランスジェニック動物の種における前記グリコシル化パターンの方が類似しているであろうと認識する場合に、非ヒトトランスジェニック動物種により産生された抗体上に自然に発生するグリコシル化パターンと実質的に同様であると特徴づけることができる。
【００５３】
本明細書において用いられるある物質に適用される「自然発生」という用語は、ある物質が自然に見出される可能性があるという事実を意味する。例えば、自然資源から単離され、研究室で人為的に修飾されていない生物（ウィルスも含む）に存在するポリペプチドまたはポリヌクレオチドは、自然発生である。
【００５４】
本明細書において用いられる「再編成」という用語は、Ｖセグメントが完全ＶＨまたはＶＬドメインを基本的にコードしている高次構造中のＤ-ＪまたはＪセグメントそれぞれの直ぐ近くに位置する場合の重鎖または軽鎖免疫グロブリンの遺伝子座の構成を意味する。再編成免疫グロブリン遺伝子座は、生殖細胞系列ＤＮＡとの比較により明らかにすることが可能で、再編成遺伝子座は少なくとも一つの組換え七量体／九量体と相同的な要素を有するであろう。
【００５５】
Ｖセグメントに関連してここに用いられる「未再編成」または「生殖細胞系列構成」という用語は、Ｖセグメントが直ぐ近くのＤまたはＪセグメントになるように再結合しない場合の構成を意味する。
【００５６】
本明細書において用いられる「核酸分子」という用語は、ＤＮＡ分子またはＲＮＡ分子を含むことを意図する。核酸分子は、一本鎖または二本鎖であってよいが、好ましくは二重鎖ＤＮＡである。
【００５７】
ＰＳＭＡに結合する抗体または抗体部分（例えば、ＶＨ、ＶＬ、ＣＤＲ３）をコードする核酸に関連して本明細書において用いられる「単離核酸分子」という用語は、抗体または抗体部分をコードするヌクレオチド配列がＰＳＭＡ以外の抗原に結合する抗体または抗体部分をコードするその他のヌクレオチド配列を含まず、他の配列がヒトゲノムＤＮＡ中の核酸に自然に隣接してもよい、核酸分子を意味することが意図される。ある態様において、ヒト抗ＰＳＭＡモノクローナル抗体またはその部分は、４Ａ３、７Ｆ１２、８Ａ１１、８Ｃ１２または１６Ｆ９のヌクレオチドまたはアミノ酸配列、ならびに配列番号１、３、５、７または９、および２、４、６、８または１０にそれぞれ示される配列をもつ重鎖（ＶＨ）及び軽鎖（ＶＬ）可変領域を含む。
【００５８】
ここに開示され、クレームされているように、配列番号１〜５８に示されている配列は、「保存的配列改変」、すなわち、ヌクレオチド配列によってコードされた、またはアミノ酸配列を含む抗体の結合特性に有意に影響を及ぼさない、または変更しないヌクレオチドおよびアミノ酸配列改変を含む。そのような保存的配列改変は、ヌクレオチドおよびアミノ酸の置換、付加および欠失を含む。改変は、当該技術分野において公知の標準的な方法、例えば、部位特異的突然変異誘発およびＰＣＲ媒介性突然変異誘発によって、配列番号１〜５８に導入することができる。保存的アミノ酸置換は、アミノ酸残基が類似する側鎖を有するアミノ酸残基によって置換されたものを含む。類似の側鎖を有するアミノ酸残基のファミリーは、当該技術分野において定義されている。これらのファミリーには、塩基側鎖（例えば、リジンアルギニン、ヒスチジン）、酸性側鎖（例えば、アスパラギン酸、グルタミン酸）、無電荷極性側鎖（例えば、グリシン、アスパラギン、グルタミン、セリン、トレオニン、チロシン、システイン、トリプトファン）、非極性側鎖（例えば、アラニン、バリン、ロイシン、イソロイシン、プロリン、フェニルアラニン、メチオニン）、ベータ分枝側鎖（例えば、トレオニン、バリン、イソロイシン）、および芳香族側鎖（例えば、チロシン、フェニルアラニン、トリプトファン、ヒスチジン）が含まれる。したがって、ヒト抗ＰＳＭＡ抗体の予想される非必須アミノ酸残基は、同じ側鎖ファミリーの別のアミノ酸残基によって置換されることが好ましい。
【００５９】
あるいは、別の態様において、突然変異は、抗ＰＳＭＡ抗体コード領域の全てまたは一部に沿って、例えば、飽和突然変異誘発などによって、ランダムに導入することができ、得られた改変された抗ＰＳＭＡ抗体を、結合活性に関してスクリーニングすることができる。
【００６０】
したがって、本明細書において開示されている（重鎖および軽鎖可変領域）ヌクレオチド配列によってコードされた、および/または本明細書において開示されている（重鎖および軽鎖可変領域）ヌクレオチド配列を含む抗体（すなわち、配列番号１〜５０）は、保存的に改変された類似の配列によってコードされているか、またはそれを含んだ実質的に類似する抗体を含む。本明細書に記載の、配列番号１〜５０に示されるような、部分的（すなわち、重鎖および軽鎖可変領域の）配列を基に、どのようにして上記実質的に類似する抗体を作製することができるかについて以下において説明する。
【００６１】
核酸について、「実質的相同性」という用語は、二つの核酸またはそれを示す配列が、それらを最適に並べて比較したときに、ヌクレオチドの挿入または消去が適切で、ヌクレオチドの少なくとも約８０％、通常は少なくとも約９０％〜９５％、さらに好ましくはヌクレオチドの少なくとも約９８％〜９９．５％において同一であることを示す。また、実質的相同性があるのは、特定のハイブリダイゼーションの条件下で、そのセグメントがその鎖の相補体とハイブリダイズするような場合である。
【００６２】
２つの配列の同一性の割合は、その２つの配列が共有する同一位置数の関数であり（つまり、相同性の％＝同一位置数＃／全位置数＃×１００）、その２つの配列の最適アラインメントのために導入が必要なギャップ数および各ギャップの長さを考慮する。配列の比較と２つの配列の同一性の割合を決定するために、実施例に後述されるがそれに限定されない数学的アルゴリズムを用いることができる。
【００６３】
二つのヌクレオチド配列間の同一性の割合は、ＧＣＧソフトウェアパッケージのＧＡＰプログラム（http://www.gcg.comから入手）を用い、ＮＷＳｇａｐＤＮＡ．ＣＭＰ行列およびギャップ重量４０、５０、６０、７０、または８０および長さ重量１、２、３、４、５または６を用いて求めることができる。二つのヌクレオチドまたはアミノ酸配列間の同一性の割合は、ＡＬＩＧＮプログラム（バージョン２．０）に組み込まれているE. MeyersおよびW. Miller（Comput. Appl. Biosci., 4:11-17（1988））のアルゴリズムを用いて、ＰＡＭ１２０重量残基表、ギャップ長ペナルティ１２およびギャップペナルティ４を用いて求めることもできる。さらに、二つのアミノ酸配列間の同一性の割合は、ＧＣＧソフトウェアパッケージのＧＡＰプログラム（http://www.gcg.comから入手）に組み込まれているNeedlemanおよびWunsch（J. Mol. Biol. （48）:444-453 （1970）） のアルゴリズムを用い、Blossum６２行列またはＰＡＭ２５０行列のいずれか、およびギャップ重量１６、１４、１２、１０、８、６または４および長さ重量１、２、３、４、５または６を用いて求めることができる。
【００６４】
本発明の核酸および蛋白質配列は、例えば、関連配列などを公的データベースから検索するための「クエリー配列」としてさらに用いることができる。このような検索はAltschulら（1990） J. Mol. Biol. 215:403-10のＮＢＬＡＳＴおよびＸＢＬＡＳＴプログラム（バージョン２．０）を用いて行うことができる。ＢＬＡＳＴ核酸検索は、ＮＢＬＡＳＴプログラム、スコア＝１００、ワード長＝１２を用いて行い、本発明の核酸分子に相同な核酸配列を得ることができる。ＢＬＡＳＴ蛋白質検索は、ＸＢＬＡＳＴプログラム、スコア＝５０、ワード長＝３を用いて行い、本発明の蛋白質分子に相同なアミノ酸配列を得ることができる。比較のためにギャップの入ったアラインメントを得るために、Altschulら（1997） Nucleic Acids Res. 25（17）:3389-3402に記載のＧａｐｐｅｄ ＢＬＡＳＴを使用することもできる。ＢＬＡＳＴプログラムおよびＧａｐｐｅｄ ＢＬＡＳＴプログラムを使用する際に、それぞれのプログラム（ＸＢＬＡＳＴおよびＮＢＬＡＳＴ）のデフォルトパラメータを用いることができる。http://www.ncbi.nlm.nih.gov参照。
【００６５】
核酸は細胞全体、細胞ライセート中、または部分的に精製した状態または実質的に純粋な状態で存在してよい。核酸が「単離される」または「実質的に純粋な状態である」のは、アルカリ／ＳＤＳ処理、ＣｓＣｌバンド形成、カラムクロマトグラフィ、アガロースゲル電気泳動法およびその他の当該技術分野において公知の標準技術により、その他の細胞成分、または他の夾雑物、例えば、その他の細胞核酸または蛋白質などを取り除いて精製した場合である。F. Ausubelら、ed. Current Protocols in Molecular Biology, Greene Publishing and Wiley Interscience, New York （1987）参照。
【００６６】
本発明の核酸組成物は、天然配列（改変された制限部位などは除く）中にある場合が多いが、ｃＤＮＡ、ゲノム、または混合物のいずれかから得られたものを、遺伝子配列を提供する標準技術に従って突然変異させてよい。配列をコードするために、これらの突然バリアントがアミノ酸配列に適切に作用してよい。特に、天然Ｖ、Ｊ、Ｄ、定常、スイッチおよびここに記載のその他のこのような配列に実質的に相同な、またはそれらに由来するＤＮＡ配列を意図する（ここで、「由来する」とは、ある配列が他の配列と同一、または他の配列から変更されたことを示す）。
【００６７】
核酸が別の核酸配列と機能的な関係に置かれる場合、その核酸は「作用可能に結合」している。例えば、プロモーターまたはエンハンサーがコード配列の転写に作用する場合には、そのプロモーターまたはエンハンサーはそのコード配列に作用可能に結合している。転写抑制配列に関して作用可能に結合するとは、結合しているＤＮＡ配列は隣接しており、二つの蛋白質コード領域が結合する必要がある場合には隣接してリーディングフレームの中にあるということを意味する。スイッチ配列の場合には、作用可能に結合するとは配列がスイッチ組換えに影響を与えることができることを示す。
【００６８】
ここで用いられる「ベクター」とは、それに結合している別の核酸を輸送できる核酸のことを意味することを意図する。ベクターの一種である「プラスミド」は、追加ＤＮＡセグメントをライゲートすることができる、環状二本鎖ＤＮＡループを意味する。ウィルスベクターは別種のベクターで、追加ＤＮＡセグメントをウィルスゲノムにライゲートすることができる。あるベクターは導入された宿主細胞内で自己複製することができる（例えば、複製の細菌起源を有する細菌ベクターおよびエピソーム哺乳類ベクターなど）。その他のベクター（例えば、非エピソーム哺乳類ベクターなど）は、宿主細胞に導入されると、宿主細胞のゲノムに組み込まれ、それによって宿主ゲノムとともに複製される。さらに、いくつかのベクターは、作用可能に結合している位置に遺伝子の発現を方向付けることができる。このようなベクターをここでは「組換え発現ベクター」（または単に「発現ベクター」）と呼ぶ。一般に、組換えＤＮＡ技術に用いることができる発現ベクターはプラスミドの形状であることが多い。プラスミドはベクターとして用いられることが一般的であることから、本明細書では「プラスミド」および「ベクター」は、互換可能に使用してもよい。しかし、本発明では、等価に機能するウィルスベクター（例えば、複製欠失レトロウィルス、アデノウィルス、およびアデノ関連ウィルス）などのその他の発現ベクターの形状を含むことを意図する。
【００６９】
ここで用いられる「組換え宿主細胞」（または単に「宿主細胞」）は、組換え発現ベクターが導入される細胞を意味することを意図する。このような用語は、特定の対象細胞だけでなく、このような細胞の後代も意味することを意図すると理解されなければならない。突然変異または環境の影響により次世代に特定の変更が生じるため、このような後代は実際には親細胞と同一ではないこともあるが、それでもここにで用いられる「宿主細胞」という用語の範囲内に含む。組換え宿主細胞は、例えば、ＣＨＯ細胞およびリンパ球細胞を含む。
【００７０】
本明細書において用いられる「被験体」という用語は、ヒトおよび非ヒト動物を含むことを意図する。「非ヒト動物」という用語には、例えば、非ヒト霊長目、ヒツジ、イヌ、ウシ、ニワトリ、両生類、爬虫類などの、哺乳類および非哺乳類などの脊椎動物すべてが含まれる。
【００７１】
「トランスジェニック非ヒト動物」という語は、1以上のヒト重鎖および/または軽鎖導入遺伝子または導入染色体（動物の天然のゲノムＤＮＡに組み込まれている、もしくは組み込まれていない）を含むゲノムを有し、完全なヒト抗体を発現することができる非ヒト動物を意味する。例えば、トランスジェニックマウスは、ヒト軽鎖導入遺伝子と、ヒト重鎖導入遺伝子またはヒト重鎖導入染色体を持ち、ＰＳＭ抗原および/またはＰＳＭＡを発現する細胞で免疫化されたとき、マウスがヒト抗ＰＳＭＡ抗体を産生することができる。ヒト重鎖導入遺伝子は、トランスジェニック、例えば、ＨｕＭＡｂマウス、またはヒト重鎖導入遺伝子が染色体外で維持されることができるように、ＰＣＴ国際公開WO 02/43478号に記載の染色体導入（例えば、ＫＭ）マウスのように、マウスの染色体ＤＮＡに導入することができる。そのようなトランスジェニックマウスおよび染色体導入マウスは、Ｖ−Ｄ−Ｊ組換えおよびイソタイプスイッチを行うことにより、複数のＰＳＭＡに対するヒトモノクローナル抗体（例えば、ＩｇＧ、ＩｇＡおよび/またはＩｇＥ）を産生することができる。
【００７２】
本発明の種々の局面を以下のサブセクションにおいて詳細に説明する。
【００７３】
I．ＰＳＭＡに対するヒト抗体の産生 
本発明のモノクローナル抗体（ｍＡｂ）は、例えば、KohlerおよびMilstein、Nature 256: 495（1975）の標準的な体細胞ハイブリダイズ技術など、従来のモノクローナル抗体産生法を含む様々な技術により産生することができる。体細胞ハイブリダイズ法が好ましいが、原理的には、例えば、Ｂリンパ球のウィルス性または腫瘍性形質転換などの、他のモノクローナル抗体産生技術を用いることができる。
【００７４】
ハイブリドーマ調製のために好ましい動物系は、マウス系である。マウスにおけるハイブリドーマ産生は、非常によく確立された手順である。免疫化プロトコルおよび融合用の免疫化脾細胞の単離技術は当該技術分野において公知である。融合のパートナー（例えば、マウスミエローマ細胞）および融合方法も公知である。
【００７５】
ある好ましい態様において、ＰＳＭＡに対するヒトモノクローナル抗体は、マウス系ではなくむしろヒト免疫系の一部分を保持するトランスジェニックマウスまたは染色体導入マウスを用いて産生させることができる。トランスジェニックマウスおよび染色体導入マウスを、本明細書において、ＨｕＭＡｂマウスおよびＫＭマウスとそれぞれ呼び、それらを集合的に本明細書においては「トランスジェニックマウス」と呼んでいる。
【００７６】
ＨｕＭＡｂマウスは、未再編成のヒト重鎖（μおよびγ）およびκ軽鎖免疫グロブリン配列をコードするヒト免疫グロブリン遺伝子小座、あわせて、内因性μおよびκ鎖遺伝子座を不活化する標的化された突然変異を有する（Lonberg, N.ら（1994） Nature 368（6474）: 856-859）。したがって、当該マウスはマウスＩｇＭまたはκの発現の低下を示し、免疫化に応答して、導入されたヒト重鎖および軽鎖導入遺伝子は、クラススイッチおよび体細胞突然変異を起こし、高親和性ヒトＩｇＧκモノクローナルを産生する（Lonberg、 N.ら （1994）、前掲；reviewed in Lonberg、N.（1994） Handbook of Experimental Pharmacology 113：49-101； Lonberg、 N. and Huszar、D.（1995） Intern. Rev. Immunol. Vol. 13： 65-93、and Harding、 F. and Lonberg、N.（1995）Ann. N.Y. Acad. Sci 764：536-546）。ＨｕＭＡｂマウスの調製は、下記のII、およびTaylor、 L. ら、（1992） Nucleic Acids Research 20：6287-6295； Chen、J.ら、（1993） International Immunology 5： 647-656； Tuaillon ら、（1993） Proc. Natl. Acad. Sci USA 90：3720-3724；Choi ら （1993） Nature Genetics 4：117-123； Chen、J.ら（1993） EMBO J. 12： 821-830；Tuaillon ら（1994） J. Immunol. 152：2912-2920； Lonbergら、（1994） Nature 368（6474）： 856-859； Lonberg、 N. （1994） Handbook of Experimental Pharmacology 113：49-101； Taylor、L.ら（1994） International Immunology 6： 579-591； Lonberg、 N. and Huszar、 D.（1995） Intern. Rev. Immunol. Vol. 13： 65-93； Harding、 F. and Lonberg、 N. （1995） Ann. N.Y. Acad. Sci 764：536-546；Fishwild、 D. ら（1996） Nature Biotechnology 14：845-851に詳述され、すべての内容はそれらの全体を引用によって本明細書に援用する。さらに、LonbergおよびKay、ならびにGenPharm Internationalに属する米国特許第5,545,806号、第5,569,825号、第5,625,126号、第5,633,425号、第5,789,650号、第5,877,397号、第5,661,016号、第5,814,318号、第5,874,299号、および第5,770,429号、Suraniらに属する米国特許第5,545,807号、1998年6月11日公表の国際特許出願第WO 98/24884号、1994年11月10日公表の第WO 94/25585号、1993年6月24日公表の第WO 93/1227号、1992年12月23日公表の第WO 92/22645号、1992年3月19日公表の第WO 92/03918号を参照され、そのすべての開示はそれら全体を引用によって援用する。また、実施例２に記載のＨＣＯ１２トランスジェニックマウスを、ヒト抗ＰＳＭＡ抗体を産生するために用いることができる。
【００７７】
免疫化 
ＰＳＭＡに対する完全なヒトモノクローナル抗体を産生するために、Lonberg, N.ら（1994） Nature 368（6474）: 856-859； Fishwild, D. ら（1996） Nature Biotechnology 14: 845-851 およびＰＣＴ国際公開98/24884号に記載の通り、ＰＳＭＡ抗原および／またはＰＳＭＡを発現する細胞の精製製剤または濃縮製剤を用いて、ＨｕＭＡｂマウスを免疫化することができる。そのマウスは、初回注射時には生後６〜１６週であると好ましいであろう。例えば、ＰＳＭＡ抗原の精製製剤または濃縮製剤（５〜２０μｇ）（例えば、ＰＳＭＡ発現ＬＮＣａＰ細胞から精製したもの）を腹腔内投与してＨｕＭＡｂマウスを免疫化することができる。ＰＳＭＡ抗原の精製製剤または濃縮製剤を用いた免疫化が抗体を産生しない場合、マウスを例えば腫瘍細胞系列などのＰＳＭＡ発現細胞で免疫化し、免疫応答を促進させてもよい。
【００７８】
様々な抗原を用いた経験の蓄積から、ＨｕＭＡｂトランスジェニックマウスの免疫応答が最もよいのは、初めに完全フロインドアジュバント中の抗原の腹腔内投与（ＩＰ）により免疫化してから、不完全フロインドアジュバント中の抗原を隔週で（合計６回まで）ＩＰ免疫化し、次いで、不完全フロインドアジュバント中の抗原を隔週で（合計１０回まで）ＩＰ/ＳＰ免疫化したときであることがわかっている。免疫応答は、眼窩後方を採血して得られた血漿サンプルを、免疫化プロトコルの経過にわたってモニターすることができる。血漿をＥＬＩＳＡによってスクリーニングし（後述の通り）、抗ＰＳＭＡヒト免疫グロブリンの力価が十分なマウスを融合に使用することができる。マウスは、抗原を静脈注射してから３日後に殺し脾臓を摘出する。各抗原について２から３回の融合を行うことが必要であろうと予測される。数匹のマウスを各抗原で免疫化する。例えば、ＨＣ０７およびＨＣ０１２株のＨｕＭＡｂマウス合計１２匹を免疫化してもよい。
【００７９】
ＰＳＭＡに対するヒトモノクローナル抗体を産生するハイブリドーマの作製
ＰＳＭＡに対するヒトモノクローナル抗体を産生するハイブリドーマを作製するために、免疫化されたマウスから、脾細胞とリンパ節細胞を単離し、適切な不死化細胞系列、例えば、マウスミエローマ細胞系列に融合することができる。得られたハイブリドーマを、抗原特異性抗体を産生するためにスクリーニングすることができる。例えば、免疫化されたマウスからの脾臓リンパ球の単一細胞懸濁液を、５０％ＰＥＧとともに、Ｐ３Ｘ６３−Ａｇ８．６５３非分泌マウス悪性腫瘍細胞（ＡＴＣＣ、ＣＲＬ １５８０）の数の１／６に融合させることができる。細胞を平底のマイクロタイタープレートに約２×１０５個播いてから、２０％胎性クローン血清、１８％“６５３”調整培地、５％オリゲン（ＩＧＥＮ）、４ｍＭ Ｌ−グルタミン、１ｍＭ Ｌ−グルタミン、１ｍＭピルビン酸ナトリウム、５ｍＭ ＨＥＰＥＳ、０．０５５ｍＭ ２−メルカプトエタノール、５０ユニット／ｍｌペニシリン、５０ｍｇ／ｍｌストレプトマイシン、５０ｍｇ／ｍｌゲンタマイシン、および１Ｘ ＨＡＴ（Sigma；ＨＡＴは融合後２４時間時点で添加する）を含有する特定の培地中で２週間インキュベートする。約２週間後、細胞を、ＨＡＴをＨＴに交換した培地で培養する。その後、各ウェルをヒト抗ＰＳＭＡモノクローナルＩｇＭおよびＩｇＧ抗体についてＥＬＩＳＡでスクリーニングする。ハイブリドーマの大規模な増殖が生じたら、通常１０〜１４日後に培地を観察する。抗体分泌ハイブリドーマを再び播き、再びスクリーニングを行い、もしヒトＩｇＧがまだ陽性であれば、抗ＰＳＭＡモノクローナル抗体を限界希釈により少なくとも二回サブクローンしてもよい。その後、組織培養培地中に抗体を少量作製して特徴付けを行うために、安定したサブクローンをin vitroで培養する。
【００８０】
ＰＳＭＡに対するヒトモノクローナル抗体を産生するトランスフェクトーマの作製
本発明のヒト抗体はまた、例えば、当該技術において公知の組換えＤＮＡ技法と遺伝子トランスフェクション法を用いて宿主細胞トランスフェクトーマにおいて産生させることができる（例えば、Morrison, S.（1985） Science 229:1202）。
【００８１】
例えば、抗体、またはその抗体フラグメントを発現させるため、部分的または全長軽鎖および重鎖をコードするＤＮＡを標準的な分子生物学の技法（例えば、ＰＣＲ増幅、部位特異性突然変誘発）によって得ることができ、発現ベクターに挿入して、遺伝子を転写配列および転写調節配列に作動的に結合することができる。この文脈において、「作動的に結合する」という語は、ベクター内の転写配列および転写調節配列が該抗体遺伝子の転写および翻訳を調節するというそれらの意図された機能を果たすように抗体遺伝子をベクターにライゲーションすることを意味する。発現ベクターおよび発現調節宿主細胞は、用いられる発現宿主細胞に適合可能に選択される。抗体軽鎖遺伝子および抗体重鎖遺伝子は、別々のベクターに挿入することができる。より典型的には、双方の遺伝子は、同じ発現ベクターに挿入される。該抗体遺伝子は、常法（例えば、抗体遺伝子フラグメントおよびベクター上の相補的制限酵素認識部位のライゲーション、または制限酵素認識部位が存在しない場合は平滑末端ライゲーション）によって発現ベクターに挿入される。本明細書に記載されている抗体の軽鎖および重鎖可変領域を用いて、それらを所望のアイソタイプの重鎖可変および軽鎖可変領域を既にコードしている発現ベクターに、ＶＨセグメントがベクター内のＣＨセグメントに作動的に結合され、ＶＬセグメントがベクター内のＣＬセグメントに作動的に結合されるように、挿入することによって、全長抗体遺伝子アイソタイプを作製することができる。追加的または代替的に、組換え発現ベクターは、抗体鎖の宿主細胞からの分泌を容易化するシグナルペプチドをコードすることができる。抗体鎖遺伝子は、該シグナルペプチドが抗体鎖遺伝子のアミノ末端にインフレーム結合するようにベクターにクローニングされることができる。シグナルペプチドは、免疫グロブリンシグナルペプチドまたは異種シグナルペプチド（すなわち、非免疫グロブリン蛋白質からのシグナルペプチド）とすることができる。
【００８２】
抗体鎖遺伝子に加えて、本発明の組換え発現ベクターは、宿主細胞中の抗体鎖遺伝子の発現を調節する調節配列を保持する。「調節配列」という用語は、プロモーター、エンハンサーおよび、抗体鎖遺伝子の転写および翻訳を調節する他の発現調節エレメント（例えば、ポリアデニル化シグナル）を含むことを意図する。そのような調節配列は、例えば、Goeddel；Gene Expression Technology. Methods in Enzymology 185、Academic Press、San Diego、CA （1990）に記載がある。調節配列の選択を含む発現ベクターの設計は、形質転換される宿主細胞、所望の蛋白質のレベルなどの選択として、そのようなファクターに依存することは、当業者に容易に理解されるであろう。哺乳動物宿主細胞発現のための好ましい調節配列には、哺乳動物細胞における高レベルの蛋白質発現を導くウイルスの要素、例えば、サイトメガロウイルス（ＣＭＶ）、サルウイルス４０（ＳＶ４０），アデノウイルス（例えば、アデノウイルス主要後期プロモーター（ＡｄＭＬＰ）およびポリオーマなどのプロモーターおよび/またはエンハンサーが含まれる。あるいは、例えば、ユビキチンプロモーターまたはβグロブリンプロモーターなどの非ウイルス調節配列を使用してもよい。
【００８３】
抗体鎖遺伝子および調節配列に加えて、本発明の組換え発現ベクターは、宿主細胞中のベクターの複製（例えば、複製の起源）および選択可能なマーカー遺伝子を調節する配列のような付加的配列を保持してもよい。該選択可能なマーカー遺伝子は、ベクターが導入される宿主細胞の選択を容易にする（例えば、米国特許第4,399,216号、第4,634,665号および第5,179,017、全てAxelら、を参照）。例えば、典型的に、選択可能なマーカー遺伝子は、ベクターが導入された宿主細胞上のＧ４１８、ハイグロマイシン、メトトレキサートなどの薬物に対する耐性を付与する。好ましい選択可能マーカー遺伝子としては、ジヒドロ葉酸還元酵素（ＤＨＦＲ）遺伝子（ｄｈｆｒ宿主細胞のメトトレキサート選択／増幅における使用のため）およびネオ遺伝子（Ｇ４１８選択のため）が含まれる。
【００８４】
軽鎖および重鎖を発現させるため、標準的な手法により軽鎖および重鎖をコードする該発現ベクターを宿主細胞にトランスフェクトする。「トランスフェクション」という語の種々の形態は、外因性のＤＮＡを原核生物または真核生物の宿主細胞中に導入するために通常使用される多種多様の技法、例えば、エレクトロポレーション、カルシウムリン酸析出法、ＤＥＡＥデキストラントランスフェクションなどを包含することを意図する。原核生物または真核生物の宿主細胞のいずれかにおいて本発明の抗体を発現させることが理論的には可能であるが、真核生物細胞、最も好ましくは哺乳動物宿主細胞における抗体の発現が最も好ましい。なぜなら、そのような真核生物の細胞、特に哺乳動物の細胞は、原核生物の細胞においてよりも、適切に折りたたまれた、免疫学的に活性の抗体を構築し、分泌する可能性があるからである。抗体遺伝子の原核生物での発現は、高収率の活性抗体の産生のためには効率的でないことが報告されている（Boss, M. A.およびWood, C. R. （1985） Immunology Today 6:12-13）。
【００８５】
本発明の組換え抗体を発現するための好ましい哺乳動物宿主細胞は、チャイニーズハムスター卵巣細胞（ＣＨＯ細胞）（dhfr- CHO細胞を含む。UrlaubおよびChasin、（1980） Proc. Natl. Acad. Sci. USA 77:4216-4220に記載され、ＤＢＦＲ選択可能マーカー（例えば、R. J. Kaufman およびP. A. Sharp （1982） Mol. Biol. 159:601-621）とともに使用される）、ＮＳＯミエローマ細胞、ＣＯＳ細胞およびＳＰ２細胞を含む。特に、ＮＳＯミエローマ細胞とともに使用するために、別の好ましい発現系は、ＧＳ遺伝子発現系である（ＰＣＴ国際公開WO87/04462号、WO89/01036号および欧州特許第338,841号に記載）。該抗体は、抗体遺伝子をコードする組換え発現ベクターが哺乳動物宿主細胞中に導入されるとき、抗体の発現を可能にするのに十分な一定の期間、宿主細胞を宿主細胞中で培養させることによって、より好ましくは、抗体を宿主細胞が成長する培養培地中に分泌することによって産生される。抗体は、標準的な蛋白質精製方法を用いて、培養培地から回収することができる。
【００８６】
インタクト抗体を発現するための部分的抗体配列の使用
抗体は、主に、６つの重鎖および軽鎖相補性決定領域（ＣＤＲ）に位置するアミノ酸残基を介して標的抗原と相互作用する。このため、ＣＤＲ内のアミノ酸配列は、ＣＤＲ外の配列に比べて、個々の抗体間の多様性が大きくなる。ＣＤＲ配列は、最も多くの抗体抗原相互作用を担うので、異なる特性を持つ異なる抗体からのフレームワーク配列上に移植された特異的な天然に存在する抗体からのＣＤＲ配列を含む発現ベクターを構築することによって、天然に存在する抗体の特異性と類似する組換え抗体を発現することができる（例えば、Riechmann, L.ら、1998、Nature 332:323-327；Jones, P.ら、1986、Nature 321:522-525；およびQueen, C. ら、1989、Proc. Natl. Acad. See. U.S.A. 86:10029-10033参照）。そのようなフレームワーク配列は、生殖細胞系列の抗体遺伝子配列を含む好適なＤＮＡデータベースから入手することができる。これらの生殖細胞系列の配列は、成熟した抗体遺伝子配列とは異なるであろう。なぜなら、それらは、Ｂ細胞の成熟中に、Ｖ（Ｄ）Ｊ結合によって形成される、完全に構築された可変遺伝子を含まないであろうからである。生殖細胞系列遺伝子配列はまた、個別の均一に可変領域全体を広がる高親和性の二次的なレパートリー抗体の配列とも異なるであろう。例えば、体細胞成熟は、フレームワーク領域のアミノ酸末端部分では相対的にまれである。例えば、体細胞成熟は、フレーム領域１のアミノ末端部分およびフレームワーク領域４のカルボキシ末端領域では相対的にまれである。さらに、多くの体細胞成熟は、抗体の結合特性を有意に変更しない。この理由から、オリジナルの抗体のものと類似する結合特性を有するインタクトの組換え抗体を作製するために、特定の抗体のＤＮＡ配列全体を得る必要はない（１９９９年3月22日に出願されたPCT/US99/05535号参照。それを本明細書において全ての目的のために引用によって援用する）。ＣＤＲ領域にまたがる部分的重鎖および軽鎖配列は、この目的にとって典型的に十分である。部分的配列は、どの生殖細胞系列の可変および結合遺伝子セグメントが組換え抗体可変遺伝子に寄与するかを決定するために使用される。次いで、生殖細胞系列配列は、可変領域の欠失部分を補充するために使用される。重鎖および軽鎖リーダー配列は、蛋白質の成熟中に切断され、最終的な抗体の特性に寄与しない。この理由から、発現構築物のための対応する生殖細胞系列リーダー配列を用いる必要がある。欠失している配列を付加するために、クローニングされたｃＤＮＡ配列を合成オリゴヌクレオチドとライゲーションまたはＰＣＲ増幅によって組み合わせることができる。あるいは、可変領域全体を、短い、重複したオリゴヌクレオチドとして合成することができ、ＰＣＲ増幅によって組み合わせ、全体の合成可変領域クローンを作製することができる。このプロセスは、欠失または付加または特定の制限部位または特定のコドンの最適化などの特定の利点がある。
【００８７】
ハイブリドーマからの重鎖および軽鎖転写物のヌクレオチド配列は、天然の配列と同一のアミノ酸コード能力を有する合成Ｖ配列を作製するために、合成オリゴヌクレオチドの重複セットを設計するため使用される。合成された重鎖およびカッパ鎖配列は、３つの方法によって、天然の配列とは異なるものとすることができる。すなわち、繰り返されたヌクレオチド塩基の線を、オリゴヌクレオチド合成およびＰＣＲ増幅を促進するように遮断する；最適な翻訳開始部位をKozak’のルール（Kozak、1991、J.  J.  Biol. Che 266:19867 -19870）にしたがって組み込む；およびHindIII部位を翻訳開始部位の上流で処理する。
【００８８】
重鎖可変領域および軽鎖可変領域の双方において、最適化されたコードおよび対応する非コード鎖配列は、対応する非コードオリゴヌクレオチドの中間点において、３０〜５０のヌクレオチドに適切に分割される。したがって、各鎖において、オリゴヌクレオチドは、１５０〜４００ヌクレオチドのセグメントにまたがる重ね合わされる二重鎖セットに構築することができる。次いで、プールをテンプレートとして用いて、１５０〜４００ヌクレオチドのＰＣＲ増幅産物を作製する。典型的に、単一の可変領域オリゴヌクレオチドセットは、別々に増幅され、２つの重複ＰＣＶ産物を作製するための２つのプールに分割される。これらの重複産物をその後、ＰＣＲ増幅によって組み合わせて、完全な可変領域を形成する。重鎖または軽鎖定常領域の重複フラグメント（カッパ軽鎖のBbsI部位、またはガンマ重鎖の場合はAgeI部位を含む）を、ＰＣＲ増幅において含み、容易に発現ベクター構築物にクローニングされることが望ましいかもしれない。
【００８９】
再構築された重鎖および軽鎖可変領域は、クローニングされたプロモーター、翻訳開始、定常領域、３’非翻訳、ポリアデニル化、および転写終結、発現ベクター構築物を形成するための配列と組み合わされる。重鎖および軽鎖発現構築物は、単一のベクターに組み合わせ、その後に融合されて双方の鎖を発現する宿主細胞を形成する宿主細胞中に共トランスフェクトし、連続的にトランスフェクトし、または別々にトランスフェクトすることができる。
【００９０】
ヒトＩｇＧκの発現ベクターの構築に使用するプラスミドについて以下に記載する。ＰＣＲ増幅されたＶ重鎖およびＶカッパ軽鎖ｃＤＮＡ配列が、完全な重鎖および軽鎖小遺伝子を再構築するために用いられるようにプラスミドを構築した。これらのプラスミドは、完全にヒト、またはキメラＩｇＧ１κもしくはＩｇＧ４κ抗体を発現するために用いることができる。他の重鎖アイソタイプを発現するため、またはラムダ軽鎖を含む抗体を発現するために類似のプラスミドを構築することができる。
【００９１】
したがって、本発明の別の局面において、本発明のヒト抗体ＰＳＭＡ抗体４Ａ３、７Ｆ１２、８Ａ１１、８Ｃ１２または１６Ｆ９の構造的特徴を用いて、本発明の抗体の少なくとも1つの機能的特性、例えば、ＰＳＭＡへの結合性を維持する、構造的に関連するヒト抗ＰＳＭＡ抗体を作製することができる。より具体的には、４Ａ３、７Ｆ１２、８Ａ１１、８Ｃ１２または１６Ｆ９の１以上のＣＤＲ領域を、公知のヒトフレームワーク領域およびＣＤＲと組み換え的に組み合わせて、付加的な、組み換え処理された、本発明のヒト抗ＰＳＭＡ抗体を作製することができる。
【００９２】
したがって、別の態様において、本発明は、抗ＰＳＭＡ抗体を調製する方法を提供する。その方法は、（１）少なくとも1つのヒト重鎖ＣＤＲは、図１９（配列番号２１〜３５）に示されたＣＤＲアミノ酸配列から選択されるアミノ酸配列を含むヒト重鎖フレームワーク領域およびヒト重鎖ＣＤＲ；および（２）少なくとも1つのヒト軽鎖ＣＤＲは、図２２および２３（配列番号３６〜５０）に示されたＣＤＲアミノ酸配列から選択されるアミノ酸配列を含むヒト軽鎖フレームワーク領域およびヒト軽鎖ＣＤＲ、を含む抗体を調製することを含み、該抗体は、ＰＳＭＡに結合する抗体を保持する。
【００９３】
本発明の抗体がＰＳＭＡに結合する能力は、実施例に記載されているような方法（例えば、ＥＬＩＳＡ法）のような標準的な結合アッセイを用いて決定することができる。
【００９４】
抗体重鎖および軽鎖ＣＤＲ３ドメインは、抗原に対する抗体の結合特異性／親和性において特に重要な役割を果たすことがよく知られているので、上記のように調製される本発明の組み換え抗体は、４Ａ３、７Ｆ１２、８Ａ１１、８Ｃ１２または１６Ｆ９の重鎖および軽鎖ＣＤＲ３を含むことが好ましい。さらに該抗体は、４Ａ３、７Ｆ１２、８Ａ１１、８Ｃ１２または１６Ｆ９のＣＤＲ２を含むことができる。該抗体は、さらに４Ａ３、７Ｆ１２、８Ａ１１、８Ｃ１２または１６Ｆ９のＣＤＲ１を含むことができる。したがって、本発明はさらに、（１）および（２）を含み、抗体がＰＳＭＡに結合する抗ＰＳＭＡ抗体を提供する：（１）ヒト重鎖フレームワーク領域ＣＤＲ１、ヒト重鎖ＣＤＲ２領域およびヒト重鎖ＣＤＲ３、ここでヒト重鎖ＣＤＲ３領域は、図１９（配列番号２３、２６、２９、３２または３５）に示される４Ａ３、７Ｆ１２、８Ａ１１、８Ｃ１２および１６Ｆ９のＣＤＲ３から選択される。（２）ヒト軽鎖フレームワーク領域、ヒト軽鎖ＣＤＲ１領域、ヒト軽鎖ＣＤＲ２領域およびヒト軽鎖ＣＤＲ３領域、ここでヒト軽鎖ＣＤＲ３領域は、図２２および２３（配列番号３８、４１、４４、４７または５０）に示される４Ａ３、７Ｆ１２、８Ａ１１、８Ｃ１２および１６Ｆ９のＣＤＲ３から選択さる。該抗体はさらに、４Ａ３、７Ｆ１２、８Ａ１１、８Ｃ１２または１６Ｆ９の重鎖ＣＤＲ２および/または軽鎖ＣＤＲ２を含んでもよい。該抗体はさらに、４Ａ３、７Ｆ１２、８Ａ１１、８Ｃ１２または１６Ｆ９の重鎖ＣＤＲ１および/またはＣＤＲ２を含んでもよい。
【００９５】
上記遺伝子操作された抗体のＣＤＲ１、２および/または３は、ここに開示されている４Ａ３、７Ｆ１２、８Ａ１１、８Ｃ１２または１６Ｆ９の正確なアミノ酸配列を含む。しかしながら、当業者は、抗体が依然としてＰＳＭＡに効率的に結合している限り、４Ａ３、７Ｆ１２、８Ａ１１、８Ｃ１２または１６Ｆ９の正確なＣＤＲ配列から若干逸脱することができることを理解するであろう（例えば、保存的置換）。したがって、別の態様において、遺伝子操作された抗体は、４Ａ３、７Ｆ１２、８Ａ１１、８Ｃ１２または１６Ｆ９のＣＤＲの１以上に例えば、９０％、９５％、９８％または９９．５％一致する1以上のＣＤＲから構成されてもよい。
【００９６】
単にＰＳＭＡ抗体に結合することに加えて、上記のような操作された抗体は、例えば、
（１）ヒトＰＳＭＡを発現する生細胞に結合すること；
（２）１０−８Ｍ以下（例えば、１０−９Ｍもしくは１０−９Ｍ以下）のＫＤでヒトＰＳＭＡに結合すること；
（３）ＰＳＭＡ上で独特のエピトープに結合すること（併用して用いられたとき、相補性活性をもつモノクローナル抗体が同じエピトープに対する結合に競合する可能性を削除するために）；
（４）in vivoでのＰＳＭＡ発現腫瘍細胞の成長阻害；および/または
（５）ヒトエフェクター細胞の存在下でＰＳＭＡを発現する細胞の貪食作用および死滅（例えば、ＡＤＣＣアッセイにおいて）。
などの本発明の機能的特性を保持するように選択することができる。
【００９７】
ＰＳＭＡに対するヒトモノクローナル抗体の結合の特徴
本発明のヒトモノクローナル抗体は、ＰＳＭＡへの結合について、例えば、標準的なＥＬＩＳＡによって試験することができる。簡単に説明すると、マイクロタイタープレートを０．２５μｇ/ｍｌの精製ＰＳＭＡのＰＢＳ溶液でコーティングし、次いで５％ウシ血清アルブミンのＰＢＳ溶液でブロッキングする。ＰＳＭＡ免疫化マウスから採取した血漿の希釈溶液を各ウェルに加え、３７℃で１〜２時間インキュベートする。そのプレートをＰＢＳ／Ｔｗｅｅｎで洗浄してから、アルカリ性ホスファターゼを結合させたヤギ抗ヒトＩｇＧ Ｆｃ特異性ポリクローナル試薬で、３７℃で１時間インキュベートする。洗浄後、該プレートをｐＮＰＰ基質（１ｍｇ/ｍｌ）で発色させ、ＯＤ４０５〜６５０で分析する。最も高い力価を展開したマウスを融合用に用いることが好ましい。
【００９８】
上述のＥＬＩＳＡアッセイは、ＰＳＭＡ免疫原に陽性の反応性を示すハイブリドーマをスクリーニングするために用いることもできる。ＰＳＭＡに高い結合力で結合するハイブリドーマをサブクローニングし、さらに特徴づけを行う。−１４０℃で保存されるバイアル細胞バンクを５〜１０個作製し、抗体精製を行うために、親細胞の反応性を保持する（ＥＬＩＳＡによる）クローンを各ハイブリドーマから選択する。
【００９９】
ヒト抗ＰＳＭＡ抗体を精製するために、選択されたハイブリドーマをモノクローナル抗体精製用の２リットルスピナーフラスコ中で成長させることができる。上清を濾過し、濃縮してから蛋白質Ａセファロースでアフィニティクロマトグラフィー（Pharmacia、Piscataway、NJ）を行うことができる。溶出したＩｇＧをゲル電気泳動法および高性能液体クロマトグラフィーにかけ、純度を確認するために検査することができる。バッファ溶液をＰＢＳに交換し、濃度をＯＤ２８０により１．４３励起係数を用いて測定することができる。モノクローナル抗体は、分注して−８０℃で保存することができる。
【０１００】
選択されたヒト抗ＰＳＭＡモノクローナル抗体が固有のエピトープに結合するかどうかを確認するために、各抗体を、市販されている試薬（Pierce、Rockford、IL）を用いてビオチン化することができる。上述のＰＳＭＡコートＥＬＩＳＡプレートを用いて、非標識モノクローナル抗体とビオチン化モノクローナル抗体を用いた比較研究を行うことができる。ビオチン化ｍＡｂ結合は、ストレップ-アビジン-アルカリ性ホスファターゼプローブで検出することができる。
【０１０１】
精製抗体のアイソタイプを決定するために、アイソタイプＥＬＩＳＡを行うことができる。マイクロタイタープレートのウェルは、１０μｍ/ｍｌの抗ヒトＩｇで４℃で一晩コーティングすることができる。５％ＢＳＡでブロッキング後、該プレートを室温で２時間、１０μｇ/ｍｌのモノクローナル抗体または精製アイソタイプ対照と反応させる。その後、ウェルは、ヒトＩｇＧ１またはヒトＩｇＭ特異性アルカリ性ホスファターゼ結合プローブのいずれかと反応させることができる。該プレートを上述のように発色、分析する。
【０１０２】
モノクローナル抗体とＰＳＭＡを発現する生細胞の結合を確認するために、フローサイトメトリーを用いることができる。簡単に説明すると、ＰＳＭＡを発現する細胞系列（標準的な成長条件下で成長）を、０．１％Ｔｗｅｅｎ８０および２０％マウス血清を含有する各種濃度のモノクローナル抗体のＰＢＳ溶液と混合し、３７℃で１時間インキュベートする。洗浄後、細胞を、蛍光標識抗ヒトＩｇＧ抗体と、一次抗体染色と同一の条件下で反応させる。サンプルを、光および側方散乱特性を用いて細胞一個ずつをゲート制御する機器FACScanで分析することができる。蛍光顕微鏡を用いた代替検定法をフローサイトメトリー検定法に（追加してまたはその代わりに）用いてよい。細胞の染色は上述の通り正確に行い、蛍光顕微鏡で検査することができる。この方法により個々の細胞の可視化が可能になるが、抗原の濃度により感度が減少しているかもしれない。
【０１０３】
抗ＰＳＭＡヒトＩｇＧｓは、ウェスタンブロット法によりＰＳＭＡ抗原との反応性をさらに検査することができる。簡単に説明すると、ＰＳＭＡ発現細胞からの細胞抽出物を調製し、ドデシル硫酸ナトリウム（ＳＤＳ）ポリアクリルアミドゲル電気泳動にかけることができる。電気泳動後、分離された抗原をニトロセルロース膜に移し、２０％マウス血清でブロッキングし、検査対象のモノクローナル抗体でプローブする。ヒトＩｇＧ結合を抗ヒトＩｇＧアルカリ性ホスファターゼで検出し、ＢＣＩＰ／ＮＢＴ基質タブレット（Sigma Chem. Co.、St. Louis、MO）で展開することができる。
【０１０４】
ＰＳＭＡに対するヒトモノクローナル抗体の貪食作用および細胞死滅活性
ＰＳＭＡへの特異的結合に加え、ヒトモノクローナル抗ＰＳＭＡ抗体をＰＳＭＡ発現細胞の貪食作用および細胞死滅の媒介能に関して検査することができる。モノクローナル抗体活性のin vitroにおける検査により、in vivoモデルを検査する前の初期スクリーニングを行うことができる。簡単に説明すると、健康なドナーから採取した多形核細胞（ＰＭＮ）またはその他のエフェクター細胞を、フィコールハイパックで密度遠心分離してから混入赤血球を細胞溶解して精製することができる。洗浄したＰＭＮを、１０％熱不活化ウシ胎仔血清を補足したＲＰＭＩ中に懸濁し、様々なエフェクター細胞対腫瘍細胞比（エフェクター細胞：腫瘍細胞）で５１Ｃｒ標識ＰＳＭＡ発現細胞と混合することができる。その後、各種濃度の精製ヒト抗ＰＳＭＡ ＩｇＧをを加えることができる。無関係のヒトＩｇＧを陰性対照として用いることができる。アッセイは、３７℃で０〜１２０分間行うことができる。培養上清への５１Ｃｒ放出を測定することにより、サンプルの細胞溶解についてアッセイすることができる。抗ＰＳＭＡモノクローナルを互いに組み合わせて、細胞溶解が複数のモノクローナル抗体で促進されるかどうかを検査することもできる。
【０１０５】
ＰＳＭＡに結合するヒトモノクローナル抗体をin vivoモデル（例えばマウス）において検査し、例えば、腫瘍細胞などのＰＳＭＡ発現細胞の貪食作用および細胞死滅の媒介の有効性を調べることもできる。このような抗体は、例えば、以下の基準に基づいて選択されてよいが、それに限定されることを意図しない。
１）ＰＳＭＡ発現生細胞への結合 
２）ＰＳＭＡへの結合の高親和性 
３）ＰＳＭＡ上の固有エピトープへの結合（相補的活性を有するモノクローナル抗体を組み合わせて使用した場合に同一のエピトープへの結合を競合する可能性を除くため）
４）ＰＳＭＡを発現する細胞のオプソニン化 
５）ヒトエフェクター細胞存在下における、ＰＳＭＡを発現する細胞の増殖阻害、貪食作用および／または細胞死滅の媒介 
【０１０６】
本発明の好ましいヒトモノクローナル抗体は、これらの基準の一つ以上、好ましくはすべてに合致する。特定の態様では、ヒトモノクローナル抗体を組み合わせて、二種類以上の抗ＰＳＭＡモノクローナル抗体またはそのフラグメントを含む薬学的組成物として用いる。例えば、異なるが相補的な活性を有するヒト抗ＰＳＭＡモノクローナル抗体を一種類の治療法に組み合わせて、望ましい治療または診断効果を達成することができる。この具体例は、エフェクター細胞の存在下で標的細胞の高効率的な死滅を媒介する抗ＰＳＭＡヒトモノクローナル抗体と、ＰＳＭＡを発現する細胞の増殖を阻害する別のヒト抗ＰＳＭＡモノクローナル抗体とを組み合わせて有する組成物であってよいだろう。
【０１０７】
ＩＩ．ヒトモノクローナル抗ＰＳＭＡ抗体を産生するトランスジェニック非ヒト動物の作製 
さらに別の局面において、本発明は、ＰＳＭＡに特異的に結合するヒトモノクローナル抗体を発現可能な、トランスジェニックマウスまたは染色体導入マウスなどのトランスジェニック非ヒト動物および染色体導入非ヒト動物を提供する。特定の態様において、本発明は、ヒト重鎖導入遺伝子を含むゲノムを有し、ＰＳＭＡおよび／またはＰＳＭＡ発現細胞で免疫化されたとき、ヒト抗ＰＳＭＡ抗体を産生する、トランスジェニックマウスまたは染色体導入マウスを提供する。ヒト重鎖導入遺伝子は、ここに詳細に示され、例示されているように、トランスジェニックマウス、例えば、ＨｕＭＡｂマウスの場合と同様、マウスの染色体ＤＮＡに導入することができる。あるいは、ヒト重鎖導入遺伝子は、WO 02/43478に記載されているように染色体導入（例えば、ＫＭ）マウスの場合のように、染色体外に維持することもできる。そのようなトランスジェニック動物および染色体導入動物は、Ｖ−Ｄ−Ｊ組換えおよびアイソタイプスイッチを経ることによりＰＳＭＡに対するヒトモノクローナル抗体の複数のアイソタイプ（ＩｇＧ、ＩｇＡ、および／またはＩｇＥ）を産生することができる。アイソタイプスイッチは、例えば、古典的または非古典的アイソタイプスイッチにより行われる。
【０１０８】
異種抗体レパートリーの外来性抗原刺激に応答するトランスジェニック非ヒト動物または染色体導入非ヒト動物の設計には、異種免疫グロブリン導入遺伝子がトランスジェニック動物の機能内にＢ細胞成長の経路全体に正しく含有されている必要がある。これは、例えば、異種重鎖導入遺伝子のアイソタイプスイッチが含まれる。したがって、導入遺伝子は、アイソタイプスイッチおよび以下の一項目以上を生じるように構築される。その項目は、（１）高レベルで且つ細胞型特異的発現、（２）機能的遺伝子再編成、（３）対立遺伝子排除の活性およびそれに対する応答、（４）一次レパートリの十分な発現、（５）シグナル伝達、（６）体細胞超突然変異、（７）免疫応答中の導入遺伝子抗体遺伝子座の優性、である。
【０１０９】
上述の基準の全てが満たされる必要はない。例えば、トランスジェニック動物の内因性免疫グロブリン遺伝子座が機能的に破壊されている場合の態様では、導入遺伝子は対立遺伝子排除を活性化する必要はない。さらに、導入遺伝子が機能的に再編成された重鎖および／または軽鎖免疫グロブリン遺伝子を含んでいる場合の態様では、機能的遺伝子再編成の基準の二番目の項目は、少なくともすでに再編成されている導入遺伝子に関しては必要ない。分子免疫学の背景については、引用によって本明細書に組み込まれるFundamental Immunology、第２刷（1989）、Paul William E., ed. Raven Press, N.Y.を参照されたい。
【０１１０】
いくつかの態様において、本発明のヒトモノクローナル抗体を産生するために用いるトランスジェニック非ヒト動物または染色体導入非ヒト動物は、トランスジェニック動物の生殖細胞系列中に、再編成の、未再編成の異種免疫グロブリン重鎖および軽鎖導入遺伝子、または再編成および未再編成を組み合わせたものを有する。各重鎖導入遺伝子は、少なくとも一つのＣＨ遺伝子を含む。さらに、重鎖導入遺伝子は、トランスジェニック動物のＢ細胞中の、複数のＣＨ遺伝子をコードする異種導入遺伝子のアイソタイプスイッチを支持することが可能な、機能的アイソタイプスイッチ配列を含有していてよい。このようなスイッチ配列は、導入遺伝子ＣＨ遺伝子の供給源となる種から得た生殖細胞系列免疫グロブリン遺伝子座に自然発生するものでもよく、または、このようなスイッチ配列は導入遺伝子作製物を受け取る種（トランスジェニック動物）に発生するものに由来してもよい。例えば、トランスジェニックマウスを作製するために用いるヒト導入遺伝子構築物のアイソタイプスイッチ事象は、マウス重鎖遺伝子座に自然に発生するものと同様のスイッチ配列が組み込まれている場合、頻度が高く、それはおそらく、マウススイッチ配列ではマウススイッチリコンビナーゼ酵素系との機能が最適化されていて、ヒトスイッチ配列はそうではないからである。スイッチ配列は、従来のクローニング方法により単離およびクローニングするか、または免疫グロブリンスイッチ領域配列に関連する公表された配列情報（Mills ら、Nucl. Acids Res. 15:7305-7316（1991）；Siderasら、Intl. Immunol. 1:631-642 （1989）、引用によって本明細書に援用する）に基づいて設計された重複合成オリゴヌクレオチドからあらためて合成してもよい。上述の各トランスジェニック動物について、機能的に再編成された異種重鎖および軽鎖免疫グロブリン導入遺伝子は、トランスジェニック動物のＢ細胞の有意な割合（少なくとも１０％）に認められる。
【０１１１】
本発明のトランスジェニック動物を作製するために用いられる導入遺伝子は、少なくとも一つの可変性遺伝子セグメントと、一つの多様性遺伝子セグメントと、一つの結合遺伝子セグメントと、少なくとも一つの定常領域遺伝子セグメントをコードするＤＮＡを含む重鎖導入遺伝子を含む。免疫グロブリン軽鎖導入遺伝子は、少なくとも一つの可変性遺伝子セグメントと、一つの結合遺伝子セグメントと、少なくとも一つの定常領域遺伝子セグメントをコードするＤＮＡを含む。軽鎖および重鎖遺伝子セグメントをコードする遺伝子セグメントは、その遺伝子セグメントがトランスジェニック非ヒト動物を含まない種から得た免疫グロブリン重鎖および軽鎖をコードするＤＮＡに由来する、またはそれらに対応するようなトランスジェニック非ヒト動物とは異種性である。本発明のある局面において、導入遺伝子は、個々の遺伝子セグメントが未再編成である、つまり機能的免疫グロブリン軽鎖または重鎖をコードするように再編成されないように構築される。このような未再編成導入遺伝子はＶ、Ｄ、およびＪ遺伝子セグメントの組換えを支持し（機能的再編成）、好ましくは、ＰＳＭＡ抗原に暴露した場合に、得られた再編成免疫グロブリン重鎖中のＤ領域遺伝子セグメントのすべてまたはその一部がトランスジェニック非ヒト動物内に組み込まれることを支持する。
【０１１２】
別の態様において、導入遺伝子は、未再編成の「小遺伝子座」（"mini-locus"）を含む。このような導入遺伝子は典型的に、Ｃ、Ｄ、およびＪセグメントのかなりの部分、およびＶ遺伝子セグメントのサブセットを含む。このような導入遺伝子構築物においては、例えば、プロモーター、エンハンサー、クラススイッチ領域、ＲＮＡプロセッシングのためのスプライスドナー配列およびスプライスアクセプター配列、および組換えシグナルなどの各種調節配列は、異種ＤＮＡに由来する対応する配列を含む。このような調節配列は、本発明に用いられる非ヒト動物の同一種または関連種から得た導入遺伝子に組み込むことができる。例えば、ヒト免疫グロブリン遺伝子セグメントは、トランスジェニックマウスに用いるための齧歯類免疫グロブリンエンハンサー配列を有する導入遺伝子中に組み込むことができる。また、合成調節配列が哺乳類のゲノム中に自然発生することが知られている機能的ＤＮＡ配列に相同ではない場合、このような合成調節配列を導入遺伝子に組み込んでもよい。合成調節配列は、例えば、スプライスアクセプター部位またはプロモーター／エンハンサーモチーフの許容配列を特定するなどのコンセンサスルールにしたがって設計される。例えば、小遺伝子座は、自然発生生殖細胞系列Ｉｇ遺伝子座と比較して、非必須のＤＮＡ部分（例えば介入配列、イントロンまたはその部分）の内部（つまり部分の末端ではない）の欠失を少なくとも一箇所有するゲノム免疫グロブリン遺伝子座を含む。
【０１１３】
本発明の好ましい態様において、ＰＳＭＡに対するヒト抗体を産生するために用いられるトランスジェニック動物または染色体導入動物は、WO98/24884号の実施例５、６、８または１４に記載の軽鎖導入遺伝子の一コピーを有する動物と交配させた、WO 98/24884号の実施例１２に記載の導入遺伝子（例えば、ｐＨＣ１またはｐＨＣ２）の複製を少なくとも1個、典型的には２〜１０個、時に２５〜５０個またはそれ以上、およびWO 98/24884号の実施例１０に記載のＪＨ欠損動物と交配した子孫を含有する（WO98/24884号の内容は、本明細書において引用によって援用する）。動物は、三種類のこれら形質のそれぞれについてホモ接合性になるように交配される。このような動物は、以下の遺伝子型、すなわち、ヒト重鎖未再編成小遺伝子座の１コピー（染色体のハプロイド１セットごとに）（WO 98/24884号の実施例１２に記載）、再編成したヒトＫ軽鎖構築物の１コピー（染色体のハプロイド１セットごとに）（WO 98/24884号の実施例１４に記載）、機能的ＪＨセグメント全体を除去する内因性マウス重鎖遺伝子座それぞれの欠損（WO 98/24884号の実施例１０に記載）を含む。このような動物をＪＨセグメントの欠失についてホモ接合のマウスと交配し（WO 98/24884号の実施例１０）、ＪＨ欠失についてホモ接合でヒト重鎖および軽鎖作製物についてヘミ接合である子孫を産生する。得られた動物は、抗原を注射し、これら抗体に対するヒトモノクローナル抗体を産生するために用いる。
【０１１４】
このような動物から単離したＢ細胞は、各遺伝子を１コピーずつしか有していないため、ヒト重鎖および軽鎖に関して単一特異性である。さらに、WO 98/24884号の実施例９および１２に記載の通りに導入されたＪＨ領域にわたる欠損により、内因性マウス重鎖遺伝子のコピーは両方とも非機能的であるために、そのＢ細胞はヒトまたはマウス重鎖に関して単一特異性であろう。さらに、有意な割合のＢ細胞は、再編成したヒトκ軽鎖遺伝子の複製の発現が有意な割合のＢ細胞中の内因性マウスκおよびラムダ遺伝子の再編成を対立遺伝子的およびアイソタイプ的に排除するために、ヒトまたはマウス軽鎖に関して単一特異性であろう。
【０１１５】
好ましいトランスジェニック動物または染色体導入動物、例えば、マウスは、理想的にはネイティブマウスにかなり類似する、重要なレパートリの免疫グロブリン産生を示すであろう。したがって、例えば、内因性Ｉｇ遺伝子が不活化している態様では、全免疫グロブリンレベルは、約０．１〜１０ｍｇ／ｍｌの血清、好ましくは０．５〜５ｍｇ／ｍｌ、理想的には少なくとも約１．０ｍｇ／ｍｌの範囲であろう。ＩｇＧからＩｇＭへのスイッチに作用することができる導入遺伝子がトランスジェニックマウスに導入された場合、生体マウスでは、血清ＩｇＧとＩｇＭの比は、好ましくは約１０：１である。ＩｇＧ対ＩｇＭの比は、未成熟マウスでははるかに低い。一般に、約１０％をこえる、好ましくは４０％〜８０％の脾臓およびリンパ節Ｂ細胞が、ヒトＩｇＧ蛋白質のみを発現する。
【０１１６】
レパートリは、ネイティブのマウスに見られるレパートリに、通常少なくとも約１０％、好ましくは２５〜５０％以上似ていることが望ましい。主にマウスゲノムに導入された異なるＶ、Ｊ、およびＤ領域の数により、一般に、少なくとも約１０００種類、好ましくは１０４〜１０６種類以上の異なる免疫グロブリン（理想的にはＩｇＧ）が産生されるであろう。このような免疫グロブリンは、典型的に、例えば、ブドウ球菌蛋白質Ａなどの抗原性の高い蛋白質のおよそ半数以上を認識するであろう。典型的に、免疫グロブリンは少なくとも約１０７Ｍ−１、好ましくは少なくとも約１０９Ｍ−１、さらに好ましくは少なくとも約１０１０Ｍ−１、１０１１Ｍ−１、または１０１２Ｍ−１以上、例えば、１０１３Ｍ−１以上のあらかじめ選択された抗原への親和性を示すであろう。
【０１１７】
ある態様において、あらかじめ決められた抗原型に対する抗体の応答で表されるＶ遺伝子の選択を制限する、あらかじめ決定されたレパートリを有するマウスを作製することが好ましいこともある。あらかじめ決められたレパートリを有する重鎖導入遺伝子は、例えば、ヒトにおけるあらかじめ決められた抗原型に対する抗体応答に優先的に用いられるヒトＶＨ遺伝子を含んでよい。また、様々な理由から、決められたレパートリから排除される可能性があるＶＨ遺伝子もある（例えば、あらかじめ決められた抗原への高親和性Ｖ領域をコードする確率が低い、体細胞突然変異および親和性の尖鋭化の傾向が低い、または特定のヒトに対して免疫原性である、など）。したがって、各種重鎖または軽鎖遺伝子セグメントを有する導入遺伝子を再編成する前に、このような遺伝子セグメントは、例えば、ハイブリダイゼーションまたはＤＮＡシーケンシングなどにより、トランスジェニック動物以外の生物種からのものであると容易に同定されてもよい。
【０１１８】
上述したように、トランスジェニック非ヒト動物および染色体導入非ヒト動物、例えばマウスは、上述したようにＰＳＭＡ抗原および/またはＰＳＭＡ発現細胞の精製製剤または組換え製剤で免疫化することができる。または、そのトランスジェニック動物は、ヒトＰＳＭＡをコードするＤＮＡで免疫化することができる。その後、その動物は、導入遺伝子内スイッチ組換え（シス-スイッチ）を経てクラススイッチし、ＰＳＭＡに反応性のある免疫グロブリンを発現するＢ細胞を産生するであろう。重鎖および軽鎖ポリペプチドが体細胞突然変異およびＶ領域組換え接合により誘導された配列、ならびに生殖細胞系列がコードする配列を含んでもよいヒト導入遺伝子配列によりコードされている場合には、免疫グロブリンはヒト配列抗体であってもよく（「ヒト配列抗体」とも呼ぶ）、これらのヒト抗体は、体細胞突然変異およびＶ−ＪおよびＶ−Ｄ−Ｊ組換え接合の結果他の非生殖細胞系列配列が存在するとしても、ヒトＶＬまたはＶＨ遺伝子セグメントおよびヒトＪＬまたはＪＬセグメントによりコードされたポリペプチド配列と実質的に同一であると言うことができる。各抗体鎖の可変領域は、典型的に少なくとも８０％がヒト生殖細胞Ｖ、Ｊ遺伝子セグメントにより、および重鎖の場合にはＤ遺伝子セグメントによりコードされ、頻繁に少なくとも８５％の可変領域が導入遺伝子上に現れるヒト生殖細胞系列配列によりコードされ、しばしば可変領域配列の９０または９５％以上が導入遺伝子上に現れるヒト生殖細胞配列によりコードされる。しかしながら、非生殖細胞系列配列は体細胞突然変異およびＶＪおよびＶＤＪ接合により導入されるために、ヒト配列抗体はマウスの生殖細胞系列中のヒト導入遺伝子に見られるヒトＶ、Ｄ、またはＪ遺伝子セグメントによりコードされていないいくつかの可変領域配列を有することが多い（定常領域配列では頻度が少ない）であろう。典型的に、このような非生殖細胞系列配列（または個々のヌクレオチドの位置）はＣＤＲ内または近傍、または体細胞突然変異がクラスタ形成することが知られている領域にクラスタ形成しているであろう。
【０１１９】
ヒト配列γ鎖（γ１、γ２、γ３、またはγ４など）およびヒト配列軽鎖（κなど）を含むヒト抗体が産生されるようにアイソタイプスイッチすることにより、あらかじめ決められた抗原に結合するヒト配列抗体が産生されることがある。このようにアイソタイプスイッチしたヒト配列抗体は、一般に可変領域中、しばしば特に二次（または後続）抗原チャレンジ後におこる親和性突然変異および抗原によるＢ細胞選択の結果生じる、ＣＤＲの約１０残基中または内に、一つ以上の体細胞突然変異を含有することが多い。この高親和性ヒト配列抗体は、１０-７Ｍ以下、例えば、１０-８Ｍ以下、１０-９Ｍ以下、１０-１０Ｍ以下、あるいはさらにそれ以下のＫＤを有することがある。
【０１２０】
本発明の別の局面は、上記のトランスジェニック非ヒト動物および染色体導入非ヒト動物に由来するＢ細胞に関連する。該Ｂ細胞は、ＰＳＭＡに高親和性（例えば、ＫＤが１０-７Ｍ以下）で結合するヒトモノクローナル抗体を発現するハイブリドーマを産生するために用いることができる。したがって、本発明の別の態様は、１０-７Ｍ以下、例えば、１０-８Ｍ以下、１０-９Ｍ以下、１０-１０Ｍ以下、あるいはさらにそれ以下のＫＤを有するヒト抗体を産生するハイブリドーマを提供する。該抗体は、（１）ヒトＶＬ遺伝子セグメントおよびヒトＪＬセグメントによりコードされたポリペプチド配列に実質的に同一のポリペプチド配列を有する軽鎖可変領域と、（２）ＣＬ遺伝子セグメントによりコードされたポリペプチド配列に実質的に同一のポリペプチド配列を有する軽鎖定常領域とからなるヒト配列軽鎖、ならびに（１）ヒトＶＨ遺伝子セグメント、任意でＤ領域、およびヒトＪＨセグメントによりコードされるポリペプチド配列に実質的に同一なポリペプチド配列を有する重鎖可変領域と、（２）ＣＨ遺伝子セグメントによりコードされたポリペプチド配列に実質的に同一なポリペプチド配列を有する定常領域とからなるヒト配列重鎖を含む。
【０１２１】
ＰＳＭＡに対する高親和性ヒトモノクローナル抗体の成長は、組み込まれたヒト免疫グロブリン導入遺伝子を含むゲノムを有するトランスジェニックマウスのヒト可変領域遺伝子セグメントのレパートリを拡大する方法であって、前記の組み込まれたヒト免疫グロブリン中に存在しないＶ領域遺伝子セグメントを含むＶ遺伝子導入遺伝子をゲノムに導入することを含む方法により、促進される。Ｖ領域導入遺伝子は、ヒトゲノムに自然発生していることもあり、またはＶ遺伝子セグメントを適切でない状態か削除された状態で含んでいる別々の組換え法によりスプライスされた状態であることもある。ヒトＶＨまたはＶＬ（Ｖκ）遺伝子セグメントアレイの一部分を含む酵母菌人工染色体であることが多い。少なくとも５つ以上の機能的Ｖ遺伝子セグメントがＹＡＣ上に含有されていることが多い。この変種では、マウスが、Ｖ領域導入遺伝子およびヒトＩｇ導入遺伝子上にコードされたＣ領域に存在するＶ領域遺伝子セグメントによりコードされた可変領域配列を含む免疫グロブリン鎖を発現する場合に、Ｖレパートリ拡大法により産生されたトランスジェニックマウスを作製することができる。Ｖレパートリ拡大法を用いて、少なくとも５つの異なるＶ遺伝子を有するトランスジェニックマウスを作製すること、同様に少なくとも約２４個以上のＶ遺伝子を有するマウスを作製することができる。Ｖ遺伝子セグメントのいくつかは機能していない場合もあり（例えば、擬遺伝子など）、これらのセグメントは、必要に応じて、当業者が使用することができる組換え法により保持し、または選択的に消去してよい。
【０１２２】
マウス生殖細胞系列を、ＪおよびＣ遺伝子セグメントを含有するヒトＩｇ導入遺伝子上に実質的には存在しない、拡大Ｖセグメントレパートリを有する機能性ＹＡＣを有するように操作してしまえば、その形質は、拡大Ｖセグメントレパートリを有する機能性ＹＡＣが異なるヒトＩｇ導入遺伝子を有するマウス生殖細胞系列において育つような背景など、他の遺伝的背景に伝播および育てることができる。拡大Ｖセグメントレパートリを有する多数の機能性ＹＡＣは、ヒトＩｇ導入遺伝子（または多数のヒトＩｇ導入遺伝子）と作用する生殖細胞系列において育てられるとがある。ここではＹＡＣ導入遺伝子と呼ばれているが、ゲノムに組み込まれた場合のこのような導入遺伝子は、酵母菌における自己複製に必要な配列などの酵母菌配列を実質的に欠損していることがあり、このような配列は場合により、必要のない酵母菌に複製した後（すなわち、マウスＥＳ細胞またはマウスプロ接合体に導入する前）に遺伝子操作（例えば、制限酵素消化およびパルスフィールドゲル電気泳動、またはその他の適切な方法など）で除去してよい。ヒト配列免疫グロブリン発現の形質を伝播する方法は、ヒトＩｇ導入遺伝子を有するトランスジェニックマウスと、任意に拡大Ｖセグメントレパートリを有する機能性ＹＡＣも有するトランスジェニックマウスを交配させることも含む。ＶＨおよびＶＬ遺伝子セグメントは、両方ともＹＡＣ上に存在してもよい。そのトランスジェニックマウスは、ヒトＩｇ導入遺伝子および/または他のヒトリンパ球蛋白質をコードする導入遺伝子を含む他のヒト導入遺伝子を内包する背景を含む、望ましい背景に施行者によって育てられてもよい。本発明は、拡大Ｖ領域レパートリＹＡＣ導入遺伝子を有するトランスジェニックマウスにより産生される高親和性ヒト配列免疫グロブリンも提供する。本発明のトランスジェニック動物の好ましい態様は前述したが、４つのカテゴリに分類されているその他の態様が意図される。
Ｉ．未再編成の重鎖および再編成した軽鎖免疫グロブリン導入遺伝子を含有するトランスジェニック動物；
ＩＩ．未再編成の重鎖および未再編成の軽鎖免疫グロブリン導入遺伝子を含有するトランスジェニック動物；
ＩＩＩ．再編成した重鎖および未再編成の軽鎖免疫グロブリン導入遺伝子を含有するトランスジェニック動物；および
ＩＶ．再編成した重鎖および再編成した軽鎖免疫グロブリン導入遺伝子を含有するトランスジェニック動物。
【０１２３】
トランスジェニック動物のこのようなカテゴリのうち、好ましい優先順位は、内因性軽鎖遺伝子（または少なくともＫ遺伝子）が相同性組換え（またはその他の方法）によりノックアウトされている場合にはＩＩ＞Ｉ＞ＩＩＩ＞ＩＶであり、内因性軽鎖遺伝子がノックアウトされておらず、対立遺伝子排除に支配されているはずの場合にはＩ＞ＩＩ＞ＩＩＩ＞ＩＶである。
【０１２４】
ＩＩＩ．ＰＳＭＡに結合する二重特異性／多重特異性分子
本発明のさらに別の態様において、ＰＳＭＡに対するヒトモノクローナル抗体、またはその抗原結合部分は、例えば別のペプチドまたは蛋白質（例えば、Ｆａｂ'フラグメント）などの別の機能的分子を誘導体化またはそれらに結合し、複数の結合部位または標的エピトープに結合する二重特異性または多重特異性分子を作製することができる。例えば、本発明の抗体または抗原結合部分は、別の抗体、抗体フラグメント、ペプチド、または結合ミメティクスなどの一つ以上の他の結合分子に機能的に結合する（例えば、化学結合、遺伝子融合、または非共有会合などによる）ことができる。
【０１２５】
したがって、本発明は、少なくとも一つのＰＳＭＡへの第一の結合特異性部分と、第二の標的エピトープへの第二の結合特異性部分を含む二重および多重特異性分子を含む。本発明の特定の態様において、第二標的エピトープは、例えば、ヒトＦｃγＲＩ（ＣＤ６４）またはヒトＦｃα（ＣＤ８９）レセプターなどのＦｃレセプターである。したがって、本発明は、ＦｃγＲ、Ｆｃα、またはＦｃεＲを発現するエフェクター細胞（例えば、単球、マクロファージ、または多形核細胞（ＰＭＮ））と、ＰＳＭＡを発現する標的細胞との両方に結合することができる二重特異性または多重特異性分子を含む。これらの二重特異性および多重特異性分子は、ＰＳＭＡ発現細胞を標的としてエフェクター細胞と結合し、本発明のヒトモノクローナル抗体のように、ＰＳＭＡ発現細胞の貪食作用、抗体依存性細胞媒介性細胞傷害（ＡＤＣＣ）、サイトカイン放出または超酸化物アニオンの産生などのＦｃレセプター媒介エフェクター細胞の活性を誘発する。
【０１２６】
本発明の二重特異性および多重特異性分子は、抗Ｆｃ結合特異性部分および抗ＰＳＭＡ結合特異性部分に加え、第三の結合特異性部分もさらに含んでもよい。ある態様において、第三の結合特異性部分は、例えば、細胞毒性活性に関与し、そのため標的細胞に対する免疫応答を増加させる表面蛋白質に結合する分子などの抗増殖因子（ＥＦ）部分である。「抗増殖因子部分」は、抗体、機能的抗体フラグメント、または例えば、抗原またはレセプターなどの所与の分子に結合するリガンドであってもよく、したがってその結果、Ｆｃレセプターまたは標的細胞抗原の結合決定因子の効果を増強する。「抗増殖因子部分」は、Ｆｃレセプターまたは標的細胞抗原に結合することができる。あるいは、抗増殖因子部分は、第一および第二の結合特異性部分が結合する部分とは異なるものと結合することができる。例えば、抗増殖因子部分は、細胞毒性Ｔ細胞（例えば、ＣＤ２、ＣＤ３、ＣＤ８、ＣＤ２８、ＣＤ４、ＣＤ４０、ＩＣＡＭ−１またはその他の標的細胞に対する免疫応答を上昇させるその他の免疫細胞を介して）に結合することができる。
【０１２７】
ある態様において、本発明の二重特異性および多重特異性分子は、結合特異性部分として、少なくとも一つの抗体、または例えばＦａｂ、Ｆａｂ’、Ｆ（ａｂ’）２、Ｆｖ、または一本鎖Ｆｖを含む抗体フラグメントを含む。その抗体は、１９９０年８月７日発行のLadnerらの米国特許第4,946,778号（その内容を引用によって明確に援用する）に記載の、軽鎖または重鎖二量体、またはＦｖまたは一本鎖構築物などそのあらゆる最小のフラグメントであってもよい。
【０１２８】
ある態様において、本発明の二重特異性および多重特異性分子は、エフェクター細胞の表面上に存在するＦｃγＲまたはＦｃαＲへの結合特異性部分、およびＰＳＭＡなどの標的細胞抗原への第二の結合特異性部分を含む。
【０１２９】
ある態様において、Ｆｃレセプターへの結合特異性はヒトモノクローナル抗体により提供され、その結合はヒト免疫グロブリンＧ（ＩｇＧ）により遮断されない。ここで用いられる「ＩｇＧレセプター」とは、染色体１番の上にある８つのγ鎖遺伝子のうちのいずれかを意味する。これらの遺伝子は、ＦｃγＲＩ（ＣＤ６４）、ＦｃγＲＩＩ（ＣＤ３２）、およびＦｃγＲＩＩＩ（ＣＤ１６）という三種類のＦｃγレセプターのクラスに分類される、合計１２種類の膜貫通型または可溶性レセプターアイソフォームをコードしている。ある好ましい態様において、Ｆｃγレセプターは、ヒト高親和性ＦｃγＲＩである。ヒトＦｃγＲＩは７２ｋＤａの分子で、単量体ＩｇＧ（１０８〜１０９Ｍ−１）に高親和性を示す。
【０１３０】
このような好ましいモノクローナル抗体の産生および特徴は、FangerらによるＰＣＴ出願WO88/00052号および米国特許第4,954,617号に記載されている。その教示を引用により本明細書において完全に援用する。このような抗体は、レセプターのＦｃγ結合部位とは異なる部位にあるＦｃγＲＩ、ＦｃγＲＩＩ、またはＦｃγＲＩＩＩのエピトープに結合し、したがって、その結合は生理学的レベルのＩｇＧでは実質的に遮断されない。本発明に有用な特異的抗ＦｃγＲＩ抗体は、ｍＡｂ２２、ｍＡｂ３２、ｍＡｂ４４、ｍＡｂ６２およびｍＡｂ１９７である。ｍＡｂ３２を産生するハイブリドーマは、アメリカンタイプカルチャーコレクションからＡＴＣＣアクセッションナンバーＨＢ９４６９として入手することができる。別の態様において、抗Ｆｃγレセプター抗体は、ヒト化形態のモノクローナル抗体２２（Ｈ２２）である。Ｈ２２抗体の産生および特徴づけはGraziano, R.F.ら（1995）J. Immunol 155（10）：4996-5002およびPCT/US93/10384に記載されている。Ｈ２２抗体産生細胞系列は、アメリカンタイプカルチャーコレクションに１９９２年１１月４日に指定ＨＡ０２２ＣＬ１として委託され、アクセッションナンバーＣＲＬ１１１７７を有している。
【０１３１】
さらに他の好ましい態様において、Ｆｃレセプターへの結合特異性部分は、例えば、Ｆｃ-アルファレセプター（ＦｃαＲＩ（ＣＤ８９））などのヒトＩｇＡレセプターに結合する抗体により提供され、その結合は好ましくはヒト免疫グロブリンＡにより遮断されない。用語「ＩｇＡレセプター」は、染色体１９番上に位置するα遺伝子（ＦｃαＲＩ）の遺伝子産物を含むことが意図される。この遺伝子は代替的にスプライスされた５５〜１１０ｋＤａの膜貫通アイソフォームを数種コードすることが知られている。ＦｃαＲＩ（ＣＤ８９）は単球／マクロファージ、好酸性および好中性顆粒球上に構成的に発現するが、非エフェクター細胞群には発現しない。ＦｃαＲＩは、ＩｇＡ１およびＩｇＡ２の両方に対して中程度の親和性（?５×１０７Ｍ−１）を有し、Ｇ−ＣＳＦまたはＧＭ−ＣＳＦなどのサイトカインに接触すると増加する（Morton, H.C.ら（1996）Critical Reviews in Immunology 16:423-440）。ＩｇＡリガンド結合ドメイン外でＦｃαＲＩと結合する、Ａ３、Ａ５９、Ａ６２およびＡ７７として同定される４種類のＦｃαＲＩ特異性モノクローナル抗体について記載されている（Monteiro, R.C.ら、1992, J. Immunol. 148:1764）。
【０１３２】
ＦｃαＲＩおよびＦｃγＲＩは、本発明に用いられる好ましいトリガーレセプターである。なぜならそれらは（１）例えば、単球、ＰＭＮ、マクロファージおよび樹状細胞などの免疫エフェクター細胞上に主に発現し、（２）広範に発現し（例えば、細胞１個につき５，０００〜１００，０００個）（３）細胞毒性活性の媒介物（例えば、ＡＤＣＣ、貪食作用など）であり、（４）それらが標的として結合する自己抗原を含む抗原の抗原提示の促進を媒介するためである。
【０１３３】
他の態様において、本発明の二重特異性および多重特異性分子は、ＰＳＭＡなどの標的細胞抗原と結合するなどの認識を行う結合特異性部分をさらに含む。好ましい態様において、その結合特異性部分は、本発明のヒトモノクローナル抗体によって提供される。
【０１３４】
本明細書において用いられる「エフェクター細胞特異性抗体」とは、エフェクター細胞のＦｃレセプターに結合する抗体または機能的抗体フラグメントを意味する。本発明に用いる好ましい抗体は、内因性免疫グロブリンが結合しない部位のエフェクター細胞のＦｃレセプターに結合する。
【０１３５】
本明細書において用いられる「エフェクター細胞」という用語には、免疫応答の認識および活性化段階に対して、免疫応答のエフェクター段階に関与する免疫細胞を意味する。例示的な免疫細胞は、リンパ球（例えば、細胞溶解性Ｔ細胞（ＣＴＬ）を含むＢ細胞およびＴ細胞など）、キラー細胞、ナチュラルキラー細胞、マクロファージ、単球、好酸球、好中球、多形核細胞、顆粒球、マスト細胞、および好塩基球などの骨髄性およびリンパ性起源の細胞が含まれる。いくつかのエフェクター細胞は、特異的Ｆｃレセプターを発現し、特異的免疫機能を行う。好ましい態様において、エフェクター細胞は抗体依存性細胞媒介性細胞傷害作用（ＡＤＣＣ）を誘発することができ、例えば、ＡＤＣＣを誘発することができる好中球などである。例えば、ＦｃＲを発現する単球、マクロファージは、特定の標的細胞の死滅、および免疫系の他の成分への抗原提示、または抗原を提示する細胞への結合に関与する。他の態様において、エフェクター細胞は、標的抗原、標的細胞、または微生物を貪食することができる。エフェクター細胞上の特定のＦｃＲの発現は、サイトカインなどの体液性因子により調節することができる。例えば、ＦｃγＲＩの発現は、インターフェロンガンマ（ＩＮＦ−γ）によりアップレギュレーションされることがわかっている。この発現の促進により、標的に対するＦｃγＲＩ含有細胞の細胞毒性活性が上昇する。エフェクター細胞は、標的抗原または標的細胞を貪食または溶解することができる。
【０１３６】
「標的細胞」とは、本発明の組成物（例えば、ヒトモノクローナル抗体、二重特異性または多重特異性分子）の標的となる可能性がある、被験体（例えば、ヒトまたは動物）中の望ましくないあらゆる細胞を意味する。好ましい態様において、標的細胞は、ＰＳＭＡを発現、または過剰発現する細胞である。ＰＳＭＡを発現する細胞には、典型的に、膀胱、乳房、大腸、腎臓、卵巣、前立腺、腎細胞、扁平細胞、肺（非小細胞）などの腫瘍細胞、ならびに頭部および頚部の腫瘍細胞が含まれる。他の標的細胞としては、滑液細胞が含まれる。
【０１３７】
ヒトモノクローナル抗体が好ましいが、本発明の二重特異性または多重特異性分子に用いてもよいその他の抗体として、マウス、キメラ、およびヒト化モノクローナル抗体がある。
【０１３８】
キメラマウス-ヒトモノクローナル抗体（すなわちキメラ抗体）は、当該技術分野において公知の組換えＤＮＡ技術により作製することができる。例えば、マウス（またはその他の種）のモノクローナル抗体分子のＦｃ定常領域をコードする遺伝子を制限酵素で消化してマウスＦｃをコードする領域を除去し、ヒトＦｃ定常領域をコードする遺伝子の等価部分に置換する（Robinsonら、国際特許公報第PCT/US86/02269号； Akiraら、欧州特許出願第184,187号； Taniguchi, M., 欧州特許出願第171,496号； Morrisonら、欧州特許出願第173,494号； Neubergerら、国際出願第WO 86/01533号； Cabillyら。米国特許第4,816,567号； Cabillyら、欧州特許出願第125,023号； Betterら（1988 Science 240:1041-1043）； Liuら（1987）PNAS 84:3439-3443； Liuら、1987、J. Immunol. 139:3521-3526； Sunら（1987）PNAS 84:214-218； Nishimura ら、1987、Canc. Res. 47:999-1005； Wood ら（1985）Nature 314:446-449；およびShawら、1988、J. Natl Cancer Inst. 80:1553-1559参照）。
【０１３９】
キメラ抗体は、抗原結合に直接関与していないＦｖ可変領域の配列をヒトＦｖ可変領域の等価配列に置換して、さらにヒト化することができる。ヒト化キメラ抗体の一般的な考察は、Morrison, S. L., 1985, Science 229:1202-1207およびOiらによる1986、BioTechniques 4:214により提供されている。その方法には、少なくとも一つの重鎖または軽鎖から得た免疫グロブリンＦｖ可変領域のすべてまたは一部をコードする核酸配列を、単離、操作、および発現することが含まれる。このような核酸の供給源は、当業者に公知で、例えば、抗ＧＰＩＩｂＩＩＩａ抗体産生ハイブリドーマ、７Ｅ３から得られたものでよい。その後、キメラ抗体をコードする組換えＤＮＡまたはそのフラグメントを適切な発現ベクターにクローニングすることができる。また、適切なヒト化抗体は、米国特許第5,225,539号； Jones ら、1986 Nature 321:552-525； Verhoeyanら、1988 Science 239:1534；およびBeidler ら、1988 J. Immunol. 141:4053-4060に記載のＣＤＲ置換により作製することもできる。
【０１４０】
特定のヒト抗体のＣＤＲはすべて非ヒトＣＤＲの少なくとも一部と置換してよく、またはＣＤＲの一部のみを非ヒトＣＤＲと置換してもよい。ヒト化抗体がＦｃレセプターに結合するのに必要な数のＣＤＲを置換するだけでよい。
【０１４１】
抗体をヒト化するには、ヒト抗体のＣＤＲの少なくとも一部分を非ヒト抗体由来のＣＤＲと置換することができる、いずれかの方法を用いればよい。Winterは、本発明のヒト化抗体を調製するために用いることができる方法を説明しており（英国特許出願第GB 2188638A号、１９８７年３月２６日出願）、その内容を引用により本明細書において援用する。ヒトＣＤＲは、Humanized Antibodies to Fc Receptors for Immunoglobulin G on Human Mononuclear Phagocytesと題された国際出願第WO 94/10332号に記載のオリゴヌクレオチド部位特異的突然変異誘発を用いて、非ヒトＣＤＲと置換してもよい。
【０１４２】
特定のアミノ酸が置換、欠失または付加されたキメラまたはヒト化抗体もまた、本発明の範囲内である。特に、好ましいヒト化抗体は、抗原への結合性を改善するためにフレームワーク領域のアミノ酸を置換する。例えば、マウスＣＤＲを有するヒト化抗体の場合、ヒトフレームワーク領域にあるアミノ酸をマウス抗体の対応する位置にあるアミノ酸に置換することができる。このような置換は、場合によってヒト化抗体の抗原への結合を改善することが知られている。アミノ酸が付加、欠失、または置換された抗体を、ここでは改変抗体または変更抗体と呼ぶ。
【０１４３】
改変抗体という用語は、例えば、抗体の一部を欠失、付加または置換することにより改変されたモノクローナル抗体、キメラ抗体およびヒト化抗体などの抗体を含むことも意図される。例えば、抗体は、定常領域を除去して、例えば、抗体の半減期（血清半減期など）、親和性または安定性を増加させるような定常領域に置換することにより改変することができる。どのような改変も、二重特異性および多重特異性分子がＦｃγＲに特異的な抗原結合領域を少なくとも一つ有し、少なくとも一つのエフェクター機能を誘発する限り、本発明の範囲内である。
【０１４４】
本発明の二重特異性および多重特異性分子は、化学的技術（D. M. Kranz ら、（1981） Proc. Natl. Acad. Sci. USA 78:5807などを参照）、「ポリドーマ」技術（米国特許第 4,474,893号を解釈のために参照）、または組換えＤＮＡ技術を用いて作製することができる。
【０１４５】
特に、本発明の二重特異性および多重特異性分子は、当該技術分野において公知で、本明細書において提供される例に記載される方法を用いて、例えば、抗ＦｃＲおよび抗ＰＳＭＡ結合特異性部分などの要素結合特異性部分を結合することによって調製することができる。例えば、二重特異性および多重特異性分子の各結合特異性部分を別々に作製し、互いに結合することができる。結合特異性部分が蛋白質またはペプチドの場合、様々な結合または架橋剤を共有結合的な結合に用いることができる。架橋剤の例としては、蛋白質Ａ、カルボジイミド、Ｎ-スクシンイミジル-Ｓ-アセチルチオ酢酸（ＳＡＴＡ）、5,5-ジチオビス（2-ニトロベンゼン酸）（ＤＴＮＢ）、o-フェニレンジマレイミド（ｏＰＤＭ）、Ｎ-スクシンイミジル-3-（2-ピリジルジチオ）プロピン酸塩（ＳＰＤＰ）、およびスルホスクシンイミジル４-（Ｎ−マレイミドメチル）シクロヘキサン−１−カルボン酸塩（スルホ−ＳＭＣＣ）が含まれる（例えば、Karpovsky ら、（1984） J. Exp. Med. 160:1686； Liu, MA ら、（1985） Proc. Natl. Acad. Sci. USA 82:8648を参照）。その他の方法としては、Paulus （Behring Ins. Mitt.（1985） No. 78, 118-132）； Brennan ら（Science （1985） 229:81-83）およびGlennieら（J. Immunol.（1987）139: 2367-2375）が含まれる。好ましい結合剤は、ＳＡＴＡおよびスルホ−ＳＭＣＣであり、いずれもPierce Chemical Co.（（Rockford、IL）から入手できる。
【０１４６】
結合特異性部分が抗体（例えば、二つのヒト化抗体）である場合は、二つの重鎖のＣ末端ヒンジ領域のスルフヒドリル結合を介してそれらを結合することができる。特に好ましい態様においては、１個の奇数個のスルフヒドリル残基を有するように、結合前にヒンジ領域を修飾することが好ましい。
【０１４７】
あるいは、いずれの結合特異性部分も同一ベクターにコードされて、同一の宿主細胞に発現および構築することができる。この方法は、二重特異性および多重特異性分子がｍＡｂ×ｍＡｂ、ｍＡｂ×Ｆａｂ、Ｆａｂ×Ｆ（ａｂ’）２またはリガンド×Ｆａｂ融合蛋白質である場合に、特に有用である。例えば、二重特異性分子などの本発明の二重特異性および多重特異性分子は、一本鎖二重特異性抗体、一つの一本鎖結合抗体および結合決定因子を含む一本鎖二重特異性分子、または二つの結合決定因子を含む一本鎖二重特異性分子などの一本鎖分子であってもよい。二重特異性および多重特異性分子は、一本鎖分子であってもよく、または少なくとも二つの一本鎖分子を含んでいてもよい。二重特異性および多重特異性分子の調製方法は、例えば、米国特許第5,260,203号； 米国特許第5,455,030号； 米国特許第4,881,175号； 米国特許第5,132,405号； 米国特許第5,091,513号； 米国特許第5,476,786号； 米国特許第 5,013,653号； 米国特許第5,258,498号； および米国特許第 5,482,858号に記載されている。
【０１４８】
二重特異性および多重特異性分子のそれぞれの特異的標的への結合は、酸素結合免疫吸着検査法（ＥＬＩＳＡ）、放射性免疫測定法（ＲＩＡ）、ＦＡＣＳ分析、生物学的検定法（例えば、成長阻害）、またはウェスタンブロット法により確認することができる。これら各検定法は一般に、目的とする複合体に特異的な標識試薬（例えば、抗体）を用いた、目的の蛋白質−抗体複合体の存在を検出する。例えば、ＦｃＲ−抗体複合体は、例えば酵素結合抗体または抗体−ＦｃＲ複合体を認識し特異的に結合する抗体フラグメントなどを用いて検出することができる。また、複合体はその他の各種免疫検定法のいずれかを用いて検出することができる。例えば、抗体を放射性標識し、放射性免疫測定法（ＲＩＡ）を用いることができる（例えば、引用により本明細書において援用されるWeintraub, B., Principles of Radioimmunoassays, Seventh Training Course on Radioligand Assay Techniques, The Endocrine Society, March, 1986を参照）。放射性同位体はγ線カウンターまたはシンチレーションカウンターを用いた方法、またはオートラジオグラフィにより検出することができる。
【０１４９】
ＩＶ．抗体抱合体／免疫毒素
別の局面において、本発明は、細胞毒素、薬物または放射性同位体などの治療部分に結合したヒト抗ＰＳＭＡモノクローナル抗体、またはそのフラグメントを特徴とする。細胞毒素と結合する場合、これらの抗体複合体を「免疫毒素」という。細胞毒素、または細胞毒性物質には、細胞に有害な（例えば、細胞を殺す）物質がいずれも含まれる。例としては、タキソール、サイトカラシンＢ、グラミシジンＤ、臭化エチジウム、エメチン、ミトマイシン、エトポシド、テノポシド、ビンクリスチン、ビンブラスチン、コルヒチン、ドキソルビシン、ダウノルビシン、ジヒドロキシアントラシンジオン、ミトキサントロン、ミトラマイシン、アクチノマイシンＤ、1-デヒドロテストステロン、グルココルチコイド類、プロカイン、テトラカイン、リドカイン、プロプラノール、ピューロマイシン、およびそれらの類似体またはホモログが含まれる。治療剤には、代謝拮抗剤（例えば、メトトレキセート、6-メルカプトプリン、6-チオグアニン、シタラビン、5-フルオロウラシルデカルバジン）アルカリ化剤（例えば、メクロレタミン、チオエパクロラムブシル、メルファラン、カルムスチン（ＢＳＮＵ）およびロムスチン（ＣＣＮＵ）、シクロトスファミド、ブスルファン、ジブロモマンニトール、ストレプトゾトシン、ミトマイシンＣ、およびシス−ジクロロジアミン白金（ＩＩ）（ＤＤＰ）シスプラチン）、アントラシクリン類（例えば、ダウノルビシン（以前はダウノマイシン）およびドキソルビシン）、抗生物質（例えば、ダクチノマイシン（以前はアクチノマイシン）、ブレオマイシン、ミトラマイシン、およびアントラマイシン（ＡＭＣ））、および有糸分裂阻害剤（例えば、ビンクリスチンおよびビンブラスチン）が含まれる。本発明の抗体に抱合され得る治療的細胞毒の他の例としては、カリケアマイシン、デュオカルマイシンが含まれる。
【０１５０】
本発明のヒト抗体はまた、放射性ヨウ素などの放射性同位体に結合して、ＰＳＭＡ関連疾患（例えば、腫瘍）の治療用または診断用の、細胞毒性または非細胞毒性の放射性医薬品を作製することもできる。
【０１５１】
本発明の抗体複合体は、所与の生物学的応答を変更するために用いることもでき、その薬物部分を従来の化学療法薬剤に限定して解釈しない。例えば、その薬物部分は望ましい生物学的活性を処理する蛋白質またはポリペプチドであってよい。このような蛋白質には、例えば、アブリン、リシンＡ、緑膿菌エンドトキシン、またはジフテリアトキシンなどの酵素的に活性な毒素、またはその活性フラグメント、腫瘍壊死因子またはインターフェロンγなどの蛋白質、または例えば、リンホカイン類、インターロイキン−１（「ＩＬ−１」）、インターロイキン−２（「ＩＬ−２」）、インターロイキン−６（「ＩＬ−６」）、顆粒球マクロファージコロニー刺激因子（「ＧＭ−ＣＳＦ」）、顆粒球コロニー刺激因子（「Ｇ−ＣＳＦ」）、またはその他の成長因子が含まれてもよい。
【０１５２】
このような治療部分を抗体に結合させる技術は公知で、例えばArnon ら、"Monoclonal Antibodies For Immunotargeting Of Drugs In Cancer Therapy", in Monoclonal Antibodies And Cancer Therapy, Reisfeld ら（eds.） pp. 243-56（Alan R. Liss, Inc. 1985）； Hellstrom ら、"Antibodies For Drug Delivery", in Controlled Drug Delivery（第２版）、Robinsonら（eds.）, pp. 623-53 （Marcel Dekker, Inc. 1987）； Thorpe, "Antibody Carriers Of Cytotoxic Agents In Cancer Therapy: A Review", in Monoclonal Antibodies '84: Biological And Clinical Applications, Pinchera ら（eds.）、pp. 475-506 （1985）； "Analysis, Results, And Future Prospective Of The Therapeutic Use Of Radiolabeled Antibody In Cancer Therapy", in Monoclonal Antibodies For Cancer Detection And Therapy, Baldwin ら（eds.）、pp. 303-16 （Academic Press 1985）およびThorpeら、"The Preparation And Cytotoxic Properties Of Antibody-Toxin Conjugates", Immunol. Rev., 62:119-58（1982）を参照されたい。
【０１５３】
Ｖ．薬学的組成物 
別の局面において、本発明は、組成物、例えば、本発明のヒトモノクローナル抗体またはその抗原結合部分の一つまたはその組み合わせを含有する薬学的組成物を、薬学的に許容される担体とともに調剤した組成物を提供する。そのような組成物には、本発明のヒト抗体の１つまたは（例えば、２つ以上）の組み合わせが含まれる。
【０１５４】
ある態様において、本発明は、ヒトＰＳＭＡ上の異なるエピトープに結合し、例えば、薬学的組成物として相補的な活性を有するヒト抗ＰＳＭＡ抗体の組み合わせを含む治療用組成物を提供する。例えば、エフェクター細胞の存在下で標的細胞の高効率的な死滅を媒介するヒトモノクローナル抗体は、ＰＳＭＡを発現する細胞の成長を阻害する別のヒトモノクローナル抗体と組み合わせることができる。
【０１５５】
別の態様において、治療用組成物は、免疫複合体または本発明の二重特異性（もしくは多重特異性）分子の１以上の組み合わせを含む。
【０１５６】
本発明の薬学的組成物は、併用療法として、つまり他の薬剤と組み合わせて投与することもできる。例えば、併用療法には、本発明の組成物と少なくとも一つの抗腫瘍薬またはその他の従来療法を組み合わせた療法も含むことができる。
【０１５７】
本明細書において用いられる「薬学的に許容される担体」には、生理学的に適合の溶媒、分散媒、コーティング剤、抗細菌剤および抗真菌剤、等張剤および吸収遅延剤などが含まれる。好ましくは、担体は、静脈内投与、筋肉内投与、皮下投与、非経口投与、脊髄投与、または表皮投与（例えば、注射または点滴による）に好適である。投与経路によっては、活性化合物、つまり抗体、二重特異性および多重特異性分子は、酸の作用またはその化合物が不活化するであろう自然条件からその化合物を保護する物質でコーティングされていてもよい。
【０１５８】
「薬学的に許容される塩」とは、親化合物の望ましい生物学的活性を保持し、望ましくない毒性作用を付与しない塩を意味する（例えば、Berge, S.Mら（1977） J. Pharm. Sci. 66:1-19を参照）。このような塩類の例には、酸付加塩および塩基付加塩が含まれる。酸付加塩には、塩酸塩、硝酸塩、リン酸塩、硫酸塩、臭化水素酸塩、ヨウ化水素酸塩、および亜リン酸塩などの無毒性無機酸から誘導された塩、および脂肪族一および二カルボン酸、フェニル置換アルカン酸、ヒドロキシアルカン酸、芳香族酸、ならびに脂肪族および芳香族スルホン酸などの無毒性有機酸から誘導した塩が含まれる。塩基付加塩には、ナトリウム、カリウム、マグネシウム、およびカルシウムなどのアルカリ土類金属から誘導した塩、およびN,N'-ジベンジルエチレンジアミン、N-メチルグルカミン、塩化プロカイン、コリン、ジエタノールアミン、エチレンジアミン、およびプロカインなどの無毒性有機アミンから誘導した塩が含まれる。
【０１５９】
本発明の組成物は、当該技術において公知の各種の方法により投与することができる。当業者に認識されるように、投与経路および/またはモードは、望まれる結果によって変化するであろう。活性化合物は、インプラント、経皮パッチ、およびマイクロカプセル送達システムを含む制御放出製剤などの、速放性から化合物を保護するであろう担体とともに調製することができる。エチレンビニル酢酸、ポリ無水物、ポリグリコール酸、コラーゲン、ポリオルトエステル、およびポリ乳酸などの生分解性、生適合性ポリマーを用いることができる。このような製剤の調製方法の多くは、特許化されているか、または当業者に一般的に公知である。例えば、Sustained and Controlled Release Drug Delivery Systems, J.R. Robinson, ed., Marcel Dekker, Inc., New York, 1978参照。
【０１６０】
本発明の化合物を特定の投与経路で投与するために、その化合物の不活化を防ぐための物質でその化合物を被覆する、またはそのような物質を併用投与する必要があることがある。例えば、その化合物を被験体に投与する際に、例えば、リポソームまたは希釈剤などの適切な担体に入れてよい。薬学的に許容される希釈剤には、食塩水、およびバッファ水溶液が含まれる。リポソームには水中油中水ＣＧＦエマルションおよび従来のリポソームが含まれる（Strejan ら（1984） J. Neuroimmunol. 7:27）。
【０１６１】
薬学的に許容される担体には、滅菌水溶液または懸濁液、滅菌注射可能水溶液または分散液を即時調剤するための滅菌粉末が含まれる。このような媒質および薬剤を薬学的に活性な物質に使用することは、当該技術分野に公知である。従来の媒質または薬剤が活性化合物に不適合でない限り、本発明の薬学的組成物にそれらを用いることが意図される。補足活性化合物がその組成物中に組み込まれてもよい。
【０１６２】
治療用組成物は、典型的に、製造および保存の条件下で、滅菌状態で安定でなければならない。その組成物は、溶液、マイクロエマルション、リポソーム、または高薬物濃度に適したその他の整った構造物として調剤することができる。担体は、例えば、水、エタノール、ポリオール（例えば、グリセロール、プロピレングリコール、および液状ポリエチレングリコールなど）、およびそれらの適切な混合物などを含む溶媒または分散液媒質であってもよい。例えば、レクチンなどのコーティング剤の使用、分散液の場合は必要な粒子サイズの維持、および界面活性剤の使用などにより、適切な流動性を維持することができる。多くの場合、例えば、糖、マンニトール、ソルビトールなどのポリアルコール、または塩化ナトリウムなどの等張剤が組成物に含まれることが好ましいであろう。例えば、モノステアリン酸塩およびゼラチンなどの吸収を遅延させる薬剤をに含ませることにより、注射可能組成物の吸収を遅延させることが可能になる。
【０１６３】
滅菌注射可能溶液は、必要量の活性化合物を上述の成分の一種またはそれらを組み合わせた適切な溶媒に混合し、その後必要に応じて滅菌マイクロ濾過を行って調製することができる。一般的に、分散液は、基本的な分散媒および上述の成分のうち必要なその他の成分を含有する滅菌担体に活性化合物を混合して調製する。滅菌注射可能溶液の調製用の滅菌粉末の場合、好ましい調製方法は、乾燥または冷凍乾燥（凍結乾燥）で、それにより、活性成分にあらかじめ滅菌濾過済みの溶液の望ましい成分を加えた粉末を得る。
【０１６４】
投与計画は、望ましい応答（例えば、治療応答）が最適化されるように調節される。例えば、単回ボラスで投与してもよく、経時的に数回に分けて投与してもよく、治療状況の緊急性に応じて投与量を減少または増加させてもよい。特に、投与を簡易にし、投与量を一定にするために、非経口成分を投与単位剤形に調剤すると有利である。ここで用いられる投与単位剤形とは、治療される被験体に適切な一回投与量を物理的に離散させた単位を意味し、各単位に、望ましい治療効果を生じるように計算されたあらかじめ決められた量の活性化合物を必要な薬学的担体と合わせて含有している。本発明の投与単位剤形の規格は、（ａ）活性化合物に固有の特徴および実現すべき特定の治療効果、（ｂ）個人における治療感受性の活性化合物を調合する技術に特有の限界により支配され、またそれに直接依存する。
【０１６５】
薬学的に許容される酸化防止剤の例には、（１）アスコルビン酸、塩酸システイン、重硫酸ナトリウム、メタ重亜硫酸ナトリウムおよび硫酸ナトリウムなどの水溶性酸化防止剤、（２）アスコルビン酸パルミテート、ブチルヒドロキシアニソール（ＢＨＡ）、ブチルヒドロキシトルエン（ＢＨＴ）、レシチン、没食子酸プロピル、およびアルファトコフェロールなどの油溶性酸化防止剤、および（３）クエン酸、エチレンジアミンテトラ酢酸（ＥＤＴＡ）、ソルビトール、酒石酸、およびリン酸などの金属キレート剤が含まれる。
【０１６６】
治療用組成物については、本発明の製剤には、経口、経鼻、局所（頬側および舌下を含む）、直腸内、膣内、および/または非経口投与に適したものが含まれる。その製剤は、便利な単位投与剤形で与えられてよく、薬学分野に知られるいずれかの方法により調製すればよい。担体物質と組み合わせて単回投与剤形にすることができる活性成分の量は、治療される被験体により、および特定の投与モードにより変わるであろう。担体物質と組み合わせて単回投与剤形にすることができる活性成分の量は、一般に治療効果を生じる組成物の量であろう。一般に、この量は、１００％中、約０．０１％〜約９９％、好ましくは約０．１％〜約７０％、最も好ましくは約１％〜約３０％の範囲の活性成分であろう。
【０１６７】
膣内投与に適する本発明の製剤には、ペッサリー、タンポン、クリーム、ジェル、ペースト、フォーム、またはスプレー製剤が含まれ、それらは当該技術分野において適切であるとして知られる担体を有する。本発明の組成物の局所または経皮投与用の投与剤形には、粉末、スプレー、軟膏、ペースト、クリーム、ローション、ジェル、液体、パッチ、および吸入剤が含まれる。活性化合物は滅菌条件下で、薬学的に許容される担体、および必要に応じて保存剤、緩衝剤、または噴射剤と混合してよい。
【０１６８】
ここで用いられる「非経口投与」および「非経口的に投与する」という文言は、経腸および局所投与以外の、通常注射による投与方法を意味し、限定されないが、静脈内、筋肉内、動脈内、クモ膜下内、嚢内、眼窩内、心内、皮内、腹腔内、経気管、皮下、表皮下、関節内、被膜下、クモ膜下、脊髄内、硬膜外および胸骨内注射または点滴を含む。
【０１６９】
本発明の薬学的組成物に用いられてよい適切な水性および非水性担体の例には、水、エタノール、ポリオール（グリセロール、プロピレングリコール、およびポリエチレングリコールなど）、およびそれらの適切な混合物、オリーブ油などの植物油、およびオレイン酸エチルなどの注射可能な有機エステルが含まれる。例えば、レクチンなどのコーティング剤の使用、分散液の場合には必要な粒子サイズの維持、および表面活性剤の使用によって、適切な流動性を維持することができる。
【０１７０】
これらの組成物は、保存剤、湿潤剤、乳化剤、および分散剤などのアジュバントも含有してよい。微生物の存在の防止は、上述の滅菌処置、および例えば、パラベン、クロロブタノール、およびソルビン酸フェノールなどの種々の抗細菌および抗真菌剤の含有により確実にされ得る。糖および塩化ナトリウムなどの等張剤を組成物に含有することも望ましいと考えられる。さらに、注射可能医薬品剤形は、モノステアリン酸アルミニウムおよびゼラチンなどの吸収遅延剤を含有することにより、吸収を遅延させてもよい。
【０１７１】
本発明の化合物が医薬品としてヒトおよび動物に投与される場合、その化合物は単体で、または例えば活性成分を０．０１％〜９９．５％（さらに好ましくは０．１％〜９０％）含有し薬学的に許容される担体と組み合わせた薬学的組成物として投与することができる。
【０１７２】
選択された投与経路にかかわらず、適切に水和された状態で用いられてよい本発明の組成物および／または本発明の薬学的組成物は、当業者に公知の従来の方法により薬学的に許容の投与剤形に調剤される。
【０１７３】
本発明の薬学的組成物中の活性成分の実際の投与レベルは、特定の患者、組成、および投与法に対する望ましい治療応答を実現するのに効果的で患者に毒性でないような、活性成分の量を得るために変化させてもよい。投与レベルの選択は、本発明に使用された特定の組成物、またはエステル、塩、またはそのアミドの活性、投与経路、投与時期、使用された特定の化合物の排出速度、治療期間、用いられた特定の組成物と併用したその他の薬物、化合物および/または物質、治療される患者の年齢、性別、体重、症状、一般的な健康状態、および既往歴、および医療分野で公知の同様の因子を含む、各種薬物動力学的因子に依存するであろう。
【０１７４】
当該技術分野の通常の技量を有する医師または獣医師は、必要とされる薬学的組成物の有効な量を、容易に決定し処方することができる。例えば、医師または獣医師は、薬学的組成物に使用される本発明の化合物の投与を、望ましい治療効果を得るために必要な量よりも少量から開始し、望ましい効果が得られるまで投与量を次第に増加させることもできる。一般に、本発明の組成物の好適な一日投与量は、治療効果を生じるために有効な最低投与量である化合物の量である。このような有効な投与量は、一般に上述した因子に依存するであろう。投与は、静脈内、筋肉内、腹腔内、または皮下であることが好ましく、好ましくは標的部位の近傍に投与する。必要であれば、治療用組成物の効果的一日投与量を、一日に２、３、４、５、６回以上の小投与量に、場合によっては単位投与剤形に分け適切な時間間隔をあけて投与してもよい。本発明の化合物は、単体で投与することもできるが、化合物は薬学的製剤（組成物）として投与することが好ましい。
【０１７５】
治療用組成物は当該技術分野において公知の医療用装置により投与することができる。例えば、好ましい態様において、本発明の治療用組成物は、米国特許第5,399,163号； 第5,383,851号； 第5,312,335号； 第5,064,413号； 第4,941,880号； 第4,790,824号； または第4,596,556号に開示される装置などの無針皮下注射装置で投与することができる。本発明に有用な公知のインプラントまたはモジュールの例には、米国特許第4,487,603号に開示された制御された速度で投薬するための埋込可能なマイクロ注入ポンプ、米国特許第4,486,194号に開示された治療用経皮投薬装置、米国特許第4,447,233号に開示された正確な注入速度で薬物送達する医療用注入ポンプ、米国特許第4,447,224号に開示された連続薬物送達用の埋込可能可変フロー注入装置、米国特許第4,439,196号に開示された複数のチャンバ区画を有する浸透圧薬物送達システム、および 米国特許第4,475,196号に開示された浸透圧薬物送達システムが含まれる。これらの特許を引用により本明細書に編入する。その他の同様のインプラント、送達システム、およびモジュールが数多く当業者に公知である。
【０１７６】
いくつかの態様において、本発明のヒトモノクローナル抗体は、in vivoにおける適切な分布を確実にするように調剤することができる。例えば、血液脳関門（ＢＢＢ）は、親水性の高い化合物を多量に排除する。本発明の治療用化合物が（必要に応じて）ＢＢＢを確実に通り抜けるためには、それらは、例えばリポソーム状に調剤することができる。リポソームの製造方法については、例えば、米国特許第4,522,811号、第5,374,548号、および第5,399,331号を参照されたい。リポソームは、特定の細胞または臓器へ選択的に送達される１以上の部分を含み、従って標的を定めた薬物送達を促進する（例えば、V.V. Ranade（1989）J. Clin. Pharmacol. 29:685参照）。標的用部分の例としては、葉酸またはビオチン（例えば、Lowらの米国特許第5,416,016号参照）、マンノシド（Umezawaら（1988） Biochem. Biophys. Res. Commun. 153:1038）、抗体（P.G. Bloeman ら（1995） FEBS Lett. 357:140； M. Owaisら（1995） Antimicrob. Agents Chemother. 39:180）、界面活性蛋白質Ａレセプター（Briscoeら（1995） Am. J. Physiol. 1233:134）、本発明の製剤を含んでいる可能性のある異なる種、ならびに本発明の分子の成分、p120（Schreierら（1994） J. Biol. Chem. 269:9090）が含まれ、さらにK. Keinanen； M.L. Laukkanen （1994） FEBS Lett. 346:123； J.J. Killion； I.J. Fidler （1994） Immunomethods 4:273も参照されたい。本発明のある態様において、本発明の治療用化合物はリポソーム中に調剤され、さらに好ましい態様において、リポソームには標的部分が含まれる。最も好ましい態様において、リポソーム中の治療用化合物は、腫瘍または感染の近傍部位へのボラス注射により送達される。組成物は注射器で注入しやすい程度に流動的でなければならない。製造および保存の条件下で安定でなければならず、また、細菌および真菌などの微生物の汚染から保護されていなければならない。
【０１７７】
「治療的に有効な投与量」は、未治療の被験体と比較して、腫瘍の成長を好ましくは少なくとも約２０％、さらに好ましくは少なくとも約４０％、よりさらに好ましくは少なくとも約６０％、さらにより好ましくは少なくとも約８０％阻害する。化合物の癌阻害能は、ヒト腫瘍における有効性を予測できる動物モデル系において調べることができる。あるいは、組成物のこの特性は、化合物の阻害能、つまりin vitroにおける阻害を、熟練した施行者に知られる検定法により検査することによって調べることができる。治療的に有効な量の治療用化合物を用いると腫瘍サイズを減少させるか、そうでなければ被験体の症状を改善することができる。当業者はこのような量を、被験体の大きさ、被験体の症状の重篤度、および特定の組成物または投与経路などの要因に基づいて決定することができる。
【０１７８】
組成物は滅菌され、組成物が注射器により送達可能な程度に流動的でなければならない。その担体は、水に加えて、等張緩衝食塩水、エタノール、ポリオール（例えば、グリセロール、プロピレングリコールおよび液体状ポリエチレングリコールなど）、およびそれらの適切な混合物であってもよい。例えば、レクチンなどのコーティング剤の使用、分散液の場合には必要な粒子サイズの維持、および表面活性剤の使用などにより、適切な流動性を保つことができる。多くの場合、例えば、糖類、マンニトールまたはソルビトールなどのポリアルコール類、および塩化ナトリウムなどの等張剤が組成物に含まれることが好ましい。例えば、モノステアリン酸アルミニウムまたはゼラチンなどの吸収を遅延する薬剤を組成物に含有することにより、注射可能組成物の長時間吸収を生じさせることができる。
【０１７９】
活性化合物が上述のように適切に保護される場合、その化合物は例えば、不活性希釈剤または投与可能な食用担体とともに経口投与してよい。
【０１８０】
ＶＩ．本発明の使用および方法 
本発明のヒトモノクローナル抗ＰＳＭＡ抗体および関連する誘導体／複合体および組成物は、in vivo およびin vitroにおける診断用および治療用の有用性がある。例えば、これらの分子は、例えば、in vitroまたはex vivoにおいて、培養液中の細胞に投与することができる。あるいは、例えば、in vivoにおいて被験体に投与し、各種のＰＳＭＡ関連疾患の治療、予防、または診断をすることができる。ここで用いられる「被験体」という用語は、ヒトおよび非ヒト動物を含むことを意図する。好ましい被験体には、ＰＳＭＡの発現、一般に異常発現（例えば、過剰発現）を特徴とする疾患を有するヒト患者が含まれる。したがって、本発明の方法および組成物は、例えば、前立腺癌、大腸癌および腎臓の癌腫を含むＰＳＭＡを発現する腫瘍細胞の存在を特徴とする疾患などの、腫瘍発生疾患を有する被験体の治療に用いることができる。本発明の「非ヒト動物」という用語には、非ヒト霊長目、ヒツジ、イヌ、ウシ、ニワトリ、両生類、爬虫類などの、哺乳類および非哺乳類などの脊椎動物すべてが含まれる。
【０１８１】
好ましい態様において、本発明は、被験体において前立腺癌を治療するための方法であって、被験体に本発明の抗ＰＳＭＡ抗体の１つを投与することを含む方法を提供する。別の態様において、その抗ＰＳＭＡ抗体は、抗体が、例えば、放射性物質または細胞毒素と結合する複合体として投与される。さらに別の態様において、該抗ＰＳＭＡ抗体は、抗ＦｃγＲＩまたは抗Ｆｃαと結合する二重特異性分子として投与される。
【０１８２】
本発明のヒト抗体は、治療または診断用用途に関する結合活性について、まずin vitroにおいて検査することができる。例えば、本発明の組成物は、以下の実施例に記載のＥＬＩＳＡおよびフローサイトメトリーを用いて検査することができる。さらに、ＰＳＭＡ発現細胞の細胞溶解を含むエフェクター媒介エフェクター細胞活性を少なくとも一つ誘発するこれらの分子の活性を検定することができる。エフェクター細胞媒介貪食作用の検定用のプロトコルを以下の実施例に記載する。
【０１８３】
本発明のヒト抗体にはまた、ＰＳＭＡ関連疾患の治療および診断におけるさらなる有用性がある。例えば、ヒトモノクローナル抗体、多重特異性または二重特異性分子を用いて、例えば、ＰＳＭＡ発現細胞のオプソニン化、ヒトエフェクター細胞の存在下でのＰＳＭＡ発現細胞の貪食作用または細胞溶解の媒介、またはＰＳＭＡ発現細胞の成長阻害といった生物学的活性を一つ以上、in vivoまたはin vitroにおいて明らかにすることができる。
【０１８４】
本発明の抗体および組成物を投与するための好適な方法は、当該技術分野において公知である。好適な投与量も当該技術分野の技量の範囲内で決定することができ、そしてそれは被験体の年齢および体重、および用いられる特定の薬剤に依存するだろう。
【０１８５】
本発明のヒト抗ＰＳＭＡ抗体はまた、他の治療薬、例えば、化学治療用物質と一緒に共投与することができる。または、他の公知の治療、例えば、放射線治療などの抗癌治療とあわせて共投与することができる。そのような治療薬としては、とりわけ、ドキソルビシン（アドリアマイシン）、シスプラチン、硫酸ブレオマイシン、カルムスチン、クロランブシル、シクロホスファミド、ヒドロキシ尿素などの抗悪性腫瘍薬が含まれ、それらは、それら自身、患者に対して毒性もしくは亜毒性となるレベルでのみ有効である。シスプラチンは、４週間毎に１回、１００ｍｇ/ｍ２の投与量で静脈内投与され、アドリアマイシンは、２１日毎に１回、６０〜７５ｍｇ/ｍ２の投与量で静脈内投与される。本発明のヒト抗ＰＳＭＡ抗体またはその抗原結合フラグメントは、化学治療用物質と共投与することによって、細胞毒性効果をヒト腫瘍細胞にもたらす、異なる機序で作用する２つの抗癌剤を提供する。そのような共投与は、薬剤抵抗性の発達によって生じる問題を解決することができ、または抗体と反応性を示さないそれらの腫瘍細胞の抗原特性に変化をもたらす。
【０１８６】
本発明のヒト抗体、多重特異性または二重特異性分子などに結合したエフェクター細胞などの標的特異性エフェクター細胞は、治療薬として用いることもできる。標的化のためのエフェクター細胞は、マクロファージ、好中球または単球などのヒト白血球であってもよい。その他の細胞としては、好酸球、ナチュラルキラー細胞、およびその他のＩｇＧまたはＩｇＡレセプターを有する細胞が含まれる。必要であれば、エフェクター細胞は治療される被験体から採取することもできる。標的特異性エフェクター細胞は、生理学的に許容される溶液中の細胞の懸濁液として投与することができる。投与される細胞数は約１０８〜１０９個とすることができるが、治療目的により変化するであろう。一般に、その量であれば、例えば、ＰＳＭＡを発現する腫瘍細胞などの標的細胞に局在化するのに十分であり、貪食作用などにより細胞死滅を引き起こすのに効果的であろう。投与経路も変えることができる。
【０１８７】
標的特異性エフェクター細胞による治療は、標的細胞の除去のための他の技術と併用して行うことができる。例えば、本発明の組成物（例えば、ヒト抗体、多重特異性および二重特異性分子）および／またはこれらの組成物に保護されたエフェクター細胞を用いた抗腫瘍療法は、化学療法と併用することができる。さらに、併用免疫療法は、二つの異なる細胞毒性エフェクター群を腫瘍細胞拒絶に向かわせるように用いることができる。例えば、抗ＦｃガンマＲＩまたは抗ＣＤ３に結合した抗ＰＳＭＡ抗体をＩｇＧまたはＩｇＡレセプター特異性結合剤と組み合わせてもよい。
【０１８８】
本発明の二重特異性および多重特異性分子は、細胞表面上のレセプターのキャップまたは排除などにより、エフェクター細胞上のＦｃγＲまたはＦｃαＲレベルを調節するために用いることもできる。抗Ｆｃレセプターの混合物もこの目的のために用いることができる。
【０１８９】
補体を結合するＩｇＧ１、−２、もしくは−３、またはＩｇＭの部分などの補体結合部位を有する本発明の組成物（例えば、ヒト抗体、多重特異性および二重特異性分子）は、補体の存在下においても用いることができる。ある態様において、本発明の結合剤および適切なエフェクター細胞による標的細胞を含む細胞集団のex vivo治療には、補体または補体含有血清を加えて補足することができる。本発明の結合剤でコーティングされた標的細胞の貪食作用は、補体蛋白質の結合により向上することができる。別の態様において、本発明の組成物（例えば、ヒト抗体、多重特異性および二重特異性分子）でコーティングされた標的細胞は、補体により溶解することもできる。さらに別の態様において、本発明の組成物は、補体を活性化しない。
【０１９０】
本発明の組成物（例えば、ヒト抗体、多重特異性および二重特異性分子）は、補体とともに投与することもできる。したがって、ヒト抗体、多重特異性または二重特異性分子、および血清または補体を含む組成物は本発明の範囲内である。これらの組成物は、補体がヒト抗体、多重特異性または二重特異性分子の近傍に位置する点で有用である。あるいは、本発明のヒト抗体、多重特異性または二重特異性分子、および補体または血清を、別々に投与することもできる。
【０１９１】
また、本発明の組成物（例えば、ヒト抗体、多重特異性および二重特異性分子）を含むキットおよび使用説明書も本発明の範囲内である。そのキットはさらに、補体などの少なくともさらに一つの試薬、または本発明のさらなるヒト抗体（例えば、第１のヒト抗体とは別のＰＳＭＡ抗原中のエピトープに結合する相補的活性を有するヒト抗体）を１つ以上含むことができる。
【０１９２】
その他の態様において、被験体は、例えば、被験体をサイトカインで治療することにより、ＦｃγまたはＦｃαレセプターの発現または活性を調節、例えば、促進または阻害する物質を用いて、さらに治療することができる。多重特異性分子での治療中に投与する好ましいサイトカインには、顆粒球コロニー刺激因子（Ｇ−ＣＳＦ）、顆粒球マクロファージコロニー刺激因子（ＧＭ−ＣＳＦ）、インターフェロン−γ（ＩＦＮ−γ）、および腫瘍壊死因子（ＴＮＦ）が含まれる。
【０１９３】
本発明の組成物（例えば、ヒト抗体、多重特異性および二重特異性分子）は、ＦｃγＲまたはＰＳＭＡを発現する細胞を標的とするため、例えば、このような細胞を標識するためなどに用いることもできる。このような使用のために、結合剤を、検出され得る分子に結合することができる。したがって、本発明は、ＦｃγＲまたはＰＳＭＡなどのＦｃレセプターを発現する細胞をex vivoまたはin vitroにおいて局在化する方法を提供する。検出可能標識は、例えば、放射性同位体、蛍光化合物、酵素、または酵素共因子などがあげられる。
【０１９４】
本発明の抗体は、サンプルを（例えば、対照サンプルとともに）抗体とＰＳＭＡとの複合体の形成を可能にするような条件下でヒトモノクローナル抗体と接触させることによって、サンプル中におけるＰＳＭＡ抗原の存在を検出するために、またはサンプル中におけるＰＳＭＡ抗原の量を測定するために用いることができる。その後複合体形成が検出され、そしてサンプルと対照サンプルの複合体形成の差異によりサンプル中のＰＳＭＡ抗原の存在が示される。
【０１９５】
さらに別の態様において、本発明は、in vivoまたはin vitroで、Ｆｃ発現細胞の存在を検出する、またはその量を定量するための方法を提供する。その方法は、（ｉ）被験体に、検出可能マーカーに結合されている、本発明の組成物（例えば、多重特異性もしくは二重特異性分子）またはそのフラグメントを投与すること；（ｉｉ）該被験体に対して、前記検出可能マーカーを検出するための手段を施してＦｃ発現細胞を含有する領域を同定することを含む。
【０１９６】
本発明は以下の実施例においてさらに具体化されるが、本発明をさらに限定するものと解釈されてはならない。本願全体に引用されるすべての数値、およびすべての引用文献、特許および特許出願公報の内容を引用によって本明細書中に援用する。
実施例  
【０１９７】
方法と材料
ＰＳＭＡ特異的モノクローナル抗体のためのスクリーニングアッセイ  ＰＳＭＡ−ＨｕＭＡｂを、固相ＥＬＩＳＡを基礎としたアッセイを用いて検出した。ＬＮＣａＰ細胞からの免疫親和性精製ＰＳＭＡ、またはＰＳＭＡ由来のフラグメントを含有する、細菌的に発現した融合蛋白質をMaxi-Sorp（Nunc、Rochester、NY）９６ウェルプレート上にコーティングし、４℃で一晩インキュベートした。該プレートをＰＢＳ−０．２％Ｔｗｅｅｎ−２０で洗浄し、５％ＢＳＡのＰＢＳ溶液を用いて室温で１時間ブロッキングした。ハイブリドーマ培養液からの５０μｌの上清を、ＰＳＭＡでコーティングしたウェルに添加し、該プレートを室温で２時間インキュベートした。該プレートを上記のように洗浄し、５０μｌの１：１０００希釈したウサギ抗ヒトＩｇＧの重鎖および軽鎖（ICN、Costa Mesa、CA）を各ウェルに添加した。室温で１時間インキュベートした後、該プレートを上記のように洗浄し、５０μｌの１：２０００希釈したＨＲＰ結合プロテインＡ（Sigma、St. Louis、MO）を各ウェルに添加した。室温で1時間インキュベートした後、該プレートを上記のように洗浄し、１００μｌの、ＡＢＴＳ（５００ｍｌの０．１Ｍクエン酸中、１５０ｍｇの2,2'-アジノ-ビス（3-エチルベンゾチアゾリン-6-スルホン酸、ｐＨ４．３５）／Ｈ２Ｏ２（ＡＢＴＳ溶液１０ｍｌにつき１０μｌの３０％Ｈ２Ｏ２）色素源／基質溶液を各ウェルに添加した。５分間のインキュベーション後、１００μｌの停止溶液（ＳＤＳ／ジメチルホルムアミド）を添加することによって該反応を止め、マイクロプレートリーダーにおいて、４０５ｎｍにおける球光度を読み取った。高いＡ４０５値を持つ上清を産生するハイブリドーマ細胞を、限界希釈によってクローニングし、さらなる分析を行った。
【０１９８】
抗体蛋白質の単離：  １〜５％のFetalclone （Hyclone、Logan、UT）を含有するＲＰＭＩ-１６４０培地を用いて、Cellmax バイオリアクター（Cellco、Laguna Hills、CA）からモノクローナル抗体を単離した。プロテインA-アガロースカラム上、クロマトグラフィーを製造元の仕様書（KPL、Gaithersburg、MD）に基づいて行うことによって、モノクローナル抗体を精製した。
【０１９９】
ＬＮＣａＰ細胞膜の調製：  ＬＮＣａＰ細胞をプラスチック皿から掻き落とし、ＰＢＳ中で十分に洗浄し、１０容積の脱イオン水中に再懸濁させ、Dounceホモジナイザーを用いて、3ストロークで均質化した。15000ｘｇで４５分遠心分離することによって膜画分を単離した。Pierce （Rockford、IL）ＢＣＡキットを用いて、膜ペレットの蛋白質濃度を測定した。
【０２００】
熱変性実験：  ＬＮＣａＰ細胞から得た免疫親和性精製ＰＳＭＡのアリコート（ＰＢＳ中で４０μｍ/ｍｌ）を１０分間沸騰させて熱変性し、氷上冷却した。これと、熱変性していない同一のアリコートをＰＢＳで１：４希釈し、９６ウェルMaxi-Sorpプレート（Nunc）のウェルに添加して、４℃で一晩コーティングした。コーティング後、全てのプレートを５％ＢＳＡのＰＢＳ溶液で１時間ブロッキングし、ＰＢＳで洗浄し、上記のように、指示された一次抗体を用いた標準的なサンドイッチＥＬＩＳＡを行った。
【０２０１】
ウェスタンブロット分析：  ＰＳＭＡ含有画分をＳＤＳ−ＰＡＧＥにかけ、ＰＶＤＦ膜に転写し、ウェスタンブロット分析を行った。そのブロットを一晩、５％脱脂乳を含有するＴＢＳでブロッキングし、精製抗体のＴＢＳ溶液（濃度５μｇ／ｍｌ）で１時間インキュベートした。そのブロットを０．５％Ｔｗｅｅｎ２０）を含有するＴＢＳ（ＴＢＳ−Ｔ）で５回洗浄し、ＬｕｍｉＧＬＯ化学発光基質キット（KPL、Gaithersburg、MD）で展開し、Ｘ線フィルムに露光して可視化した。
【０２０２】
免疫沈降研究：  １％ＮＰ−４０を含有するＰＢＳをＬＮＣａＰ細胞に添加し、１時間インキュベートし、遠心分離にかけて粒状物質を除去することによって、ＬＮＣａＰ細胞の界面活性剤ライセートを調製した。ライセート１ｍｌあたり１５０μｇの無関係のヒトＩｇＧ１を添加し、室温で１時間インキュベートし、その後ライセート１ｍｌあたり１５０μｌの充填されたプロテインＧセファロースビーズを添加することによって、ライセートを予め精製した。遠心分離後、上清画分を用いてビーズを除去した。予め精製しておいた、それぞれ１００μｌのアリコートを５μｇの抗体蛋白質と混合し、４℃で一晩インキュベートした。終了後、２０μｌの充填されたプロテインＧセファロースビーズを各チューブに添加し、該チューブを４℃で1時間インキュベートした。溶解緩衝液を用いて十分に洗浄した後、５０μｌのLaemmliサンプル緩衝液（Bio-Rad）を各サンプルに添加し、チューブを９５℃で１０分間加熱した。そのチューブを２分間遠心分離にかけ、各サンプルを２５μｌずつＳＤＳ−ＰＡＧＥゲル上におき、１７５ボルトで６０分間電気泳動を行った。電気泳動したサンプルを、マウス抗ＰＳＭＡ抗体４Ｄ８（５μｇ/ｍｌ）を用いて、ウェスタンブロットを行うためにＰＶＤＦ膜上にエレクトロブロットし、上記のように展開した。
【０２０３】
フローサイトメトリー：  組織培養フラスコからＬＮＣａＰ細胞およびＰＣ−３細胞を新たに収集し、単一の細胞懸濁液を調製した。ＬＮＣａＰ細胞懸濁液を一次抗体で直接染色するか、または、１％パラフォルムアルデヒドのＰＢＳ溶液で固定化した後染色した。約１００万個の細胞を、０．５％ＢＳＡおよび５０〜２００μｇ/ｍｌの一次抗体を含有するＰＢＳ中に再懸濁させ、氷上で約３０分間インキュベートした。その細胞を０．１％ＢＳＡ、０．０１％ＮａＮ３を含有するＰＢＳで２回洗浄し、１００μｌの１：１００希釈したＦＩＴＣ結合型ヤギ抗ヒトＩｇＧ（Jackson ImmunoResearch、West Grove、PA）中に懸濁させ、氷上でさらに３０分間インキュベートした。その細胞を再び２回洗浄し、０．５ｍｌの洗浄緩衝液中に懸濁させ、FACSCaliburサイトメーター（Becton-Dickinson、San Jose、CA）上で、CellQuest 取得ソフトウェアを用いて、蛍光染色の分析を行った。
【０２０４】
モノクローナル抗体のＦＩＴＣ標識化：  精製モノクローナル抗体を０．３Ｍカルボン酸ナトリウム緩衝液、ｐＨ９．５に対して十分に透析した。蛍光イソチオシアネート（ＦＩＴＣ）ストック溶液を、１ｍｇの固体ＦＩＴＣを１ｍｌのＤＭＳＯ中に溶解することによって調製した。ストックＦＩＴＣを、抗体蛋白質１ｍｇにつきＦＩＴＣ５０μｇになるように、定常的に混合しながら滴下して加えた。添加後、その溶液を室温で１〜３時間、暗所にてインキュベートした。ＦＩＴＣ標識抗体を、ＰＢＳ中で平衡化させたセファデックスＧ−１０カラム上でゲル濾過して単離した。
【０２０５】
４Ａ３および７Ｆ１２のＤＯＴＡ標識：  ５ｍｇの４Ａ３および７Ｆ１２抗体蛋白質を、ＤＯＴＡの４つのカルボン酸基のうちの１つを直接結合によって抗体蛋白質のアミノ基に結合させることによって、ＤＯＴＡ標識した。ＤＯＴＡ（テトラアザシクロドデカンテトラ酸性酸）は、放射性核種を錯体化するために用いることができる一般的なキレート剤である。約１．５ｍｌのＰＢＳ中の蛋白質をまず、遠心分離器内でＭｒ２５，０００のカットオフで、５×４ｍｌの１％ＤＴＰＡ（ジエチレントリアミノ酸性酸）、ｐＨ５を用いて、２４時間かけて洗浄した。その後、同じ手順を用いて抗体緩衝液を０．１Ｍリン酸塩、ｐＨ７．０に変えた。ＤＯＴＡの活性エステルを、３０ｍｇのＤＯＴＡ（０．０７２ｍｍｏｌ）を０．４ｍｌの水に溶解することによって作製し、ＮａＯＨを用いてｐＨを７．３に調整した。その後、１０ｍｇの１−エチル−３−（３−ジメチルアミノプロピル）カルボジイミドを添加し、その混合物を１時間氷上冷却し、抗体溶液に添加し、４℃で一晩撹拌した。得られたＤＯＴＡ抗体抱合体を過剰ＤＯＴＡから分離し、他の反応物を０．３Ｍ ＮＨ４Ｏａｃで繰り返し洗浄し、遠心濃縮した。
【０２０６】
抗体阻害の研究：  約１００万個のＬＮＣａＰ細胞をまず２００μｇ／ｍｌの精製４Ａ３、７Ｆ１２、８Ａ１１、８Ｃ１２、１６Ｆ９または無関係のヒトＩｇＧ１抗体のＰＢＳ溶液で１時間氷上で処理した。洗浄後、その細胞を５０μｇ/ｍｌのＦＩＴＣ結合ヒトまたはマウス抗ＰＳＭＡモノクローナル抗体で１時間、氷上でインキュベートした。洗浄後、その細胞を１０μｇ/ｍｌのヨウ化プロピジウムで染色し、FACsCaliburサイトメーターとCellQuestソフトウェアでフローサイトメトリーによって分析した。
【０２０７】
ＬＮＣａＰ細胞腫瘍を保有するヌードマウスにおける１２５Ｉ標識ＨｕＭＡｂの体内分布：  ＬＮＣａＰ細胞、５０％Matrigel（Becton-Dickinson）２×１０６中（総容量１５０μｌ）をヌードマウスに皮下注射した。腫瘍の大きさが直径約０．５ｃｍになったとき、該動物を１２５Ｉ標識抗体で、尾部の静脈から１００μｇの抗体（５〜３５μＣｉの１２５Ｉを含有する）を静脈内投与することによりin vivo標識した。時間のポイント(time points)を変えた後、該動物を殺し、個別の正常臓器および組織ならびに腫瘍組織に存在する１２５Ｉ標識の濃度を測定した。
【０２０８】
１ｍｇの抗体蛋白質を１〜１．５μＣｉの１２５Ｉで、lodobeads （Pierce）を用いて、製造元の指示にしたがってヨード処理した。
【０２０９】
１２５Ｉ標識ＨｕＭＡｂの内在化：  ＬＮＣａＰ細胞を６ウェルプレートに播き、ほぼコンフルエントに到達させた。その後培地を除去し、ウェルをＰＢＳで洗浄し、付着していない細胞を除去した。その後該細胞を１２５Ｉ標識ＨｕＭＡｂ、または合計容量１．５ｍｌで１０μｇ/ｍｌの濃度で新鮮な培地中に存在する無関係のヒトＩｇＧにマッチするアイソタイプで標識し、３７℃で１０分間、インキュベータ中でインキュベートした。終了後、培地を除去し、その細胞を十分にＰＢＳで洗浄し、未結合の標識抗体を除去し、１．５ｍｌの培養培地を添加し、プレートを３７℃のインキュベータに戻し、所望の時間インキュベートした。インキュベーションの０（培養培地を添加直後）、４、１８および２８時間後、培養培地を除去し、遠心分離にかけ、付着していない細胞を除去した。その上清画分を氷上冷却し、１００％ＴＣＡを添加することによってＴＣＡ析出させ、最終的なＴＣＡ濃度を１０％とした。１０分間氷上でインキュベートした後、該画分を１０分間１０００ｘｇで遠心分離にかけ、上清を除去した。ＴＣＡ可溶性および不溶性画分の双方に存在する放射活性をガンマカウンターで定量した。ＴＣＡ析出用の培地の除去後、ウェル中に付着している細胞を、トリプシンを用いて放出させ、計数用のチューブ中におき、あわせて、１ｍｌの０．ｌＮ ＮａＯＨ洗浄を行った。細胞に結合している放射活性もガンマカウンターで定量した。もともと細胞に結合していた細胞総数の、内在化し、処理され、およびＴＣＡ可溶性画分に分散している細胞に対する比率をプロットした。
【０２１０】
精製抗体蛋白質０．５ｍｇを、上述したように、１ｍＣｉの１２５Ｉを用いてヨード処理した。各抗体の標識は、０．４〜１．６μＣｉ/μｇ抗体蛋白質であった。
【０２１１】
ＨｕＭＡｂのＡＤＣＣおよびＣＤＣスクリーニング:  ＡＤＣＣおよびＣＤＣ試験は、標的細胞としてＬＮＣａＰ細胞を用いた４時間の５１Ｃｒ放出アッセイとした。アッセイは、９６ウェルプレート中で、１ウェルにつき２５００の標的を３部ずつ用いて、エフェクターを標的細胞に対する比率（エフェクター：標的比）１００：１で行った。エフェクター細胞は、１オスおよび１メスドナーから単離したＰＢＭＣとした。ＣＤＣアッセイのために、最終濃度１：２００の新鮮なヒト血漿を補足源として用いた。
【０２１２】
ＩＨＣによるＨｕＭＡｂの組織交差反応性スクリーニング：  まず、サイトメトリー後、アセトンを用いて１０分間処理することによって、または、染色後１０％中性緩衝ホルマリンを用いて１０秒間処理することによって、固定化された凍結組織切片上で、固定化された濃度の精製した未結合のヒトモノクローナル抗体（５μｍ/ｍｌ）を用い、また、ビオチン化されたヤギ抗ヒトＩｇＧ１二次抗体の濃度を変化させることによって、ＩＨＣ交差反応性スクリーニングの条件を最適化した。これらの条件に基づいて、ＨｕＭＡｂ一次抗体濃度を変えることによって、二次抗体濃度を最適化して二次試験を行った。
【０２１３】
これらの結果に基づいて、サイトメトリー時、アセトンで１０分間固定化した後、ヒト凍結切片上で、次いで、染色直前に１０秒間１０％中性緩衝ホルマリン中で組織スクリーニングを行った。１．５ｍｇ/ｍｌの過剰担体ＩｇＧを含有する５μｇ/ｍｌの濃度で一次抗体を用いて染色を行い、その後ＩｇＧ７．５μｇ/ｍｌのビオチン化されたヤギ抗ヒトＩｇＧ二次抗体を用いて染色を行った。熱凝集性のウサギＩｇＧ（１ｍｇ/ｍｌ）、５％規定ヤギ血清、および１％ＢＳＡが、該切片の蛋白質ブロックに含まれていた。
【実施例１】
【０２１４】
抗ＰＳＭＡヒト抗体を産生するためのＣｍｕ標的マウスの作製
ＣＭＤ標的ベクターの構築：  プラスミドｐＩＣＥｍｕは、ｍｕ遺伝子全般を範囲とするマウスＩｇ重鎖遺伝子座のＥｃｏＲＩ／ＸｈｏＩフラグメントを含有しており、それはＢａｌｂ／Ｃゲノムラムダファージライブラリーから得た（Marcuら、Cell 22: 187, 1980）。このゲノムフラグメントをプラスミドｐＩＣＥＭＩ９ＨのＸｈｏＩ／ＥｃｏＲＩ部位にサブクローニングした（Marshら；Gene 32、481-485、1984）。ｐＩＣＥｍｕに含まれる重鎖配列は、ｍｕイントロンエンハンサーの３’側にちょうど位置するＥｃｏＲＩ部位の下流から、ｍｕ遺伝子の膜貫通エクソンの最後部の下流約１ｋｂに位置するＸｈｏＩ部位までを範囲とするが、ｍｕスイッチ反復領域のほとんどがE. coliの継代により消去されてしまった。
【０２１５】
標的ベクターを以下のように構築した。１．３ｋｂのＨｉｎｄＩＩＩ／ＳｍａＩフラグメントをｐＩＣＥｍｕから切り出し、ＨｉｎｄＩＩＩ／ＳｍａＩ消化pBluescript（Stratagene、La Jolla、CA）にサブクローニングした。このｐＩＣＥｍｕフラグメントは、Ｃｍｕ１の５’側約１ｋｂに位置するＨｉｎｄＩＩＩ部位からＣｕｍ１内に位置するＳｍａＩ部位までを範囲とする。得られたプラスミドをＳｍａＩ／ＳｐｅＩで消化して、Ｃｍｕ１の３’側のＳｍａＩ部位からＣｍｕエキソン最後部の直下流に位置するＸｂａＩ部位を範囲とするｐＩＣＥｍｕのＳｍａＩ／ＸｂａＩフラグメント約４ｋｂを挿入した。得られたプラスミドｐＴＡＲ１をＳｍａＩ部位で直線化し、ｎｅｏ発現カセットを挿入した。このカセットは、マウスホスホグリセリン酸キナーゼ（ｐｇｋ）プロモーター（ＸｂａＩ／ＴａｑＩフラグメント、Adraら（1987）Gene 60: 65-74）の転写調節下にあり、ｐｇｋポリアデニル化部位（ＰｖｕＩＩ／ＨｉｎｄＩＩＩフラグメント、Boerら（1990） Biochemical Genetics 28: 299-308）を有する新規遺伝子から成る。プラスミドｐＫＪ１（Tybulewiczら （1991） Cell 65: 1153-1163に記載）からこのカセットを得、そこからそのｎｅｏカセットをＥｃｏＲＩ／ＨｉｎｄＩＩＩフラグメントとして切り出して、ＥｃｏＲＩ／ＨｉｎｄＩＩＩ消化ｐＧＥＭ−７Ｚｆ（＋）にサブクローニングしてｐＧＥＭ−７（ＫＪ１）を作製した。ｎｅｏカセットをＥｃｏＲＩ／ＳａｌＩ消化によりｐＧＥＭ−７から切り出し、末端を平滑化して、ゲノムＣｍｕ配列とは反対側に位置するプラスミドｐＴＡＲ１のＳｍａＩ部位にサブクローニングした。得られたプラスミドをＮｏｔＩで直線化し、Mansourら（1988）Nature 336: 348-352に記載されているように単純疱疹ウイルスチミジンキナーゼ（ｔｋ）カセットを挿入し、相同性組換え体を有するＥＳクローンを富化した。このカセットは、Tybulewiczら（1991）Cell 65: 1153-1163の記述の通り、マウスｐｇｋプロモーターとポリアデニル化部位に挟まれたｔｋ遺伝子のコード配列からなる。得られたＣＭＤ標的化ベクターの合計約５．３ｋｂが重鎖遺伝子座に相同であり、ｎｅｏ発現カセットを第一Ｃｍｕエキソンの固有ＳｍａＩ部位に挿入した突然変異ｍｕ遺伝子を作製するように設計されている。標的ベクターを、プラスミド配列内を切断する、ＰｖｕＩで直線化し、その後それをＥＳ細胞に電気穿孔した。
【０２１６】
標的ＥＳ細胞の作製および分析  ＡＢ−１ ＥＳ細胞（McMahon、A. P.およびBradley, A.、（1990） Cell 62: 1073-1085）は、有糸分裂が不活性のＳＮＬ７６／７細胞支持細胞層上で成長した（同上）。基本的には（Robertson、E. J.（1987） in Teratocarcinomas and Embryonic Stem Cells: a Practical Approach （E. J. Robertson、ed.） Oxford: IRL Press、p. 71-112）に記載の通りである。直線化したＣＭＤ標的ベクターを、Hastyら（Hasty, P. R.ら（1991）Nature 350: 243-246）に記載されている方法により、AB-1細胞に電気穿孔した。電気穿孔された細胞を、１００ｍｍ皿に１〜２×１０６細胞／皿の密度で播いた。２４時間後、Ｇ４１８（活性成分２００μｇ/ｍｌ）およびＦＩＡＵ（５×１０−７Ｍ）を培地に加えて、薬物耐性クローンを８〜９日間かけて成長させた。クローンを採取し、トリプシン処理し、２分してさらに成長させた。次に各クローンから誘導した細胞の半分を冷凍し、残りの半分をベクター配列と標的配列の相同性組換えについて分析した。
【０２１７】
ＤＮＡ分析をサザンブロットハイブリダイゼーションにより行った。ＤＮＡをLairdら（Laird, P. W. ら（1991） Nucleic Acids Res. 19: 4293）が記載の通りクローンから単離した。単離されたゲノムＤＮＡをＳｐｅＩで消化し、ｍｕイントロンエンハンサーとｍｕスイッチ領域の間の配列にハイブリダイズする、９１５ｂｐのＳａｃＩフラグメント、プローブＡでプローブした（図１）。プローブＡは、野生型遺伝子座から９．９ｋｂのＳｐｅＩフラグメントを検出し、ＣＭＤ標的ベクターと相同的に組み換えられたｍｕ遺伝子座から診断用７．６ｋｂバンドを検出する（ｎｅｏ発現カセットは、ＳｐｅＩ部位を有する）。サザンブロット分析によりスクリーニングされた１１３２ Ｇ４１８およびＦＩＡＵ耐性クローンのうち、３つがｍｕ遺伝子座における相同組換えを示す７．６ｋｂのＳｐｅＩバンドを示した。これら３つのクローンを酵素ＢｇｌＩ、ＢｓｔＸＩ、およびＥｃｏＲＩでさらに消化し、ベクターがｍｕ遺伝子に相同的に組み込まれたことを確認した。プローブＡとハイブリダイズしたとき、ＢｇｌＩ、ＢｓｔＸＩ、およびＥｃｏＲＩで消化された野生型ＤＮＡのサザンブロットはそれぞれ１５．７、７．３、および１２．５ｋｂのフラグメントを産生した。一方、標的ｍｕ対立遺伝子の存在は、それぞれ７．７、６．６、および１４．３ｋｂのフラグメントにより示される。ＳｐｅＩ消化物により検出された３陽性クローンはすべて、新規カセットがＣｍｕ１エキソンに挿入されたことを示す所定のＢｇｌＩ、ＢｓｔＸＩ、およびＥｃｏＲＩｍｐ制限フラグメントを示した。
【０２１８】
突然変異ｍｕ遺伝子を有するマウスの作製：  三種類の標的ＥＳクローン、指定番号２６４、２７２、および４０８を解凍し、Bradley （Bradley, A.（1987）in Teratocarcinomas and Embryonic Stem Cells: a Practical Approach.（E. J. Robertson,ed.）Oxford: IRL Press, p. 113-151）による記述の通り、Ｃ５７ＢＬ／６Ｊ未分化胚芽細胞に注射した。注射された未分化胚芽細胞を偽妊娠メスの子宮に移し、挿入ＥＳ細胞に由来する細胞と宿主未分化胚芽細胞の混合を示すキメラマウスを作製した。キメラへのＥＳ細胞の寄与の程度は、ＥＳ細胞系列に由来する被覆のネズミ色の呈色を黒色Ｃ５７ＢＬ／６Ｊをバックグラウンドとして視覚的に推測することができる。クローン２７２および４０８は、キメラの割合が低いもの（つまりネズミ色の着色の割合が低い）しか生じなかったが、クローン２６４では、キメラの割合が高いオスが生じた。このようなキメラをＣ５７ＢＬ／６Ｊメスと交配させると、ネズミ色の仔が作製され、ＥＳ細胞ゲノムが生殖細胞系列に伝播することが示された。標的ｍｕ遺伝子のスクリーニングを、尾部生検で得たＢｇｌＩ消化ＤＮＡのサザンブロット分析により行った（ＥＳ細胞ＤＮＡの分析について上述の通り）。ネズミ色仔の約５０％が１５．７ｋｂの野生型バンドに加えて７．７ｋｂハイブリダイズＢｇｌＩバンドを示しており、標的ｍｕ遺伝子の生殖細胞系列伝播が立証された。
【０２１９】
トランスジェニックマウスのｍｕ遺伝子の機能的不活性化についての分析：  ｎｅｏカセットのＣｍｕ１への挿入が、Ｉｇ重鎖遺伝子を不活化しているかどうかを調べるために、クローン２６４キメラを、ＪＨ遺伝子セグメントを消去することにより重鎖発現を不活化するＪＨＤ突然変異にホモ接合性のマウスと交配させた（Chenら、（1993）Immunol. 5: 647-656）。ネズミ色仔が４匹誕生した。これらの動物が生後１ヶ月の時点で、それらから血清を採取し、マウスＩｇＭの存在をＥＬＩＳＡにより検定した。４匹の仔のうち２匹にＩｇＭが完全に欠損していた（表１参照）。尾部生検で採取したＤＮＡのサザンブロット分析は、ＢｇｌＩ消化およびプローブＡとのハイブリダイズ（図１参照）、およびＳｔｕＩ消化と４７５ｂｐのＥｃｏＲＩ／ＳｔｕＩフラグメントとのハイブリダイズ（同上）により行い、マウス仔４匹の遺伝子型別を行ったところ、血清ＩｇＭを発現しなかった動物は、重鎖遺伝子座の一つの対立遺伝子がＪＨＤ突然変異を有しており、もう一つの対立遺伝子がＣｍｕ１突然変異を有している動物であることが明らかになった。ＪＨＤ突然変異についてヘテロ接合性のマウスは、野生型レベルの血清Ｉｇ値を示す。このデータは、Ｃｍｕ１突然変異はｍ遺伝子の発現を不活化することを示すものである。
【０２２０】
【表１】
2005518789.tif 000002
【０２２１】
表１はＥＬＩＳＡで測定した血清ＩｇＭレベルで、ＣＭＤおよびＪＨＤ突然変異の両方を持つマウス（ＣＭＤ／ＪＨＤ）、ＪＨＤ突然変異についてヘテロ接合性のマウス（＋／ＪＨＤ）、野生型（１２９Ｓｖ ｘ Ｃ５７ＢＬ／６Ｊ）Ｆ１マウス（＋／＋）、およびＪＨＤ突然変異についてホモ接合性のＢ細胞欠乏マウス（ＪＨＤ／ＪＨＤ）についてを示す。
【実施例２】
【０２２２】
抗ＰＳＭＡヒト抗体産生用のＨＣＯ１２トランスジェニックマウスの作製
ＨＣＯ１２ヒト重鎖導入遺伝子：  ＨＣＯ１２導入遺伝子は、ｐＨＣ２の８０ｋｂインサート（Taylorら、1994、Int. Immunol.、6: 579-591）およびｐＶｘ６の２５ｋｂインサートを同時注入して作製した。プラスミドｐＶｘ６は下記の通りに構築した。
【０２２３】
生殖細胞系列ヒトＶＨ１−１８（ＤＰ−１４）遺伝子とともに約２．５ｋｂの５’側隣接ゲノム配列および５ｋｂの３’隣接ゲノム配列を含む８．５ｋｂ ＨｉｎｄＩＩＩ／ＳａｌＩ  ＤＮＡフラグメントをプラスミドベクターｐＳＰ７２（Promega、Madison、WI）にサブクローニングし、プラスミドｐ３４３．７．１６を作製した。生殖細胞系列ヒトＶＨ５−５１（ＤＰ−７３）遺伝子とともに約５ｋｂの５'側隣接ゲノム配列および１ｋｂの３'側隣接ゲノム配列を含む７ｋｂ ＢａｍＨＩ/ＨｉｎｄＩＩＩ ＤＮＡフラグメントをｐＢＲ３２２ベースのプラスミドクローニングベクターｐＧＰ１ｆ（Taylorら. 1992, Nucleic Acids Res. 20: 6287-6295）にサブクローニングし、プラスミドｐ２５１ｆを作製した。ｐＧＰ１ｆ、ｐＧＰ１ｋに由来する新規クローニングベクターをＥｃｏＲＶ／ＢａｍＨＩで消化し、生殖細胞系列ヒトＶＨ３−２３（ＤＰ４７）遺伝子とともに約４ｋｂの５’側隣接ゲノム配列および５ｋｂの３’側隣接ゲノム配列を含む１０ｋｂ ＥｃｏＲＶ/ＢａｍＨＩ ＤＮＡとライゲートした。得られたプラスミドｐ１１２．２ＲＲ．７をＢａｍＨＩ/ＳａｌＩで消化し、ｐ２５１ｆの７ｋｂの精製ＢａｍＨＩ/ＳａｌＩインサートとライゲートした。得られたプラスミド、ｐＶｘ４をＸｈｏＩで消化し、ｐ３４３．７．１６の８．５ｋｂのＸｈｏＩ/ＳａｌＩインサートとライゲートした。
【０２２４】
他の２つのＶ遺伝子と同一方向にあるＶＨ１−１８遺伝子を用いてクローンを得た。ｐＶｘ６と称されたこのクローンを、その後ＮｏｔＩで消化し、Hoganら（B. Hoganら、Manipulating the Mouse Embryo, A Laboratory Manual、第２版、1994、Cold Spring Harbor Laboratory Press、Plainview NY）により記述されたように、精製した２６ｋｂのインサートを（ｐＨＣ２の精製した８０ｋｂのＮｏｔＩインサートとともに、１：１のモル比で）、半日目の前核（Ｃ５７ＢＬ/６Ｊ ｘ ＤＢＡ/２Ｊ）Ｆ２胚へ同時注入した。Ｖｘ６およびＨＣ２の両方から得た配列を含むトランスジェニックマウスの独立３系列は、注入胚から成長したマウスから確立された。これらの系列を、（ＨＣＯ１２）１４８８１、（ＨＣＯ１２）１５０８３、および（ＨＣＯ１２）１５０８７と称する。３系列それぞれを実施例１に記載のＣＭＤ突然変異、ＪＫＤ突然変異（Chenら、1993, EMBO J. 12: 811-820）、および（ＫＣｏ５）９２７２導入遺伝子（Fishwildら、1996, Nature Biotechnology 14: 845-851）を含むマウスと交配させた。得られたマウスは、破壊された内因性マウス重鎖およびｋ軽鎖遺伝子座についてホモ接合性の背景をもつヒト免疫グロブリン重鎖およびｋ軽鎖導入遺伝子を発現する。
【実施例３】
【０２２５】
ＰＳＭＡに対するヒトモノクローナル抗体の作製および二重特異性
抗原：抗原（Northwest Biotherapeutics, Inc）は、ＬＮＣａＰ細胞（Cat#CRL-1740；American Type Culture Collection、Rockville、MD）から単離された（１）細胞膜および（２）精製蛋白質（ＰＳＭＡ）の２つの形状で提供された。精製抗原（１．０５ｍｇ/ｍｌ）を用いて、１回の免疫化および最終的な尾部の追加免疫を行った。モノクローナル抗体７Ｅｌｌ．Ｃ５は、Cytogen, Inc、Princeton、NJから入手した。
【０２２６】
可溶性ＰＳＭＡおよびＬＮＣａＰ細胞からの膜を、フロイント完全アジュバントまたはフロイント不完全アジュバントのいずれかと混合した（ＣＦＡおよびＩＦＡ）。マウスに０．２ｃｃの調製された抗原を腹腔内注射した。無菌ＰＢＳ中の可溶性ＰＳＭＡで尾の静脈を最終的な免疫化を行った。
【０２２７】
トランスジェニックマウス：  マウスをフィルターケージに収容し、免疫化、出血および融合の日において良好な身体的条件であることを調べた。（ＣＭＤ）＋＋；（ＨＣｏ１２）１５０８７＋；（ＪＫＤ）＋＋；（ＫＣｏ５）９２７２＋遺伝子型のオスマウスＩＤ＃１７０１８によってハイブリドーマ４Ａ３、７Ｆ１２、８Ａ１１、８Ｃ１２および１６Ｆ９を産生した。個々の導入遺伝子の名称を括弧に記載し、それに続いて、ランダムに統合された導入遺伝子を記載している。＋＋や＋といった記号は、同型接合または異型接合を示すが、マウスは通常、ランダムに組み込まれたＩｇ導入遺伝子について同型接合と異型接合とを区別することができないＰＣＲベースのアッセイを利用してスクリーニングされるので、＋という指示記号は、実際にこれらの要素が均質なマウスに付与してもよい。
【０２２８】
免疫化の手順：  免疫化のスケジュールを表２に示す。マウス＃１７０１８を１１２日目に融合し、それを、遺伝子型ＨＣｏ７およびＨＣｏ１２からの１０匹のマウスコホート中に含めた。全ての免疫化は、腹腔内注射によって行った。融合の３日前と２日前に、ＩＶで追加免疫を行った。
【０２２９】
【表２】
2005518789.tif 000003
【０２３０】
ハイブリドーマの調製：  融合には、P3 X63 ag8.653ミエローマ細胞系列（ATCC CRL 1580、lot F-15183）を用いた。オリジナルのＡＴＣＣバイアルを解凍し、培養液中で伸長させた。凍結させたバイアルからのストック種子をこの伸長物から調製した。細胞を培養液中に３〜６ヶ月維持し、週２回動かした。P388D1（ATCC TIB-63 FL）を２００ｍＬに伸長し、消耗させた。上清を回転し、濾過し、ハイブリドーマ追加用の培地として使用した。新たなバイアルを解凍してから、該細胞系列を３〜６ヶ月経過させた。
【０２３１】
高グルコースＤＭＥＭ：  １０％ＦＢＳおよびPenicillin-Streptomycin （Gibco, #11K1763）を含有する（Mediatech Cellgro、# 1001233）を使用してＰ３８８Ｄ１細胞およびミエローマ細胞を培養した。更なる培地補足をハイブリドーマ成長培地に追加した。
【０２３２】
マウス番号＃１７０１８から得た脾臓は、正常の大きさであり、１．７８×１０８個の生存可能な細胞を産出した。脾細胞を融合した。
【０２３３】
ヒトＩｇＧ、κ抗体をスクリーニングするための最初のＥＬＩＳＡを融合の７〜１０日後に行った。その後ヒトＩｇＧ、κ陽性ウェルを可溶性ＰＳＭＡでコーティングしたＥＬＩＳＡプレート上でスクリーニングした。次いで抗原陽性ハイブリドーマを２４ウェルプレート、最終的には組織培養フラスコに移した。ＰＳＭＡ特異性ハイブリドーマを限定希釈によりサブクローニングし、モノクローナルであることを確認した。細胞をＤＭＥＭ、５０％ＦＢＳおよび１０％ＤＭＳＯ（Sigma、D2650）中で凍結することによって、抗原陽性ハイブリドーマを発達プロセスのいくつかの段階で保存した。
【０２３４】
マウス#17018の力価を下記の表に示す。力価は、Ｈｕ−抗原特異性γである。免疫化を繰り返した後、抗原に対する反応は、強固な反応レベルを示していた。そのマウスを融合用に用いた。
【０２３５】
【表３】
2005518789.tif 000004
【０２３６】
融合の結果、３８Ｈｕ−γ、κハイブリドーマを得、それらを抗原上で再びスクリーニングした。抗原上でのスクリーニング（ＥＬＩＳＡベース）後、５つの抗原特異性ハイブリドーマを同定した。これらを抗原上で再び試験し、５つ全てのクローンが標的４Ａ３、７Ｆ１２、８Ａ１１、８Ｃ１２および１６Ｆ９に対して陽性であることを確認した。これらの５つのハイブリドーマの上清をさらに調べた。未変性形態の、ＰＳＭＡに結合したこれら５つのクローンからの抗体は、ＬＮＣａＰ上で発現した。５つの抗体は全て、γ１、κアイソタイプである。
【０２３７】
１４Ａ８×８Ｃ１２と称された二重特異性分子は、ヒト抗ＣＤ８９抗体１４Ａ８または１４Ａ８と称された抗体１４Ａ８のサブクローンからのｖＦａｂ’２フラグメントと、ヒト抗ＰＳＭＡ抗体８Ｃ１２との、標準の架橋方法を用い、ジスルフィド結合を介した化学的抱合によって作製された（図６）。
【実施例４】
【０２３８】
ヒト抗ＰＳＭＡ抗体の結合特性
固相ＥＬＩＳＡ研究：  全長ＰＳＭＡおよび、ＰＳＭＡ蛋白質の細菌によって発現された融合蛋白質含有部分に対する反応性（固相ＥＬＩＳＡ）を比較することによって、抗ＰＳＭＡ特異性抗体を調べた。ＨｕＭＡｂ ４Ａ３、７Ｆ１２、８Ａ１１、８Ｃ１２および１６Ｆ９は、精製ＰＳＭＡとは反応したが、ＰＳＭＡ配列（結果は示さず）の一部を含有する融合蛋白質のいずれとも反応性を示さなかった。対照的に、ＨｕＭＡｂ １１Ｃ１０は、全長ＰＳＭＡおよびＰＳＭＡアミノ酸１〜１７３配列を含有する融合部分の双方と強い反応性を示した（図１）。１１Ｃ１０抗体の、より低いレベルの結合はまた、アミノ酸１３４〜４３７ ＰＳＭＡフラグメントに対しても観察された。
【０２３９】
ヒト抗ＰＳＭＡ特異性抗体の結合特性も、ＬＮＣａＰ細胞およびＰＣ３細胞に由来する細胞膜画分を用いた固相ＥＬＩＳＡによって研究した。膜画分を９６穴ウェルプレート中で連続希釈し、空気乾燥した。そのプレートを５％ＢＳＡでブロッキングし、５μｇ／ｍｌ抗体のＰＢＳ溶液で１時間処理し、その後、標準ＥＬＩＳＡ法を用いて検出を行った。
【０２４０】
図２に示した結果から、ＨｕＭＡｂ ４Ａ３、７Ｆ１２、８Ａ１１、８Ｃ１２および１６Ｆ９が、全抗原濃度範囲で、ＬＮＣａＰ細胞膜に対して高い特異性を示していることがわかる。ＰＣ３細胞膜に対しては、バックグラウンド以上の抗体の結合はほとんど、もしくは全くみられない。二重特異性分子１４．１ｘ８Ｃ１２も、ＰＳＭＡ発現ＬＮＣａＰ細胞およびＣＤ８９発現Ｕ９３７細胞への結合能について、同様のアッセイを用いて試験した。二重特異性分子は、ＬＮＣａＰ細胞およびＵ９３７細胞の両方に容量依存的に結合する。
【０２４１】
未変性のＰＳＭＡおよび細菌的に発現されたＰＳＭＡ融合蛋白質フラグメントを用いたＥＬＩＳＡの結果によれば、１１Ｃ１０を除く全てのＨｕＭＡｂは、未変性の高次構造中に存在するＰＳＭＡに特異性を示した。この観察を確認するために、未変性の、および熱変性されたＰＳＭＡに対する抗体の結合を試験して、蛋白質高次構造が結合特異性に及ぼす重要性を求めた。図３は、未変性の、および熱変性されたＰＳＭＡを用いた固相ＥＬＩＳＡの結果を示す。蛋白質のＮ末端から最初の６つのアミノ酸からなるエピトープに対して特異的な、マウス抗ＰＳＭＡモノクローナル抗体７Ｅ１１を陽性対照として用いた。その結果、熱変性は、７Ｅ１１の結合に影響を及ぼさないことがわかる。これは、直線状配列エピトープの認識に矛盾しない。これらの結果とは対照的に、抗体４Ａ３、７Ｆ１２、８Ａ１１、８Ｃ１２および１６Ｆ９は全て、未変性の精製ＰＳＭＡに強く結合していた。しかしながら、ＰＳＭＡの熱変性は、実際には抗体結合を破壊しており、未変性の蛋白質高次構造が抗体の結合にとって必要であることを示している。この結果と一致して、抗体４Ａ３、７Ｆ１２、８Ａ１１、８Ｃ１２および１６Ｆ９は、ウェスタンブロット解析（結果は示さず）でＰＳＭＡを検出する際には無効であった。
【０２４２】
したがって、ＨｕＭＡｂ ４Ａ３、７Ｆ１２、８Ａ１１、８Ｃ１２および１６Ｆ９は、直線状アミノ酸配列エピトープを認識しないが、その代わり、高次構造的エピトープ、すなわち、直線状配列の異なる部分からのアミノ酸が三次元空間に近接して現れたときに生じるＰＳＭＡ分子の高次構造的折り畳みからの未変性の蛋白質エピトープと結合する。そのような高次構造的エピトープは、原形質膜の細胞外側に位置している。
【０２４３】
ＬＮＣａＰ細胞からのＰＳＭＡの免疫沈降：  抗体４Ａ３、７Ｆ１２、８Ａ１１、８Ｃ１２および１６Ｆ９の結合特異性を、ＬＮＣａＰ細胞の１％ＮＰ−４０界面活性ライセートから誘導された蛋白質の免疫沈降によって研究した。該ライセートを抗体で処理した後、プロテインＧセファローズビーズを添加した。該ビーズを十分に洗浄し、結合している免疫複合体を、マウス直線状ＰＳＭＡ配列エピトープ特異性抗体４Ｄ８を用いた、ＳＤＳゲル電気泳動法およびウェスタンブロットにかけた。その結果を図４に示す。レーン１は、ＬＮＣａＰ細胞ライセートに存在するＰＳＭＡおよびＰＳＭ’（Ｎ末端からの最初の５７アミノ酸が欠失している代替スプライスバリアント）のウェスタンブロットの反応性を示す。レーン２は、アイソタイプがマッチする（ＩｇＧ１）無関係のヒト抗体を用いた免疫沈降の結果を示す。レーン３から７は、抗体４Ａ３、７Ｆ１２、８Ａ１１、８Ｃ１２、および１６Ｆ９をそれぞれ用いた免疫沈降の結果を示す。それぞれの場合において、ＰＳＭＡおよびＰＳＭ’の両方に一致する濃いバンドは、蛋白質の細胞外ドメインに存在する蛋白質エピトープに結合するということを示している。
【０２４４】
生ＬＮＣａＰで発現するＰＳＭＡへのＨｕＭＡｂの結合：  生存可能および生存不能（固定された）ＬＮＣａＰ細胞に結合する抗体を、無関係のヒトＩｇＧを対照として用いたフローサイトメトリーによって調べた。生存可能な細胞は、ヨウ化プロピジウム陰性細胞群である。一次抗体処理の前に、固定された細胞を１％パラホルムアルデヒドのＰＢＳ溶液で処理した。抗体４Ａ３、７Ｆ１２、８Ａ１１、８Ｃ１２および１６Ｆ９の、生ＬＮＣａＰ細胞および固定されたＬＮＣａＰ細胞の双方に対する強力な結合が観察された。ＰＣ３細胞と一緒に用いたとき、または無関係のヒト抗体にマッチするアイソタイプをＬＮＣａＰ細胞と一緒に用いたとき、陰性染色が観察された。
【０２４５】
比較によれば、生存可能細胞および固定化細胞および無関係のマウス抗体対照の同じ調製物を用いた、マウス直線状エピトープ特異性抗体を用いた場合の抗体結合の結果から、生細胞に対する結合が有意に低いことが示された。固定化細胞に対する結合はより高かったが、しかしながら、直線状エピトープ抗体は、無関係のヒトＩｇＧ１抗体を対照として用いたときに観察された高次構造ＨｕＭＡｂで観察された結合に対するいかなる条件においても比較不能であった。マウスまたはヒトの、立体的または直線状エピトープの結合は、ＰＳＭＡ陰性ＰＣ３細胞を用いた実験では検出されなかった（結果は示さず）。
【０２４６】
したがって、ＨｕＭＡｂは、生ＬＮＣａＰ細胞に対して強力な結合性を示し、マウス高次構造抗体３Ｃ６が結合したものに関連するエピトープに結合する。
【０２４７】
抗体の結合の競合のＦＡＣＳ分析：  抗体の結合の競合に関する研究を、各抗体が結合するのはＰＳＭＡ上の類似のエピトープか、または異なるエピトープかを調べるために行った。この実験では、フローサイトメトリーによる分析を行う前に、ＬＮＣａＰ細胞をまず無関係のヒトＩｇＧ１かＰＳＭＡ特異性ＨｕＭＡｂのいずれかで処理し、十分に洗浄し、ＦＩＴＣ標識された個別のＨｕＭＡｂで標識付けした。無標識ＨｕＭＡｂがＦＩＴＣ標識されたＨｕＭＡｂの結合を阻止する能力を調べた。無関係のヒトＩｇＧ１で前処理した細胞を用いた場合、ＦＩＴＣ標識抗体への強力な結合が認められた。対照的に、抗ＰＳＭＡ特異性ＨｕＭＡｂで前処理した場合は、各ケースにおいて実質的にＦＩＴＣ標識された抗体の結合に対する実質的な阻害が起こっていた。総合すれば、このデータから７Ｆ１２および１６Ｆ９の、他のＨｕＭＡｂへの競合的な結合挙動が最も類似していることがわかる。抗体の対を変えることで、結合阻害の程度においてわずかのばらつきが認められる。例えば、８Ｃ１２は、４Ａ３、８Ａ１１および８Ｃ１２結合を効率的に阻害するが、７Ｆ１２に対してはあまり効果を示さない。全般的に見て、僅かに異なるが、接近して分散している高次構造エピトープがこれらの抗体によって認識される。
【０２４８】
マウスＰＳＭＡ高次構造抗体に対するＨｕＭＡｂ結合の競合：  １Ｇ９、３Ｃ６、および４Ｄ４と称されたマウスＰＳＭＡ特異性抗体を開発した。それらは、蛋白質高次構造エピトープをも指向するものである。抗体の競合の研究は、フローサイトメトリーによって測定されるように、抗体１Ｇ９、３Ｃ６、および４Ｄ４を用いて行われ、ＨｕＭＡｂがマウス抗体と共通するエピトープを認識するかどうかを測定した。無標識ＨｕＭＡｂがＦＩＴＣ標識１Ｇ９、３Ｃ６および４Ｄ４の結合をブロックすることができるかどうかを試験した。ＬＮＣａＰ細胞をＨｕＭＡｂで前処理した後、ＦＩＴＣマウス４Ｄ４および１Ｇ９で標識したところ、明らかな阻害をほとんど、あるいは全く生じなかった。対照的に、ＨｕＭＡｂ ４Ａ３、７Ｆ１２、８Ａ１１、８Ｃ１２および１６Ｆ９による、ＦＩＴＣ−３Ｃ６の有意な阻害が認められ、３Ｃ６によって認識されるように、エピトープと類似のまたは接近して分布するエピトープにそれぞれ結合することが示されている。
【０２４９】
ＬＮＣａＰ細胞上でのＰＳＭＡへの高次構造ＨｕＭＡｂの結合親和性：  ＰＳＭＡ ＨｕＭＡｂは、ＰＳＭＡの未変性の高次構造に高度に感受性を示す。親和性定数を求めるための精製ＰＳＭＡを用いた数多くの実験から、信頼できる、または再現可能な結果は得られていない。生存可能なＬＮＣａＰ細胞において発現される未変性のＰＳＭＡからのいくつかの親和性結合の情報を得るために実験を行った。各抗体の、未変性ＰＳＭＡに対する結合親和性を試験するために、過剰のＦＩＴＣ標識二次抗体を持つ固定数（１×１０６）のＬＮＣａＰ細胞について、一次抗体濃度を変化させたフローサイトメトリーアッセイを用いた。表４のデータは、細胞標識強度における最大シフトの半値をもたらすのに必要な抗体濃度として表された結果を示す。これらの結果から、最も高い結合親和性が、抗体４Ａ３、７Ｆ１２および１６Ｆ９を用いたときに認められることが証明された。抗体８Ｃ１２が約３倍低い結合親和性を有し、次いで、抗体８Ａ１１が高親和性抗体より約２０倍低い結合親和性を有している。
【０２５０】
【表４】
2005518789.tif 000005
【実施例５】
【０２５１】
ヒト抗ＰＳＭＡ抗体のＡＤＣＣおよびＣＤＣ活性および二重特異性
Ｉ．  ヒト抗ＰＳＭＡ抗体の抗体依存性細胞媒介性細胞傷害（ＡＤＣＣ）活性  抗ＰＳＭＡ ＨｕＭＡｂが抗体依存性細胞媒介性細胞傷害（ＡＤＣＣ）または補体依存性細胞傷害（ＣＤＣ）を媒介する能力を、二人のドナーからのＰＢＭＣを用いた実験において、上記実施例に記載の高次構造抗体について試験した。図５ＡおよびＢに示した結果は、各ＨｕＭＡｂについて強いＡＤＣＣを示している。各ＨｕＭＡｂは、陽性対照としてのハーセプチンと類似の力価を持ち、類似の反応性を有している（図５Ｂ）。ＣＤＣ活性はいずれのＨｕＭＡｂについても認められなかった（データは示さず）。
【０２５２】
ＩＩ．  ヒト抗ＰＳＭＡ二重特異性抗体の抗体依存性細胞媒介性細胞傷害（ＡＤＣＣ）の活性：  二重特異性分子１４Ａ８×８Ｃ１２（図６に示す）およびモノクローナル抗体８Ｃ１２を、標識されたＰＳＭＡ発現腫瘍細胞の多形核細胞媒介性のＡＤＣＣ死滅について試験した。
【０２５３】
特に、単核細胞（単球および好中球）ならびに全血を健康なドナーから単離し、二重特異性分子１４Ａ８×８Ｃ１２の存在下で５１Ｃｒ標識されたＰＳＭＡ発現腫瘍細胞とインキュベートした。約４時間後、ウェルの培養液上清を収集して５１Ｃｒの放出量をガンマ線カウンターで測定した。パーセント比溶解率は、（実験的ＣＰＭ−標的漏出ＣＰＭ）／（界面活性溶解ＣＰＭ−標的漏出ＣＰＭ）×１００％という式で求めた。図７Ａ、８Ａ、および９Ａに示す結果から、対照抗体と比較して、１４Ａ８×８Ｃ１２が、それぞれ単球、好中球、全血による、投与量依存的な腫瘍細胞溶解を媒介していることが示される。
【０２５４】
また、単核細胞および全血も、二重特異性分子１４Ａ８×８Ｃ１２またはモノクローナル抗体８Ｃ１２（図７Ｂ、７Ｃ、８Ｂ、および９Ｂ）のいずれかの存在下で、５１Ｃｒ標識されたＬＮＣａＰ腫瘍細胞とインキュベートした。ＬＮＣａＰ細胞を、単細胞および全血とともに各種濃度の二重特異性またはモノクローナル抗体とインキュベートする前に、３７℃で１時間、１００ｍＣｉの５１Ｃｒで標識した（５％ＣＯ２）。１６時間インキュベーションを行った後、上清を収集して上述のように放射活性について分析した。
【０２５５】
単球誘発ＡＤＤＣ：  図７Ａに示すように、二重特異性分子１４Ａ８×８Ｃ１２は、単球によるＰＳＭＡ発現腫瘍細胞の細胞死滅を投与量依存的に媒介した。さらに５０μｇ/ｍｌの１４Ａ８ Ｆａｂ’２を加えたところ、１μｇ/ｍｌの二重特異性分子１４Ａ８×８Ｃ１２による腫瘍細胞のＡＤＣＣを完全に阻止したことから、標的細胞の死滅はエフェクター細胞上のＣＤ８９のみにより媒介されたことが証明された。図７Ｂに示すように、二重特異性分子１４Ａ８×８Ｃ１２およびモノクローナル抗体８Ｃ１２も、単球によるＬＮＣａＰ腫瘍細胞の投与量依存的な細胞溶解を媒介した。さらに、Ｈ２２Ｆ（ａｂ）’２（ヒト化抗ＦｃγＲＩ）との場合と比較して、過剰の１４Ａ８Ｆ（ａｂ）’２を加えた場合、二重特異性分子１４Ａ８×８Ｃ１２による腫瘍細胞のＡＤＣＣを完全に阻害したことから、標的細胞の死滅はＣＤ８９を介して媒介されることが証明された（図７Ｃ参照）。
【０２５６】
好中球誘発ＡＤＣＣ：  図８Ａに示すように、二重特異性分子１４Ａ８×８Ｃ１２は、好中球によるＰＳＭＡ発現腫瘍細胞の細胞死滅を投与量依存的に媒介した。さらに２５μｇ／ｍｌの１４Ａ８ Ｆａｂ’２を加えたところ、二重特異性分子による腫瘍細胞のＡＤＣＣを有意に阻止したことから、標的細胞の死滅はエフェクター細胞上のＣＤ８９のみにより媒介されたことを証明された。図８Ｂに示すように、二重特異性分子１４Ａ８×８Ｃ１２も、好中球によるＬＮＣａＰ腫瘍細胞の投与量依存的な細胞溶解を媒介した。さらに、Ｈ２２Ｆ（ａｂ）’２（ヒト化抗ＦｃγＲＩ）の場合と比較して、過剰の１４Ａ８Ｆ（ａｂ）’２を加えた場合、二重特異性分子１４Ａ８×８Ｃ１２による腫瘍細胞のＡＤＣＣを完全に阻害したことから、標的細胞の死滅はＣＤ８９を介して媒介されることが証明された。
【０２５７】
全血誘発ＡＤＣＣ：  図９Ａに示すように、二重特異性分子１４Ａ８×８Ｃ１２は、全血によるＰＳＭＡ発現腫瘍細胞の細胞死滅を投与量依存的に媒介した。さらに２５μｇ／ｍｌの１４Ａ８ Ｆａｂ’２を加えたところ、二重特異性分子による腫瘍細胞のＡＤＣＣを有意に阻止したことから、ここでも、標的細胞の死滅はエフェクター細胞上のＣＤ８９のみにより媒介されていることが証明された。同様に、図９Ｂに示すように、二重特異性分子１４Ａ８×８Ｃ１２も全血によるＬＮＣａＰ腫瘍細胞の投与量依存的な細胞溶解を媒介した。さらに、Ｈ２２Ｆ（ａｂ）’２（ヒト化抗ＦｃγＲＩ）の場合と比較して、過剰の１４Ａ８Ｆ（ａｂ）’２を加えた場合、二重特異性分子１４Ａ８×８Ｃ１２による腫瘍細胞のＡＤＣＣを完全に阻害したことから、標的細胞の死滅はＣＤ８９を介して媒介されることが証明された。
【０２５８】
ＩＩＩ．  ヒト抗ＰＳＭＡ抗体および二重特異性抗体はヒトエフェクター細胞の存在下でＰＳＭＡ発現腫瘍細胞の貪食作用および死滅を媒介する：  二重特異性分子１４Ａ８×８Ｃ１２およびモノクローナル抗体８Ｃ１２が、標識されたＰＳＭＡ発現腫瘍細胞（ＬＮＣａＰ細胞）単独で、および過剰１４Ａ８（ヒト抗ＦｃαＲ）Ｆａｂ’２抗体または対照としての過剰Ｈ２２（ヒト化抗ＦｃγＲＩ）Ｆａｂ’２抗体の存在下における貪食作用を媒介する能力について試験した。
【０２５９】
簡単に説明すると、単球由来マクロファージ（ＭＤＭ）によるＬＮＣａＰ細胞の二重特異性媒介性の貪食作用を、Munnら（1990）J. Exp. Med. 172:231-237により記載の方法を改変した方法により試験した。正常な成人を供給源とするロイコパック（ＡＢＩ）から精製した単球を、２４ウェルプレート（１×１０６/ｍｌ）において、１０％ＦＢＳおよび１０ｎｇ／ｍｌのＭ−ＣＳＦを補足したマクロファージ無血清培地（Gibco、Grand Island、NY）で７〜１２日間、分化させた。ＬＮＣａＰ細胞を親油性赤色蛍光染色剤、ＰＫＨ２６（Sigma、St. Louis、MO）で標識した。標識したＬＮＣａＰ細胞を二重特異性抗体（または対照抗体）の非存在下または存在下でＭＤＭを含有するウェルに加え、３７℃で５〜２４時間（５％ＣＯ２）インキュベートした。ＭＤＭおよび未貪食ＬＮＣａＰ細胞をトリプシンで回収し、ＦＩＴＣ標識抗ＣＤ３３ ｍＡｂ（２５１）および抗ＣＤ１４ ｍＡｂ（ＡＭＬ−２−２３）で氷上（４℃）で１時間染色した。細胞を洗浄し、ＦＡＣＳｃａｎを用いて二色蛍光により分析した。パーセント貪食率は、二重陽性標的細胞数（ＭＤＭにより取り入れられたもの）／全標的細胞数×１００％で求めた。
【０２６０】
図１０に示すように、二重特異性分子１４Ａ８×８Ｃ１２は、腫瘍細胞の特異的貪食作用の増加を投与量依存的に媒介した。１４Ａ８ Ｆａｂ’２を加えたところ、二重特異性分子による腫瘍細胞の貪食作用を有意に阻止し、ここでも標的とされた貪食作用が、エフェクター細胞に結合するＣＤ８９により特異的に媒介されることが示された。同様に、図１１に示すように、二重特異性分子１４Ａ８×８Ｃ１２およびモノクローナル抗体８Ｃ１２も、ＬＮＣａＰ細胞の貪食作用を投与量依存的に媒介した。図１２から、１４Ａ８×８Ｃ１２が媒介するＬＮＣａＰ腫瘍細胞の貪食作用は、Ｈ２２Ｆ（ａｂ）’２（ヒト化抗ＦｃγＲＩ）の場合と比較して、過剰１４Ａ８Ｆ（ａｂ）’２を加えることにより阻害されたことから、ＣＤ８９を介して媒介されていたことがわかる（図１２、挿入図参照）。
【０２６１】
前述の実施例は、ＰＳＭＡに高親和性で特異的に反応するヒトモノクローナル抗体の作製および二重特異性を説明している。これらの抗体および二重特異性は、直線状アミノ酸配列により決定されるエピトープよりも、分子の細胞外ドメインに存在する未変性高次構造蛋白質エピトープを認識する。さらに、ヒト抗ＰＳＭＡ抗体およびその二重特異性分子は、エフェクター細胞の存在下において、高レベルのＰＳＭＡを発現するヒト腫瘍細胞に対する細胞死滅および貪食作用を媒介する。
【実施例６】
【０２６２】
ヌードマウスにおけるＬＮＣａＰ細胞腫瘍に対する１２５Ｉ標識ヒト抗ＰＳＭＡ抗体の体内分布
ＬＮＣａＰ細胞腫瘍を保有するヌードマウスにおける１２５Ｉ標識ＨｕＭＡｂの体内分布を、下記の標識抗体の正常組織および腫瘍組織への時間依存的取り込みによって調べた。２つのＨｕＭＡｂs、４Ａ３および７Ｆ１２についての結果を得た。まず、結合親和性研究および適切な抗体蛋白質の取得可能性に基づいて抗体７Ｆ１２を用いた。しかしながら、続く実験では、７Ｆ１２のヨード処理が実際にはこの抗体が抗原に結合する能力を失わせることを証明している。したがって、有用なデータは、４Ａ３からのみ得られた。４Ａ３の結果を図１３に示す。それは、標識抗体は、最初は血液中および高度に血管新生化した組織に優先的に存在することを示している。これは、２４時間後、腫瘍取り込みが起こり、腫瘍の標識が正常組織に対して最高になった（正常組織と比較して２倍以上の標識化された組織が認められる）とき減少する。したがって、腫瘍に対する有意な体内分布が起こる。取り込み後の経時的な腫瘍標識の広がりは、部分的に、循環抗体のレベルの減少および標識抗体蛋白質フラグメントからの放出とともに抗体に結合する抗体内在化の関数でもある。
【実施例７】
【０２６３】
ＬＮＣａＰ細胞による、１２５Ｉ標識ヒト抗ＰＳＭＡ抗体の内在化の分析  
ＴＣＡ可溶性１２５Ｉ数への培養上清の時間依存性放出を分析することによって、１２５Ｉ標識ＨｕＭＡｂ蛋白質の内在化をモニターした。ヨード処理した抗体で表面が標識された、ＬＮＣａＰ細胞を３７℃でインキュベートし、その培養上清を除去し、ＴＣＡを析出させ、そして上清画分中に存在する１２５Ｉ標識の量を図１４に示された時間において測定した。その結果は、ヨード処理した抗体４Ａ３、１６Ｆ９および８Ａ１１がゼロ時点で、効果的にＬＮＣａＰ細胞を標識し、該細胞へ効率的に内在化し、分解され、そして蛋白質画分が培養上清中に放出されたことを示している。これらの抗体のそれぞれでの１８時間のインキュベーション後、もともと結合していた抗体の約５０％をＴＣＡ可溶性画分中で回収した。
【０２６４】
ヨード処理されたＨｕＭＡｂ ７Ｆ１２および８Ｃ１２について、異なる細胞結合および内在化の結果が得られた。特に、有意に低い合計ＬＮＣａＰ細胞標識を、ヨード処理した７Ｆ１２および８Ｃ１２抗体を用いて見出した。それは、ヨード処理が標識抗体の抗原への結合に影響を持つかもしれないことを示唆している。この仮説を試験するために、固定化した未変性の精製ＬＮＣａＰ細胞ＰＳＭＡおよびヨード処理したＨｕＭＡｂを用いて、固相結合アッセイを行った。図１５に示された結果から、陽性対照ヨード処理４Ａ３抗体のＰＳＭＡへの結合が確認された。また、ヨード処理が７Ｆ１２および８Ｃ１２の双方の抗体が抗原に結合することをできなくすることが証明された。したがって、抗体７Ｆ１２および８Ｃ１２の内在化率は、１２５Ｉ標識７Ｆ１２および８Ｃ１２抗体では調べることはできない。
【実施例８】
【０２６５】
ＨｕＭＡｂ ４Ａ３および７Ｆ１２のＤＯＴＡ標識のＰＳＭＡへの結合に及ぼす影響
抗体をＤＯＴＡ標識し、それが抗体の抗原への結合に及ぼす影響をＥＬＩＳＡによって試験した。ＤＯＴＡ（テトラアザシクロドデカンテトラ酸性酸）は、放射性核種を錯体化するために用いることができる一般的なキレート剤である。図１６に示した結果は、ＤＯＴＡ標識抗体は、高い抗原結合能力を維持しており、それがこれらの抗体が放射性金属のキレートを形成するのに有用であることが示された。
【実施例９】
【０２６６】
ヒト抗ＰＳＭＡ抗体の正常および悪性ヒト組織への結合の、免疫組織化学による組織反応性
ＰＳＭＡに存在する高次構造エピトープに特異的な５つのＨｕＭＡｂの結合の免疫組織化学的分析を、正常および悪性ヒト組織の凍結切片を用いた交差反応性スクリーニングに適用した。各組織型の単一標本から得られた結果から、前立腺内皮および非前立腺悪性病変または正常組織の腫瘍血管内皮に対する強力な結合が証明された。前立腺癌内の血管内皮に染色は観察されなかった。非腫瘍性組織からの腺性上皮の変化する活性、脳組織の潜在的な交差反応性、および空腸および肝臓のクッパー細胞のリンパ球の染色を含む、他のより弱い反応性が観察された。これらの「正常」組織のいくつかが、隣接するもしくは近接する腫瘍からの強い腫瘍血管染色を示す、同じドナーから得られたとすれば、得られた非前立腺染色結果については疑問がある。リンパ球染色は、原発腫瘍からの抗原の取り込みによるのかもしれない。他の組織およびエレメントは、これらの抗体に関しては陰性であった。調べた５つのＨｕＭＡｂの間のＩＨＣを介しての組織反応性には有意差はなかった。
【実施例１０】
【０２６７】
結合親和性
抗ＰＳＭＡ ＨｕＭＡｂの結合親和性を、ＬＮＣａＰを用いた、一連のチューブの細胞に対してＨｕＭＡｂを希釈した、フローサイトメトリーによって測定した。結合した抗体の量を、飽和量に存在するＦＩＴＣ標識二次抗体を用いて測定した。最大シフト（シフトは、飽和ＨｕＭＡｂを用いて認められた）の１/２に必要な抗体蛋白質の量として分析された量であるデータを以下に示す。
【０２６８】
【表５】
2005518789.tif 000006
【０２６９】
ＨｕＭＡｂ ４Ａ３および７Ｆ１２の更なる親和性の研究は、放射性標識抗体（１１１Ｉｎ−ＤＯＴＡ−標識抗体）および固定数のＬＮＣａＰ細胞への結合を利用した。その得られた抗体結合データを用いてスキャッチャード分析を行った。両抗体（４Ａ３および７Ｆ１２）の結果から、類似する親和性定数ＫＤ＝０．５±０．１ｎＭすなわち１０−１０Ｍが示された。
【実施例１１】
【０２７０】
Ｖ領域クローニング
ｍＲＮＡ単離およびｃＤＮＡ合成キット（Invitrogen、Carlsbad、CA）を用いて、抗ＰＳＭＡハイブリドーマからポリＡ＋ｍＲＮＡおよび第１鎖ｃＤＮＡを調製した。４Ａ３、７Ｆ１２および８Ｃ１２のＶ領域を、ヒトＶＨおよびＶＩ（またはＶκ）シグナル配列に対応する５’末端プライマーのパネルを利用したポリメラーゼ連鎖反応（ＰＣＲ）によって増幅した。８Ａ１１および１６Ｆ９のＶ領域は、フレームワーク１内の成熟Ｖ領域配列の５’末端に結合するプライマーを使用して増幅した。３’ＶＨおよびＶκのＰＣＲプライマーはそれぞれ以下の配列、すなわち、ＴＧＣＣＡＧＧＧＧＧＡＡＧＡＣＣＧＡＴＧＧ（配列番号５７）およびＣＧＧＧＡＡＧＡＴＧＡＡＧＡＣＡＧＡＴＧ（配列番号５８）を含有していた。配列中の潜在的なＰＣＲ誘発性の変化をモニターするためにＰＣＲ、クローニングおよび配列を行った。
【０２７１】
結語
これまでに述べた実施例は、ヒトＰＳＭＡ上の高次構造エピトープに特異性を示す５つの完全長ヒトモノクローナル抗体、ならびに該抗体を含有する治療用二重特異性物質の作製について説明した。５つの抗体は全て、未変性の、変性されていないＰＳＭＡに対して高い抗原特異性および反応性を有していた。該抗体は、ＰＳＭＡ発現細胞に効率的に内在化し、強力な抗体依存性細胞媒介性細胞傷害（ＡＤＣＣ）活性を有し、動物モデルにおいてＰＳＭＡを発現する腫瘍へ体内分布し、ヒト組織の免疫組織化学的研究においても類似の性能をもつ。これらの結果は、本発明のＰＳＭＡに対する完全ヒトモノクローナル抗体およびそのフラグメントおよび二重特異性分子が、ＰＳＭＡ関連疾患の診断および治療に有用であろう、という考察を支持するものである。
【０２７２】
等価物  当業者であれば、ごく通常の実験を用いるのみで、ここに説明した本発明の特定の実施例の等価物を数多く認識し、または確認できることであろう。このような等価物は、上述の請求の範囲の包含するところである。
【０２７３】
引用による援用  全ての特許、係属中の特許出願および本明細書において引用されている他の文献を引用によってその全体を援用する。
【図面の簡単な説明】
【０２７４】
【図１】図１は、ＨｕＭＡｂ １１Ｃ１０と、全長ＰＳＭＡおよびアミノ酸１〜１７３、１３４〜４３７および４３８〜７５０に対応するＰＳＭＡフラグメントを含有する細菌的に発現した融合蛋白質との反応性（固相ＥＬＩＳＡ）を示す棒グラフである。このアッセイは、マウス７Ｅ１１抗体を対照として用いて行った。
【図２】図２は、ヒト抗ＰＳＭＡモノクローナル抗体と、ヒト前立腺腺癌のＬＮＣａＰ細胞およびＰＣ３細胞からの膜画分との反応性（固相ＥＬＩＳＡ）を示すグラフである。４０５ｎｍにおけるバックグラウンド吸収は０．０５であった。
【図３】図３は、単離されたＰＳＭＡの熱変性が抗体の結合に及ぼす影響を示す棒グラフである。熱変性を行った、および熱変性を行っていない精製ＰＳＭＡを９６ウェルプレート上にコーティングし、指示された抗体で処理した。結合した抗体をＥＬＩＳＡによって検出した。
【図４】図４は、ＨｕＭＡｂを使用した、ＬＮＣａＰ細胞の界面活性剤ライセートからのＰＳＭＡの免疫沈降を示す。免疫沈降した蛋白質は、ＳＤＳゲル電気泳動によって分離し、ＰＶＤＦ膜上にブロットし、マウス抗ＰＳＭＡ ４Ｄ８抗体でプローブした（レーン２〜７）。レーン１は、ＬＮＣａＰ細胞ライセートの全体を示す。レーン２〜７は、下記の抗体、すなわち、無関係のヒトＩｇＧ１、４Ａ３、７Ｆ１２、８Ａ１１、８Ｃ１２および１６Ｆ９をそれぞれ用いた免疫沈降を示す。ＰＳＭＡおよびＰＳＭ’の位置を矢印で示している。
【図５】図５は、二人のドナー（パネルＡおよびＢ）からのＰＢＭＣ’とともにＬＮＣａＰ細胞標的を用いたＨｕＭＡｂ ４Ａ３、７Ｆ１２、８Ａ１１、８Ｃ１２および１６Ｆ９の抗体依存性細胞性傷害（ＡＤＣＣ）反応を測定したグラフを示す。それぞれＥ：Ｔの比率は１００：１とした。
【図６】図６は、ＣＤ８９（ＦｃαＲ）およびＰＳＭＡに結合する完全ヒト二重特異性分子、１４Ａ８×８Ｃ１２を示す。この分子は、抗ＰＳＭＡ Ｆａｂ’抗体フラグメント（ヒトモノクローナル抗ＰＳＭＡ抗体、８Ｃ１２に由来）に、ジスルフィド結合によって化学的に結合した抗ＣＤ８９ Ｆａｂ’抗体フラグメント（ヒトモノクローナル抗ＣＤ８９抗体、１４Ａ８に由来）を含有している。
【図７】図７のパネルＡは、図６に示した１４Ａ８×８Ｃ１２二重特異性分子を介した、ＰＳＭＡ発現細胞の単球媒介抗体依存性細胞傷害性（ＡＤＣＣ）を、二重特異性分子濃度の関数で示すグラフである。結果は、阻害因子を添加しない、５０μｇ／ｍｌのフリーの抗ＦｃＲαＲ（１４Ａ８）Ｆ（ａｂ’）２および５０μｇ／ｍｌのフリーの抗ＦｃγＲＩ（Ｈ２２）Ｆ（ａｂ’）２を用いた比細胞溶解率で測定した。パネルＢは、二重特異性分子１４Ａ８×８Ｃ１２およびモノクローナル抗体８Ｃ１２を介した、ＬＮＣａＰ細胞の単球媒介抗体依存性細胞傷害性（ＡＤＣＣ）を示すグラフで、エフェクター：標的比が１００：１である場合を示すグラフである。パネルＣは、阻害因子が存在しない場合の、または過剰量の（１４Ａ８）Ｆ（ａｂ’）２もしくはＨ２２Ｆ（ａｂ’）２の存在下での１４Ａ８×８Ｃ１２二重特異性分子を介した、ＬＮＣａＰ細胞の単球媒介抗体依存性細胞傷害性（ＡＤＣＣ）を示すグラフで、エフェクター：標的比が１００：１である場合を示すグラフである。
【図８】図８のパネルＡは、図６に示した１４Ａ８×８Ｃ１２二重特異性分子を介した、ＰＳＭＡ発現細胞の好中球媒介抗体依存性細胞傷害性（ＡＤＣＣ）を、二重特異性分子濃度の関数で示すグラフである。結果は、阻害因子を添加しない、２５μｇ／ｍｌのフリーの抗ＦｃＲαＲ（１４Ａ８）Ｆ（ａｂ’）２および２５μｇ／ｍｌのフリーの抗ＦｃγＲＩ（Ｈ２２）Ｆ（ａｂ’）２を用いた比細胞溶解率で測定した。パネルＢは、阻害因子が存在しない場合の、または過剰量の（１４Ａ８）Ｆ（ａｂ’）２もしくはＨ２２Ｆ（ａｂ’）２の存在下での、１４Ａ８×８Ｃ１２二重特異性分子を介した、ＬＮＣａＰ細胞の単球媒介抗体依存性細胞傷害性（ＡＤＣＣ）を示すグラフで、エフェクター：標的比が２００：１である場合を示すグラフである。
【図９】図９のパネルＡは、図６に示した１４Ａ８×８Ｃ１２二重特異性分子を介した、ＰＳＭＡ発現細胞の全血媒介抗体依存性細胞傷害性（ＡＤＣＣ）を、二重特異性分子濃度の関数で示すグラフである。結果は、阻害因子を添加しない、２５μｇ／ｍｌのフリーの抗ＦｃＲαＲ（１４Ａ８）Ｆ（ａｂ’）２および２５μｇ／ｍｌのフリーの抗ＦｃγＲＩ（Ｈ２２）Ｆ（ａｂ’）２を用いた比細胞溶解率で測定した。パネルＢは、阻害因子が存在しない場合の、または過剰量の１４Ａ８ Ｆ（ａｂ’）２もしくはＨ２２Ｆ（ａｂ’）２の存在下での１４Ａ８×８Ｃ１２二重特異性分子を介したＬＮＣａＰ細胞の全血媒介抗体依存性細胞傷害性（ＡＤＣＣ）を示すグラフである。
【図１０】図１０は、単球由来マクロファージ（ＭＤＭ）（丸）によるＰＳＭＡ発現（（ＬＮＣａＰ）細胞の二重特異性分子（１４Ａ８×８Ｃ１２）媒介貪食作用を示すグラフである。結果は、阻害因子としての過剰の１４Ａ８抗体（正方形）および対照としてのＨ２２抗体（菱形）の存在下または不存在下の両方における貪食作用の割合を測定した。
【図１１】図１１は、単球由来マクロファージ（ＭＤＭ）によるＬＮＣａＰ腫瘍細胞の二重特異性分子（１４Ａ８×８Ｃ１２）媒介貪食作用および抗体（８Ｃ１２）媒介貪食作用を示すグラフである。
【図１２】図１２は、単球由来マクロファージ（ＭＤＭ）（丸）によるＬＮＣａＰ腫瘍細胞の二重特異性分子（１４Ａ８×８Ｃ１２）媒介貪食作用を示すグラフである。挿入図は、過剰１４Ａ８ Ｆ（ａｂ’）２またはＨ２２ Ｆ（ａｂ’）２の存在下で１４Ａ８×８Ｃ１２二重特異性分子（１μｇ／ｍｌ）が媒介する貪食作用を示すグラフである。
【図１３】図１３は、ＬＮＣａＰ細胞腫瘍を持つヌードマウスにおける１２５Ｉ−４Ａ３の体内移動を示す棒グラフである。動物に対して１００μｇの１２５Ｉ−４Ａ３を尾部静脈から注射し、注射の０．２５および２４時間後、動物を殺した。核組織内に存在する放射活性量を測定した。このデータは、それぞれの時間において２つの動物から得られた結果を示している。
【図１４】図１４は、１２５Ｉ-標識ＨｕＭＡｂの、培養液中のＬＮＣａＰ細胞による細胞内在化および処理を示すグラフである。ＬＮＣａＰ細胞をヨード処理した抗体で標識し、十分に洗浄し、ＴＣＡ可溶性製造物に内在化し、変換された標識に結合している細胞表面の量を、指示された時間に測定した。結果は、ヨード処理後、抗原結合性を維持している３つのＨｕＭＡｂ、ならびに陰性対照として無関係のヒトＩｇＧ１について示している。
【図１５】図１５は、１２５Ｉでのヨード処理が、いくつかの抗ＰＳＭＡ ＨｕＭＡｂの抗原結合能力に及ぼす効果を示すグラフである。この結果は、固定化された未変性の精製ＬＮＣａＰ ＰＳＭＡに結合した１２５Ｉ標識ＨｕＭＡｂの量を、抗体の希釈因子の関数で示す。
【図１６】図１６は、ＤＯＴＡ標識がいくつかの抗ＰＳＭＡ ＨｕＭＡｂの抗原結合能力に及ぼす影響を示すグラフを含む。この結果は、ＤＯＴＡ標識ＨｕＭＡｂ、またはＰＳＭＡに結合した抱合していない抗体の量を、ＥＬＩＳＡによって測定することによって、抗体の量の滴定の関数で示す（単位：μｇ/ｍｌ）。
【図１７】図１７ＡおよびＢは、各ＨｕＭＡｂ ４Ａ３、７Ｆ１２、８Ｃ１２、８Ａ１１、および１６Ｆ９からのＶＨおよびＶＬ領域のヌクレオチド配列をそれぞれ示す。
【図１８】図１８は、ＨｕＭＡｂ ４Ａ３、７Ｆ１２、８Ａ１１、８Ｃ１２、１６Ｆ９の重鎖Ｖ領域のヌクレオチド配列と、対応する鎖Ｖ領域の生殖細胞系列ヌクレオチド配列との配列比較である。
【図１９】図１９は、ＨｕＭＡｂ ４Ａ３、７Ｆ１２、８Ａ１１、８Ｃ１２、１６Ｆ９の重鎖Ｖ領域のアミノ酸配列と、対応する鎖Ｖ領域の生殖細胞系列アミノ酸配列との配列比較である。
【図２０】図２０は、ＨｕＭＡｂ ４Ａ３、７Ｆ１２、８Ｃ１２の軽（κ）鎖Ｖ領域のヌクレオチド配列と、対応する鎖Ｖ領域の生殖細胞系列ヌクレオチド配列の配列比較である。
【図２１】図２１は、ＨｕＭＡｂ ８Ａ１１、１６Ｆ９の軽（κ）鎖Ｖ領域のヌクレオチド配列と、対応する鎖Ｖ領域の生殖細胞系列ヌクレオチド配列の配列比較である。
【図２２】図２２は、ＨｕＭＡｂ ４Ａ３、７Ｆ１２、８Ｃ１２の軽（κ）鎖Ｖ領域のアミノ酸配列と、対応する鎖Ｖ領域の生殖細胞系列アミノ酸配列との配列比較である。
【図２３】図２３は、ＨｕＭＡｂ ８Ａ１１、１６Ｆ９の軽（κ）鎖Ｖ領域のアミノ酸配列と、対応する鎖Ｖ領域の生殖細胞系列アミノ酸配列との配列比較である。
【配列表】
2005518789.tif 000007
2005518789.tif 000008
2005518789.tif 000009
2005518789.tif 000010
2005518789.tif 000011
2005518789.tif 000012
2005518789.tif 000013
2005518789.tif 000014
2005518789.tif 000015
2005518789.tif 000016
2005518789.tif 000017
2005518789.tif 000018
2005518789.tif 000019
2005518789.tif 000020
【図１】
2005518789.tif 000021
【図２】
2005518789.tif 000022
【図３】
2005518789.tif 000023
【図４】
2005518789.tif 000024
【図５】
2005518789.tif 000025
【図６】
2005518789.tif 000026
【図７Ａ】
2005518789.tif 000027
【図７Ｂ】
2005518789.tif 000028
【図７Ｃ】
2005518789.tif 000029
【図８Ａ】
2005518789.tif 000030
【図８Ｂ】
2005518789.tif 000031
【図９Ａ】
2005518789.tif 000032
【図９Ｂ】
2005518789.tif 000033
【図１０】
2005518789.tif 000034
【図１１】
2005518789.tif 000035
【図１２】
2005518789.tif 000036
【図１３】
2005518789.tif 000037
【図１４】
2005518789.tif 000038
【図１５】
2005518789.tif 000039
【図１６】
2005518789.tif 000040
【図１７Ａ】
2005518789.tif 000041
【図１７Ｂ】
2005518789.tif 000042
【図１８】
2005518789.tif 000043
【図１９】
2005518789.tif 000044
【図２０】
2005518789.tif 000045
【図２１】
2005518789.tif 000046
【図２２】
2005518789.tif 000047
【図２３】
2005518789.tif 000048
【国際調査報告】
2005518789.tif 000049
2005518789.tif 000050
2005518789.tif 000051
2005518789.tif 000052